(57)【要約】【課題】媒体の搬送経路を簡素に構成し得ると共に保守作業を簡素化し得るようにする。【解決手段】現金自動預払機１の紙幣入出金機１０は、上部ユニット１０Ｕに前後方向に沿った上基幹搬送路ＷＵを形成し、下部ユニット１０Ｌに前後方向に沿った下基幹搬送路ＷＬを形成し、両者を後端近傍の後受渡部Ｃ１で接続した。これにより紙幣入出金機１０は、基幹となる搬送路を１回のみ折り返された直線状に形成でき、屈曲箇所の数を大幅に削減できると共に、搬送経路長も短く抑えることができ、紙幣の搬送に伴う詰まり等の発生頻度を最小限に抑えて、各処理を円滑に進めることができる。その一方で紙幣入出金機１０は、装置の前後長を抑えて小型化を図ることができ、さらに後受渡部Ｃ１で上基幹搬送路ＷＵ及び下基幹搬送路ＷＬを切り離すことにより保守作業を容易化できる。【選択図】図６
2018014001.tif 000002
【特許請求の範囲】
【請求項１】
紙葉状の媒体を主搬送方向に沿って搬送する上搬送部と、
前記上搬送部の一端側に接続され、前記媒体を入出する入出部と、
前記上搬送部の他端側に接続され、前記媒体を貯留する一時保留部と、
前記入出部及び前記一時保留部の間に配置され、前記上搬送部により搬送される前記媒体を鑑別する鑑別部と
を有する上部ユニットと、
前記媒体を前記主搬送方向に沿って搬送する下搬送部と、
前記下搬送部と接続され、再利用可能な前記媒体を収納する複数の媒体収納庫と、
前記鑑別部において再利用すべきでないと鑑別されたリジェクト媒体を収納するリジェクト庫と、
前記リジェクト庫と接続され前記媒体を搬送するリジェクト搬送路と
を有する下部ユニットと、
前記鑑別部の鑑別結果に基づいて前記媒体の搬送経路を制御する制御部と
を具え、
前記上部ユニット及び前記下部ユニットは、
前記上搬送部の他端及び前記下搬送部の他端の間で前記媒体を受け渡す第１受渡部と、
前記上搬送部の一端及び前記リジェクト搬送路の間で前記媒体を受け渡す第２受渡部と
を形成することを特徴とする媒体処理装置。
【請求項２】
前記上搬送部は、前記上部ユニットにおける下端に配置されている
ことを特徴とする請求項１に記載の媒体処理装置。
【請求項３】
前記下搬送部は、前記下部ユニットにおける上端に配置されている
ことを特徴とする請求項１に記載の媒体処理装置。
【請求項４】
前記一時保留部及び前記上搬送部の間で前記媒体を搬送する一時保留搬送路と、
前記上搬送部及び前記一時保留搬送路の接続箇所に設けられ、前記上搬送部の前記一端側及び前記一時保留搬送路の間で前記媒体を搬送し、前記上搬送部の前記他端側及び前記一時保留搬送路の間で前記媒体を搬送し、又は前記上搬送部の前記一端側及び前記他端側の間で前記媒体を搬送するよう、該媒体の搬送経路を切り替える一時保留切替部と
をさらに具えることを特徴とする請求項１に記載の媒体処理装置。
【請求項５】
前記入出部及び前記一時保留部は、所定の回動軸を中心として回動可能であり、該入出部及び該一時保留部の少なくとも一方を回動させることにより前記上搬送部を開放させる
ことを特徴とする請求項１に記載の媒体処理装置。
【請求項６】
前記下搬送部は、一端が１つの前記媒体収納庫と接続され、
前記リジェクト搬送路は、一端が前記上搬送部の一端と接続されると共に他端が前記リジェクト庫と接続され、
前記下搬送部及び前記リジェクト搬送路は、前記下部ユニットにおいて接続されていない
ことを特徴とする請求項１に記載の媒体処理装置。
【請求項７】
前記下搬送部において前記媒体収納庫に接続された収納搬送路と前記リジェクト搬送路とを接続し、前記媒体を前記主搬送方向に沿って搬送する下接続搬送路
をさらに具え、
前記上搬送部及び前記下搬送部は、環状搬送路を形成する
ことを特徴とする請求項１に記載の媒体処理装置。
【請求項８】
前記一時保留部及び前記上搬送部の間で前記媒体を搬送する一時保留搬送路と、
前記上搬送部及び前記一時保留搬送路の接続箇所に設けられ、前記上搬送部の前記一端側及び前記一時保留搬送路の間で前記媒体を搬送し、前記上搬送部の前記他端側及び前記一時保留搬送路の間で前記媒体を搬送し、又は前記上搬送部の前記一端側及び前記他端側の間で前記媒体を搬送するよう、該媒体の搬送経路を切り替える一時保留切替部と、
前記第１受渡部及び前記媒体収納庫の間で前記媒体を搬送する収納搬送路と
をさらに具え、
前記制御部は、前記媒体収納庫から繰り出され前記第１受渡部を通過し前記上搬送部により搬送され前記一時保留切替部を通過し前記鑑別部において鑑別された前記媒体を、前記第２受渡部及び前記下接続搬送路を介して前記収納搬送路へ搬送し、再び前記第１受渡部を介して前記一時保留切替部において前記一時保留搬送路へ搬送した後、前記上搬送部へ戻すことにより、該媒体の表裏を反転させる
ことを特徴とする請求項７に記載の媒体処理装置。
【請求項９】
前記上搬送部から前記入出部へ前記媒体を搬送する上排出搬送路と、
前記上排出搬送路に接続され、該上排出搬送路に沿って搬送された前記媒体を前記入出部と異なる他の搬送先へ搬送する第２上排出搬送路と
をさらに具えることを特徴とする請求項１に記載の媒体処理装置。
【請求項１０】
前記第２上排出搬送路は、前記入出部及び前記一時保留部の間であって前記鑑別部の上方に配置され、前記他の搬送先として、複数の前記媒体を束状態として施封する施封部と接続される
ことを特徴とする請求項９に記載の媒体処理装置。
【請求項１１】
前記下搬送部において前記媒体収納庫に接続された収納搬送路と前記リジェクト搬送路とを接続し、前記媒体を前記主搬送方向に沿って搬送する下接続搬送路
をさらに具えることを特徴とする請求項１に記載の媒体処理装置。
【請求項１２】
前記第１受渡部において前記上搬送部の他端及び前記下搬送部の他端の間で前記媒体を受け渡すことができ、且つ前記第２受渡部において前記上搬送部の一端及び前記リジェクト搬送路の間で前記媒体を受け渡すことができる状態において、
前記鑑別部、前記上搬送部、前記下搬送部、前記リジェクト搬送路及び前記下接続搬送路は、環状搬送路を形成し、
前記上部ユニットの前記入出部及び前記一時保留部と、前記下部ユニットの前記媒体収納庫及び前記リジェクト庫とは、前記環状搬送路を挟んで互いに反対側に配置される
ことを特徴とする請求項１１に記載の媒体処理装置。
【請求項１３】
前記下部ユニットに対し着脱可能に構成され、内部に収納された前記媒体を前記媒体収納庫へ搬送して補充し、また前記媒体収納庫から搬送されてきた前記媒体を収納して回収する補充回収庫
をさらに具えることを特徴とする請求項１に記載の媒体処理装置。
【請求項１４】
前記制御部は、再利用可能な前記媒体を前記媒体収納庫及び前記補充回収庫に収納させるよう制御する
ことを特徴とする請求項１３に記載の媒体処理装置。
【請求項１５】
前記補充回収庫と前記下搬送部の一端との間で前記媒体を搬送する補充回収搬送路と、
前記下搬送部の一端と前記リジェクト搬送路とを接続し、前記媒体を前記主搬送方向に沿って搬送する下接続搬送路と、
前記下搬送部と前記補充回収搬送路との合流箇所に設けられ、前記補充回収搬送路及び前記下搬送部の間で前記媒体を搬送し、又は前記補充回収搬送路及び前記下接続搬送路の間で前記媒体を搬送するよう、該媒体の搬送経路を切り替える補充回収庫切替部と
をさらに具えることを特徴とする請求項１３に記載の媒体処理装置。
【請求項１６】
前記下部ユニットに対し着脱可能であり、前記媒体収納庫よりも小型に構成され、前記媒体を該媒体収納庫に収納される他の前記媒体と区別して収納する小型収納庫
をさらに具えることを特徴とする請求項１５に記載の媒体処理装置。
【請求項１７】
前記リジェクト搬送路及び前記小型収納庫と接続され、前記媒体を搬送する下分岐搬送路
をさらに具え、
前記小型収納庫は、前記媒体を排出する排出処理において前記入出部から取り忘れられた前記媒体を収納する
ことを特徴とする請求項１６に記載の媒体処理装置。
【請求項１８】
前記リジェクト庫及び前記小型収納庫は、前記主搬送方向のうち前記第２受渡部側に配置され、
前記補充回収庫は、前記リジェクト庫及び前記小型収納庫と複数の前記媒体収納庫との間に配置され、
複数の前記媒体収納庫、前記補充回収庫、前記リジェクト庫及び前記小型収納庫は、何れも前記下搬送部を挟んで前記上部ユニットと反対側に配置される
ことを特徴とする請求項１７に記載の媒体処理装置。
【請求項１９】
前記制御部は、前記鑑別部において再利用可能と鑑別された前記媒体を前記上搬送部から前記第１受渡部を介して前記媒体収納庫へ搬送させ、前記鑑別部において再利用すべきでないと鑑別された前記リジェクト媒体を前記上搬送部から前記第２受渡部を介して前記リジェクト庫へ搬送させる
ことを特徴とする請求項１に記載の媒体処理装置。
【請求項２０】
前記鑑別部における鑑別結果を記憶する記憶部
をさらに具え、
前記制御部は、前記入出部を介して前記媒体を外部から受け入れる受入処理において、前記媒体を前記入出部から前記上搬送部により前記鑑別部を介して前記一時保留部へ搬送させると共に当該鑑別部による前記媒体それぞれの鑑別結果を前記記憶部に記憶させ、当該記憶部に記憶されている前記媒体ごとの鑑別結果に応じて、前記一時保留部から繰り出させた前記媒体を前記媒体収納庫又は前記リジェクト庫へ搬送させる
ことを特徴とする請求項１９に記載の媒体処理装置。
【請求項２１】
前記下搬送部は、前記媒体の搬送路における一部分を、前記媒体を一時的に貯留する搬送路貯留部とし、
前記制御部は、前記上搬送部によって搬送される前記媒体を前記鑑別部において鑑別させ、前記リジェクト媒体を前記下搬送部へ搬送させて前記搬送路貯留部に貯留させ、他の前記媒体の少なくとも一部を前記一時保留部へ搬送して収納させる
ことを特徴とする請求項２０に記載の媒体処理装置。
【請求項２２】
前記上搬送部における前記入出部との接続部分に設けられ、前記鑑別部から前記上搬送部に沿って搬送されてくる前記媒体の搬送経路を前記入出部側又は前記リジェクト庫側に切り替える上切替部
をさらに具え、
前記制御部は、前記媒体を外部へ排出する排出処理において、前記媒体収納庫から繰り出した前記媒体を前記下搬送部及び前記上搬送部を介して前記入出部へ搬送させる際、前記鑑別部における前記鑑別結果を基に前記上切替部を切り替えさせて、外部へ排出すべきで無いと判断された前記媒体を前記リジェクト庫へ搬送させ、他の前記媒体を前記入出部へ搬送させる
ことを特徴とする請求項１に記載の媒体処理装置。
【請求項２３】
前記上搬送部における前記入出部と接続され、前記排出処理における前記上切替部よりも下流側に設けられたリジェクト切替部
をさらに具え、
前記リジェクト切替部は、外部から前記媒体を受け入れる受入処理において前記入出部から搬送されてくる該媒体を前記鑑別部へ搬送する搬送経路と、前記上切替部から搬送されてくる前記媒体を前記リジェクト庫へ搬送する搬送経路との何れかに切り替える
ことを特徴とする請求項２２に記載の媒体処理装置。
【請求項２４】
利用者との間で取引される紙葉状の媒体を主搬送方向に沿って搬送する上搬送部と、
前記上搬送部の一端側に接続され、前記媒体を入出する入出部と、
前記上搬送部の他端側に接続され、前記媒体を貯留する一時保留部と、
前記入出部及び前記一時保留部の間に配置され、前記上搬送部により搬送される前記媒体を鑑別する鑑別部と
を有する上部ユニットと、
前記媒体を前記主搬送方向に沿って搬送する下搬送部と、
前記下搬送部と接続され、再利用可能な前記媒体を収納する複数の媒体収納庫と、
前記鑑別部において再利用すべきでないと鑑別されたリジェクト媒体を収納するリジェクト庫と、
前記リジェクト庫と接続され前記媒体を搬送するリジェクト搬送路と
を有する下部ユニットと、
前記鑑別部の鑑別結果に基づいて前記媒体の搬送経路を制御する制御部と
を具え、
前記上部ユニット及び前記下部ユニットは、
前記上搬送部の他端及び前記下搬送部の他端の間で前記媒体を受け渡す第１受渡部と、
前記上搬送部の一端及び前記リジェクト搬送路の間で前記媒体を受け渡す第２受渡部と
を形成することを特徴とする媒体取引装置。
【発明の詳細な説明】
【技術分野】
【０００１】
本発明は媒体処理装置及び媒体取引装置に関し、例えば紙幣のような紙葉状の媒体を投入して所望の取引を行う現金自動預払機（ＡＴＭ：Automatic Teller Machine）等に適用して好適なものである。
【背景技術】
【０００２】
従来、金融機関等で使用される現金自動預払機においては、顧客との取引内容に応じて、例えば顧客に紙幣や硬貨等の現金を入金させる入金取引や、顧客へ現金を出金する出金取引等の各種取引を行うようになっている。また現金自動預払機の種類として、ある取引において顧客から入金された紙幣を次回以降の取引において再利用して他の顧客へ出金する、いわゆるリサイクル型（又は環流型）と呼ばれるものがある。
【０００３】
このようなリサイクル型の現金自動預払機として、例えば紙幣の入出金に関する処理を行う紙幣入出金機を搭載したものがある。この紙幣入出金機としては、例えば顧客との間で紙幣の授受を行う入出金部と、紙幣を搬送する搬送部と、投入された紙幣の金種及び真偽を鑑別する鑑別部と、投入された紙幣を一時的に保留する一時保留部と、金種ごとに紙幣を収納する紙幣収納庫と、再利用すべきでない紙幣を収納するリジェクト庫とを有するものが提案されている（例えば、特許文献１参照）。
【先行技術文献】
【特許文献】
【０００４】
【特許文献１】特開２０１６−０１２２５９号公報（図３）
【発明の概要】
【発明が解決しようとする課題】
【０００５】
ところで、かかる構成の紙幣入出金機では、紙幣収納庫における収納枚数の増大化や装置構成の小型化、或いは金融機関ごとに相違する仕様に応じた構成変更の容易さ等、様々な要求に応じて、内部における紙幣収納庫やリジェクト庫等の配置が決定されている。
【０００６】
しかしながら紙幣入出金機では、これらの要求に応じた結果、搬送路により紙幣を搬送する搬送経路の形状が複雑化し、また搬送距離も長くなる場合がある。このような場合、紙幣入出金機では、搬送中に紙幣を損傷させ、或いは紙幣を詰まらせる等といった搬送障害の発生頻度が高まり、またこのような搬送障害を解消するために煩雑な保守作業が必要となる、という問題があった。
【０００７】
本発明は以上の点を考慮してなされたもので、媒体の搬送経路を簡素に構成し得ると共に保守作業を簡素化し得る媒体処理装置及び媒体取引装置を提案しようとするものである。
【課題を解決するための手段】
【０００８】
かかる課題を解決するため本発明の媒体処理装置においては、紙葉状の媒体を主搬送方向に沿って搬送する上搬送部と、上搬送部の一端側に接続され、媒体を入出する入出部と、上搬送部の他端側に接続され、媒体を貯留する一時保留部と、入出部及び一時保留部の間に配置され、上搬送部により搬送される媒体を鑑別する鑑別部とを有する上部ユニットと、媒体を主搬送方向に沿って搬送する下搬送部と、下搬送部と接続され、再利用可能な媒体を収納する複数の媒体収納庫と、鑑別部において再利用すべきでないと鑑別されたリジェクト媒体を収納するリジェクト庫と、リジェクト庫と接続され媒体を搬送するリジェクト搬送部とを有する下部ユニットと、鑑別部の鑑別結果に基づいて媒体の搬送経路を制御する制御部とを設け、上部ユニット及び下部ユニットは、上搬送部の他端及び下搬送部の他端の間で媒体を受け渡す第１受渡部と、上搬送部の一端及びリジェクト搬送部の間で媒体を受け渡す第２受渡部とを形成するようにした。
【０００９】
また本発明の媒体取引装置においては、利用者との間で取引される紙葉状の媒体を主搬送方向に沿って搬送する上搬送部と、上搬送部の一端側に接続され、媒体を入出する入出部と、上搬送部の他端側に接続され、媒体を貯留する一時保留部と、入出部及び一時保留部の間に配置され、上搬送部により搬送される媒体を鑑別する鑑別部とを有する上部ユニットと、媒体を主搬送方向に沿って搬送する下搬送部と、下搬送部と接続され、再利用可能な媒体を収納する複数の媒体収納庫と、鑑別部において再利用すべきでないと鑑別されたリジェクト媒体を収納するリジェクト庫と、リジェクト庫と接続され媒体を搬送するリジェクト搬送部とを有する下部ユニットと、鑑別部の鑑別結果に基づいて媒体の搬送経路を制御する制御部とを設け、上部ユニット及び下部ユニットは、上搬送部の他端及び下搬送部の他端の間で媒体を受け渡す第１受渡部と、上搬送部の一端及びリジェクト搬送部の間で媒体を受け渡す第２受渡部とを形成するようにした。
【００１０】
本発明は、上部ユニット側の上搬送部及び下部ユニット側の下搬送部を第１受渡部において接続することにより、基幹となる搬送路を１回のみ折り返された直線状に形成でき、屈曲箇所の数を大幅に削減できると共に、搬送経路長も短く抑えることができる。このため本発明では、紙幣の搬送に伴う詰まり等の発生頻度を最小限に抑えて、各処理を円滑に進めることができると共に、保守作業において上部ユニット及び下部ユニットに分かれて配置された上搬送部及び下搬送部に対しそれぞれ容易にアクセスさせることができる。
【発明の効果】
【００１１】
本発明によれば、媒体の搬送経路を簡素に構成し得ると共に保守作業を簡素化し得る媒体処理装置及び媒体取引装置を実現できる。
【図面の簡単な説明】
【００１２】
【図１】現金自動預払機の外観構成を示す略線的斜視図である。
【図２】第１の実施の形態による紙幣入出金機の構成を示す略線図である。
【図３】紙幣入出金機における上部ユニット及び下部ユニットの引出を示す略線図である。
【図４】第１の実施の形態による上部ユニットの構成及び開閉の様子を示す略線図である。
【図５】第１の実施の形態による下部ユニットの構成を示す略線図である。
【図６】第１の実施の形態による模式化された紙幣入出金機の構成を示す略線図である。
【図７】第１の実施の形態による入金処理における紙幣の搬送を示す略線図である。
【図８】第１の実施の形態による収納処理における紙幣の搬送を示す略線図である。
【図９】第１の実施の形態による出金処理における紙幣の搬送を示す略線図である。
【図１０】第１の実施の形態による紙幣移動処理における紙幣の搬送を示す略線図である。
【図１１】第１の実施の形態による接客分離異常リトライオーバ処理における紙幣の搬送を示す略線図である。
【図１２】第２の実施の形態による紙幣入出金機の構成を示す略線図である。
【図１３】第２の実施の形態による上部ユニットの構成を示す略線図である。
【図１４】第２の実施の形態による下部ユニットの構成を示す略線図である。
【図１５】第２の実施の形態による模式化された紙幣入出金機の構成を示す略線図である。
【図１６】第２の実施の形態による入金処理における紙幣の搬送を示す略線図である。
【図１７】第２の実施の形態による収納処理における紙幣の搬送を示す略線図である。
【図１８】第２の実施の形態による出金処理における紙幣の搬送を示す略線図である。
【図１９】第２の実施の形態による紙幣移動処理における紙幣の搬送を示す略線図である。
【図２０】第２の実施の形態による接客分離異常リトライオーバ処理における紙幣の搬送を示す略線図である。
【図２１】第２の実施の形態による取忘取込処理における紙幣の搬送を示す略線図である。
【図２２】第２の実施の形態による束出金処理における紙幣の搬送を示す略線図である。
【図２３】第２の実施の形態による整理施封処理における紙幣の搬送を示す略線図である。
【図２４】第３の実施の形態による紙幣入出金機の構成を示す略線図である。
【図２５】第３の実施の形態による上部ユニットの構成を示す略線図である。
【図２６】第３の実施の形態による下部ユニットの構成を示す略線図である。
【図２７】第３の実施の形態による補充回収カセットの構成を示す略線的斜視図である。
【図２８】第３の実施の形態による模式化された紙幣入出金機の構成を示す略線図である。
【図２９】第３の実施の形態による入金処理における紙幣の搬送を示す略線図である。
【図３０】第３の実施の形態による収納処理における紙幣の搬送を示す略線図である。
【図３１】第３の実施の形態による出金処理における紙幣の搬送を示す略線図である。
【図３２】第３の実施の形態による補充処理における紙幣の搬送を示す略線図である。
【図３３】第３の実施の形態による回収処理における紙幣の搬送を示す略線図である。
【図３４】第３の実施の形態による紙幣移動処理における紙幣の搬送を示す略線図である。
【図３５】第３の実施の形態による接客分離異常リトライオーバ処理における紙幣の搬送を示す略線図である。
【図３６】第３の実施の形態による取忘取込処理における紙幣の搬送を示す略線図である。
【図３７】第４の実施の形態による紙幣入出金機の構成を示す略線図である。
【図３８】第４の実施の形態による上部ユニットの構成を示す略線図である。
【図３９】第４の実施の形態による下部ユニットの構成を示す略線図である。
【発明を実施するための形態】
【００１３】
以下、発明を実施するための形態（以下実施の形態とする）について、図面を用いて説明する。
【００１４】
［１．第１の実施の形態］
［１−１．現金自動預払機の全体構成］
図１に外観を示すように、媒体取引装置としての現金自動預払機１は、箱状の筐体２を中心に構成されており、例えば金融機関や各種商業施設等に設置され、利用者（すなわち金融機関や商業施設の顧客等）との間で、入金処理や出金処理等の現金に関する取引を行う。
【００１５】
筐体２は、その前側に顧客が対峙した状態で紙幣の投入やタッチパネルによる操作等をしやすい箇所に顧客応対部３が設けられている。顧客応対部３は、顧客との間で例えば現金やカード等を直接やり取りすると共に、取引に関する情報の通知や操作指示の受付を行うようになされており、カード入出口４、入出金口５、操作表示部６、テンキー７、及びレシート発行口８が設けられている。
【００１６】
カード入出口４は、キャッシュカード等の各種カードが挿入または排出される部分である。カード入出口４の奥側には、各種カードに磁気記録された口座番号等の読み取りを行うカード処理部（図示せず）が設けられている。入出金口５は、顧客によって入金される紙幣が投入されると共に、顧客へ出金する紙幣が排出される部分である。また入出金口５は、シャッタを駆動することにより開放又は閉塞するようになっている。因みに紙幣は、例えば長方形の紙により、紙葉状に構成されている。
【００１７】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１８】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００１９】
筐体２の内部には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２０】
因みに筐体２は、前面の下側部分が開放されており、且つこの開放された部分に開閉可能な前扉が設けられている。この前扉は、顧客との間で取引を行う運用時には、閉塞されると共に所定の錠（図示せず）により施錠され、作業員等により保守作業が行われる保守時には、この錠が解錠された上で開放される。筐体２は、前扉が開放された場合、紙幣入出金機１０の前側部分を外部に露出させた状態となる。
【００２１】
［１−２．紙幣入出金機の構成］
紙幣入出金機１０は、図２に側面図を示すように、内部に媒体としての紙幣に関する種々の処理を行う複数の部分が組み込まれている。紙幣入出金機１０は、大きく分けて、全体の外側部分を構成する紙幣入出金機フレーム１０Ｆと、該紙幣入出金機フレーム１０Ｆにおける上下方向のほぼ中央よりも上側部分を占める上部ユニット１０Ｕと、その下側部分を占める下部ユニット１０Ｌとにより構成されている。
【００２２】
紙幣入出金機フレーム１０Ｆは、筐体２（図１）の内部に取り付けられている。上部ユニット１０Ｕ及び下部ユニット１０Ｌは、この紙幣入出金機フレーム１０Ｆに対し、それぞれ前後方向に沿ったスライドレール（図示せず）を介して取り付けられている。このため紙幣入出金機１０では、筐体２の前扉が開放された状態において、図３（Ａ）及び（Ｂ）に示すように、紙幣入出金機フレーム１０Ｆに対し上部ユニット１０Ｕ及び下部ユニット１０Ｌをそれぞれ前方へ引き出すことができる。また紙幣入出金機１０では、上部ユニット１０Ｕ及び下部ユニット１０Ｌを後方へ押し込むことにより、図２に示したように、紙幣入出金機フレーム１０Ｆ内にそれぞれ格納することができる。
【００２３】
［１−３．上部ユニットの構成］
図２の一部を拡大した図４（Ａ）に示すように、上部ユニット１０Ｕには、全体を統括制御する紙幣制御部１１、接客部１２、接客搬送部１３、上前搬送部１４、鑑別部１５、上後搬送部１６、及び一時保留部１７が設けられている。
【００２４】
上部ユニット１０Ｕは、その前側部分において、上側前部に位置する接客部１２の前端を基準位置Ｐ０とすると、下側前部に位置する上前搬送部１４の前端がこの基準位置Ｐ０に揃えられている。また上部ユニット１０Ｕは、その後側部分において、上側後部に位置する一時保留部１７の後端である位置Ｐ１よりも、下側後部に位置する上後搬送部１６の後端である位置Ｐ２の方が後側に位置している。すなわち上部ユニット１０Ｕでは、基準位置Ｐ０から一時保留部１７における後端の位置Ｐ１までの距離Ｌ１よりも、該基準位置Ｐ０から上後搬送部１６における後端の位置Ｐ２までの距離Ｌ２の方が長くなっている。
【００２５】
制御部としての紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１１は、内部にＲＡＭ及びフラッシュメモリ等でなる記憶部を有しており、この記憶部に種々の情報を記憶させる。
【００２６】
［１−３−１．接客部及び接客搬送部の構成］
入出部としての接客部１２は、顧客との間で紙幣を受け渡す（授受する）ことにより、該顧客に紙幣を入金させ、又は該顧客に紙幣を出金する。この接客部１２は、上部ユニット１０Ｕの内部における前上部であり、現金自動預払機１（図１）内において顧客と対峙する位置に配置されている。
【００２７】
また接客部１２は、外側部分を構成する接客部フレーム３０の内部に、紙幣を収容する収容器３１を有している。収容器３１は、上側が開放された中空の直方体状に構成されており、例えば最大で２００枚の紙幣を、それぞれの紙面を前後方向に向けて前後方向に沿って整列させた状態、すなわち集積した状態で収容できる。因みに収容器３１の内部には、前後方向へ移動可能な板状の仕切板（図示せず）が設けられている。この仕切板は、収容器３１内の空間を前後方向に仕切り、また収容されている紙幣を前方向へ押し付けることにより、後述する紙幣の放出や分離を補助するようになっている。
【００２８】
また接客部フレーム３０における収容器３１の上側部分には、上下方向に貫通した孔部が形成されており、この孔部を可動式のシャッタ３２により開放又は閉塞し得るようになっている。因みにシャッタ３２は、筐体２の入出金口５（図１）に設けられたシャッタと連動するようになっている。このため接客部１２は、シャッタ３２を入出金口５のシャッタと共に開放した場合には、顧客に収容器３１内へ紙幣を投入させ、或いは該収容器３１内から紙幣を取り出させることができる。また接客部１２は、シャッタ３２を入出金口５のシャッタと共に閉塞した場合には、収容器３１内に収容されている紙幣を保護することができる。
【００２９】
収容器３１の前下側には、収容器３１内に収容されている紙幣を１枚ずつに分離して下方へ搬送する分離部３１Ｓが設けられている。分離部３１Ｓの下側には、紙幣を案内する搬送ガイドや回転する搬送ローラ等により、概ね上下方向に沿った搬送路３３が形成されている。接客部１２は、分離部３１Ｓにより分離された紙幣を搬送路３３に沿って下方へ搬送し、下側に位置する上前搬送部１４に引き渡す。
【００３０】
また接客部１２には、分離部３１Ｓの下側における左右方向に離れた複数箇所に複数の光学センサ（図示せず）が配置されている。各光学センサは、搬送路３３を挟んで互いに対向する位置に、所定の検知光を発光する発光素子と、該検知光を受光してその光量に応じた検知信号を生成し、これを紙幣制御部１１に供給する受光素子とにより構成されている。この検知光は、搬送路３３に沿って搬送される紙幣により遮断されると、受光素子に到達した段階での光量が変化することになる。
【００３１】
紙幣制御部１１は、各光学センサから得られる検知信号の変化を基に、紙幣が搬送されているか否か、搬送されている紙幣の搬送方向に沿った長さが１枚の紙幣における短辺の長さに相当するか否か、或いは左右で検知信号が変化するタイミングが一致するか否か等を判断する。
【００３２】
ここで紙幣の搬送方向に沿った長さが１枚の紙幣における短辺の長さを大きく超えている場合、搬送路３３では、２枚以上の紙幣が一部を重ねた状態で連なって搬送される、いわゆる重送が発生している可能性がある。また、左右で検知信号が変化するタイミングが一致していない場合、左右方向に対して紙幣の長辺が大きく傾斜した、いわゆるスキューが発生している可能性がある。説明の都合上、以下では、分離部３１Ｓにより分離された紙幣に重送やスキューが発生することを分離異常と呼ぶ。
【００３３】
また接客部１２では、分離部３１Ｓにおいて分離された紙幣に分離異常が発生した場合であっても、該紙幣を搬送路３３に沿って逆送させて収容器３１内に戻し、再び分離部３１Ｓによって分離させることにより、分離異常を解消できる可能性がある。
【００３４】
そこで紙幣制御部１１は、各光学センサから得られる検知信号を基に、接客部１２の分離部３１Ｓにおいて分離異常が発生したと判断した場合、この紙幣を搬送路３３に沿って逆送させ、収容器３１内に戻してから再び分離部３１Ｓにより分離させる（すなわちリトライする）ようになっている。説明の都合上、以下ではこのような動作を接客分離異常リトライ処理と呼ぶ。
【００３５】
また収容器３１の後下側には、紙幣を収容器３１内へ放出する放出部３１Ｅが設けられている。放出部３１Ｅの下側には、下側に配置された接客搬送部１３との間に、複数の搬送ガイド及び搬送ローラ等により、概ね上下方向に沿って搬送路３４が形成されている。接客部１２では、接客搬送部１３から紙幣を受け取ると、この紙幣を搬送路３４に沿って上方へ進行させ、放出部３１Ｅから収容器３１内へ放出することにより、該収容器３１内に集積させることができる。
【００３６】
接客搬送部１３は、接客部１２における下側部分のうち後側の約半分を占める位置に配置されている。この接客搬送部１３には、その前側部分、すなわち接客部１２における搬送路３４の下側であって、且つ上前搬送部１４における後端近傍の上側となる部分に、駆動ローラ３６等の複数の搬送ローラや複数の搬送ガイドが設けられ、これにより搬送路３７及び搬送路３８が形成されている。
【００３７】
駆動ローラ３６は、図示しないモータから図示しないギア等を介して駆動力が供給されることにより、所定方向へ回転する。搬送路３７は、駆動ローラ３６の上側において概ね上下方向に沿って形成されており、その上端が接客部１２における搬送路３４の下端と接続されている。搬送路３８は、該駆動ローラ３６の下側において概ね上下方向に沿って形成しており、その下端が上前搬送部１４と接続されている。因みに搬送路３７及び搬送路３８は、駆動ローラ３６を含む複数の搬送ローラや複数の搬送ガイド等により構成されている。
【００３８】
かかる構成により接客搬送部１３は、下側の上前搬送部１４から紙幣を受け取ると、これを搬送路３８及び３７に沿って上方へ進行させ、接客部１２の搬送路３４に引き渡すことができる。説明の都合上、以下では搬送路３８及び３７を上排出搬送路とも呼ぶ。
【００３９】
［１−３−２．上前搬送部の構成］
上前搬送部１４は、上部ユニット１０Ｕにおける下側部分のうち前側の約１／３の範囲を占めており、接客部１２及び接客搬送部１３の下側における前寄りの部分に位置している。この上前搬送部１４には、その内部における比較的前寄りに上前第１切替部４１が配置されると共に、比較的後寄りに上前第２切替部４２が配置されており、その周囲に複数の搬送ローラ及び複数の搬送ガイドにより搬送路が３本ずつ形成されている。
【００４０】
上前第１切替部４１は、ブレードと呼ばれる部材（図中三角形で示す）及びその周囲に配置された複数のローラにより構成されている。ブレードは、左右方向に長く、且つ左右方向から見て楔形に形成されており、回転して傾斜方向を変化させることで、紙幣の搬送方向を２通りに切り替える。各ローラは、紙幣の搬送路を挟んで互いに対向するように配置されている。リジェクト切替部としての上前第１切替部４１は、紙幣制御部１１の制御に従い、各紙幣の搬送先に応じてブレードの傾斜方向を変化させると共に各ローラを所定の回転方向へ回転させることにより、紙幣の搬送経路を適宜切り替えて所望の搬送先へ搬送することができる。
【００４１】
上前第１切替部４１の周囲には、該上前第１切替部４１から上方へ向かい接客部１２の搬送路３３と接続された搬送路４３、該上前第１切替部４１から後方へ向かい上前第２切替部４２と接続された搬送路４４、及び該上前第１切替部４１から下方へ向かう搬送路４５が形成されている。因みに搬送路４５の下端は、上部ユニット前受渡口Ｔ１２となっており、後述するように、下部ユニット１０Ｌとの間で紙幣を受け渡すことができる。
【００４２】
この上前第１切替部４１は、紙幣制御部１１の制御に基づき、上側の搬送路４３及び後側の搬送路４４を接続する搬送経路と、後側の搬送路４４及び下側の搬送路４５を接続する搬送経路とを切り替えることができる。
【００４３】
上切替部としての上前第２切替部４２は、上前第１切替部４１と同様に構成されている。この上前第２切替部４２の周囲には、上述した搬送路４４に加えて、該上前第２切替部４２から上斜め後方へ向かい接客搬送部１３の搬送路３８に接続された搬送路４６、及び該上前第２切替部４２から後方へ向かい鑑別部１５の前側に接続された搬送路４７が設けられている。
【００４４】
この上前第２切替部４２は、紙幣制御部１１の制御に基づき、後側の搬送路４７及び上側の搬送路４６を接続する搬送経路と、後側の搬送路４７及び前側の搬送路４４を接続する搬送経路とを切り替えることができる。
【００４５】
かかる構成により上前搬送部１４は、紙幣制御部１１の制御に基づいて上前第１切替部４１及び上前第２切替部４２における搬送経路をそれぞれ適切に切り替えることにより、様々な搬送経路に沿って紙幣を搬送することができる。
【００４６】
すなわち上前搬送部１４は、例えば接客部１２の搬送路３３から紙幣が搬送されてきた場合、この紙幣を搬送路４３、４４及び４７に沿って進行させ、後側の鑑別部１５に引き渡すことができる。また上前搬送部１４は、例えば鑑別部１５から紙幣が搬送されてきた場合、この紙幣を搬送路４７及び４６に沿って進行させ、上側の接客搬送部１３に引き渡すことや、この紙幣を搬送路４７，４４及び４５に沿って進行させ、下側の下部ユニット１０Ｌ（図２）に引き渡すことができる。
【００４７】
また上前搬送部１４は、搬送路４５、４４及び４７を分割線として、上側の上前搬送上部１４Ｕと、下側の上前搬送下部１４Ｌとに分割し得るように構成されている。さらに上前搬送部１４は、その前下端近傍に設けられた上前搬送部回動軸１４Ｘを回動中心として、上前搬送下部１４Ｌに対し上前搬送上部１４Ｕを回動し得るようになっている。
【００４８】
このため上前搬送部１４は、上部ユニット１０Ｕが紙幣入出金機フレーム１０Ｆの前方へ引き出された上で（図３（Ａ））、上前搬送上部１４Ｕを接客部１２及び接客搬送部１３と一体に矢印Ｒ１方向へ回動させることにより、図４（Ｂ）に示すように、搬送路４５、４４及び４７を外部に露出させること、すなわち開放させることができる。また上前搬送部１４は、この状態から上前搬送上部１４Ｕを矢印Ｒ２方向へ回動させることにより、図４（Ａ）に示した状態に戻して、搬送路４５、４４及び４７を外部から遮蔽すること、すなわち閉塞することができる。
【００４９】
［１−３−３．鑑別部の構成］
鑑別部１５は、上部ユニット１０Ｕにおける下側部分のうち中央付近の約１／３の範囲を占めており、接客部１２及び接客搬送部１３よりも下側であって、且つ上前搬送部１４の後側に位置している。この鑑別部１５は、その内部において、複数の搬送ガイドや搬送ローラ等により、前端１５Ｆ及び後端１５Ｒを直線状に結ぶ、すなわち前後方向に貫通するような直線状の鑑別搬送路４８が形成されている。そのうえで鑑別部１５は、この鑑別搬送路４８に沿って前方から後方へ向けて真偽センサ４９Ａ、イメージセンサ４９Ｂ及び走行センサ４９Ｃといった複数種類のセンサ４９が順次配置されている。
【００５０】
真偽センサ４９Ａは、例えば磁気センサでなり、搬送経路上を搬送される紙幣の磁気を検知し、その検知結果を紙幣制御部１１へ送出する。紙幣制御部１１は、真偽センサ４９Ａから供給された検知結果を基に、紙幣が真正なもの（いわゆる真券）又は偽造されたもの（いわゆる偽券）の何れであるかを判断する。
【００５１】
また真偽センサ４９Ａは、上前搬送部１４の上前第２切替部４２との距離が極めて短くなるよう設置されている。このため上部ユニット１０Ｕでは、紙幣を鑑別部１５の鑑別搬送路４８に沿って前方へ搬送し、当該紙幣から得られた検知結果を基に紙幣制御部１１により該紙幣の真偽が判断される前に、当該紙幣の先端が上前第２切替部４２に到達する場合がある。
【００５２】
イメージセンサ４９Ｂは、鑑別搬送路４８を挟んで対向する２個の撮像素子を有している。この撮像素子は、鑑別搬送路４８に沿って搬送される紙幣の両面をそれぞれ撮像して画像データを生成し、これらを紙幣制御部１１へ送出する。紙幣制御部１１は、予め記憶している金種ごとの画像データと供給された画像データとを比較することにより、各紙幣の金種や損傷の程度等を認識し、さらに各紙幣に記されている個別の記番号を認識するようになっている。
【００５３】
走行センサ４９Ｃは、例えば厚みセンサ及び光学センサを有している。厚みセンサは、鑑別搬送路４８に沿って搬送される紙幣の厚みを検知し、その検知結果を紙幣制御部１１へ供給する。紙幣制御部１１は、厚みセンサから供給された検知結果を基に、搬送されている紙幣の厚みが１枚分に相当するか、或いは２枚以上に相当するかを判断するようになっている。
【００５４】
光学センサは、例えば光を発光する発光素子とこの光を受光する受光素子とが鑑別搬送路４８を挟んで対向するように配置されており、当該鑑別搬送路４８に沿って搬送される紙幣により光が遮光されたか否かを検知し、その検知結果を紙幣制御部１１へ送出する。
【００５５】
また走行センサ４９Ｃには、複数の光学センサが左右方向、すなわち搬送方向である前後方向と交差する方向に沿って配置されている。紙幣制御部１１は、各光学センサから供給された検知結果及びその時間的な変化等を基に、搬送されている紙幣の搬送方向に沿った長さ、搬送方向に沿った紙幣同士の間隔、及び搬送方向に対する紙幣の傾斜を認識するようになっている。
【００５６】
すなわち走行センサ４９Ｃは、厚みセンサ及び各光学センサの検知結果をそれぞれ紙幣制御部１１へ供給することにより、紙幣同士の間隔、搬送方向に対する紙幣の傾き（いわゆるスキュー）の有無、及び紙幣同士の重なり（いわゆる重送や連鎖）の有無等といった紙幣の搬送状態を当該紙幣制御部１１に認識させるようになっている。
【００５７】
このように鑑別部１５は、各センサ４９（真偽センサ４９Ａ、イメージセンサ４９Ｂ及び走行センサ４９Ｃ）により、鑑別搬送路４８に沿って搬送される紙幣からそれぞれ得られる検知結果を鑑別結果として紙幣制御部１１へ送出するようになっている。これに応じて紙幣制御部１１は、この鑑別結果を基に紙幣の金種、真偽、正損（損傷しているか否か）を判断すると共に搬送状態を認識し、得られた結果を基に該紙幣の搬送先を決定するようになっている。
【００５８】
［１−３−４．上後搬送部の構成］
上後搬送部１６は、上部ユニット１０Ｕにおける下側部分のうち後側の約１／３の範囲を占めており、鑑別部１５の後側に位置している。この上後搬送部１６は、その内部における中央付近に上後切替部５１が配置されており、その周囲に複数の搬送ローラ及び複数の搬送ガイドにより３本の搬送路が形成されている。
【００５９】
一時保留切替部としての上後切替部５１は、上述した上前第１切替部４１等と同様に、中心に位置するブレードを回転させて傾斜角度を変化させるものの、該上前第１切替部４１等と異なり、紙幣の搬送経路を３通りに切り替える、いわゆる３ウェイブレードとなっている。
【００６０】
上後搬送部１６には、上後切替部５１に接続された搬送路として、該上後切替部５１から前方へ向かい鑑別部１５に接続された搬送路５２、該上後切替部５１から上方へ向かい一時保留部１７と接続された搬送路５３、及び該上後切替部５１から後方へ向かい、さらに下方へ向かう搬送路５４が形成されている。因みに搬送路５４の下端は、上部ユニット後受渡口Ｔ１１となっており、後述するように、下部ユニット１０Ｌとの間で紙幣を受け渡すことができる。
【００６１】
このため上後切替部５１は、紙幣制御部１１の制御に基づき、前側の搬送路５２及び上側の搬送路５３を接続する搬送経路と、上側の搬送路５３及び後側の搬送路５４を接続する搬送経路と、前側の搬送路５２及び後側の搬送路５４を接続する搬送経路とを切り替えることができる。
【００６２】
すなわち上後搬送部１６は、例えば前側の鑑別部１５から紙幣が搬送されてきた場合、この紙幣を搬送路５２及び５３に沿って進行させ、上側の一時保留部１７に引き渡すこと、又は搬送路５２及び５４に沿って進行させ、下側の下部ユニット１０Ｌ（図２）に引き渡すことができる。また上後搬送部１６は、例えば上側の一時保留部１７から紙幣が搬送されてきた場合、この紙幣を搬送路５３及び５２に沿って進行させ、前側の鑑別部１５に引き渡すこと、又は搬送路５３及び５４に沿って進行させ、下側の下部ユニット１０Ｌ（図２）に引き渡すことができる。さらに上後搬送部１６は、例えば下側の下部ユニット１０Ｌ（図２）から紙幣が搬送されてきた場合、この紙幣を搬送路５４及び５３に沿って進行させ、上側の一時保留部１７に引き渡すこと、又は搬送路５４及び５２に沿って進行させ、前側の鑑別部１５に引き渡すことができる。
【００６３】
また上後搬送部１６は、上前搬送部１４と同様に、搬送路５２及び５４を分割線として、上側の上後搬送上部１６Ｕと、下側の上後搬送下部１６Ｌとに分割し得るように構成されている。さらに上後搬送部１６は、その後下端近傍に設けられた上後搬送部回動軸１６Ｘを回動中心として、上後搬送下部１６Ｌに対し上後搬送上部１６Ｕを回動し得るようになっている。
【００６４】
このため上後搬送部１６は、上部ユニット１０Ｕが紙幣入出金機フレーム１０Ｆの前方へ引き出された上で（図３（Ａ））、上後搬送上部１６Ｕを一時保留部１７と一体に矢印Ｒ２方向へ回動させることにより、図４（Ｂ）に示すように、搬送路５２及び５４を外部に露出させること、すなわち開放させることができる。また上後搬送部１６は、この状態から上後搬送上部１６Ｕを矢印Ｒ１方向へ回動させることにより、図４（Ａ）に示した状態に戻して、搬送路５２及び５４を外部から遮蔽すること、すなわち閉塞することができる。
【００６５】
ところで上部ユニット１０Ｕにおける下側部分では、上前搬送部１４の搬送路４４及び４７、鑑別部１５の鑑別搬送路４８、並びに上後搬送部１６の搬送路５２及び５４により、前後方向に沿って概ね一直線状となる一本の搬送路が形成されている。そこで以下では、この搬送路を上基幹搬送路ＷＵ（図２）又は上搬送路と呼び、また前側の上前搬送部１４、中程の鑑別部１５及び後側の上後搬送部１６をまとめて上搬送部１０ＵＣ（図４（Ａ））とも呼ぶ。この上基幹搬送路ＷＵは、上部ユニット１０Ｕにおける前後方向（以下これを主搬送方向とも呼ぶ）に関する一端側である後側の上部ユニット後受渡口Ｔ１１と、他端側である前側の上部ユニット前受渡口Ｔ１２とを結ぶ搬送路となっている。
【００６６】
因みに上部ユニット１０Ｕでは、図４（Ｂ）に示したように上前搬送上部１４Ｕ及び上後搬送上部１６Ｕをそれぞれ開放することにより、上基幹搬送路ＷＵのうち上前搬送部１４内の部分及び上後搬送部１６内の部分である上前搬送路ＷＵ１４及び上後搬送路ＷＵ１６を、それぞれ外部に露出させ得ることになる。
【００６７】
［１−３−５．一時保留部の構成］
一時保留部１７は、いわゆるテープエスクロ方式を採用しており、ドラム５５、一時保留搬送路５６、リール５７、テープ５８及び走行監視センサ５９等を有している。
【００６８】
ドラム５５は、中心軸を左右方向に向けた円筒状に形成されており、回転可能に支持されている。このドラム５５は、紙幣制御部１１により制御されるモータ（図示せず）からの駆動力が伝達されることにより、巻取方向Ｕ１又は巻戻方向Ｕ２へ回転される。このモータは、例えばステッピングモータやＤＣブラシレスモータ等となっている。このため紙幣制御部１１は、これらのモータの正確な回転角度を把握しており、またこれに所定の係数を乗じる等の演算処理を施すことにより、ドラム５５の回転数や回転角度に加えて、周側面に対するテープ５８の巻付距離（すなわち長さ）も把握している。
【００６９】
一時保留搬送路５６は、複数のローラや搬送ガイド等の組合せにより構成されており、一時保留部１７の筐体における下端の中央近傍とドラム５５の周側面近傍とを結んでいる。リール５７は、中心軸を左右方向に向けた糸巻き状に形成されており、回転可能に支持されている。テープ５８は、薄く細長いフィルム状に形成されており、リール５７の周側面に巻き取られている。リール５７から引き出されたテープ５８は、筐体内を適宜走行するよう引き回された後、一時保留搬送路５６に沿ってドラム５５の周側面に近接し、やがて該ドラム５５の周側面に到達して巻き付けられる。このテープ５８の先端は、ドラム５５の周側面に固定されている。
【００７０】
一時保留検知部としての走行監視センサ５９は、鑑別部１５の走行センサ４９Ｃに設けられた光学センサと同様に構成されており、紙幣の搬送状態を検知して、その検知結果を紙幣制御部１１へ送出する。これに応じて紙幣制御部１１は、一時保留搬送路５６によって搬送される紙幣同士の間隔やスキューの有無、紙幣の重なりや搬送方向の長さ等を認識することができる。
【００７１】
かかる構成において一時保留部１７は、上後搬送部１６から受け取った紙幣を順次収納する収納処理を行う場合、一時保留搬送路５６により当該紙幣を上方へ搬送すると共にドラム５５を巻取方向Ｕ１に回転させ、当該ドラム５５の周側面にテープ５８と共に紙幣を巻き付ける。
【００７２】
このとき一時保留部１７は、一時保留搬送路５６における紙幣の搬送速度を上後搬送部１６に合わせており、またドラム５５の回転速度を調整することでテープ５８の走行速度及び当該ドラム５５における最外周部分の線速度も当該紙幣の搬送速度に揃えている。このため一時保留部１７は、上後搬送部１６から順次搬送されてくる紙幣の搬送方向に対するスキューや紙幣同士の間隔を維持したまま、すなわち搬送状態を維持したまま、各紙幣をテープ５８と共にドラム５５の周側面に巻き付け、収納していくことができる。
【００７３】
また一時保留部１７は、上後搬送部１６へ紙幣を順次繰り出す繰出処理を行う場合、リール５７を所定の方向に回転させてテープ５８を巻き取らせると共にドラム５５を巻戻方向Ｕ２へ回転させることにより、ドラム５５の周囲に巻き付いていた紙幣をテープ５８と共に引き剥がして一時保留搬送路５６に引き渡す。一時保留搬送路５６は、この紙幣を下方へ搬送して上後搬送部１６へ引き渡す。
【００７４】
このとき一時保留部１７は、やはり一時保留搬送路５６における紙幣の搬送速度を上後搬送部１６に合わせ、且つテープ５８の走行速度及びドラム５５における最外周部分の線速度も当該紙幣の搬送速度に揃えている。このため一時保留部１７は、紙幣をドラム５５の周側面に巻き付けたときの搬送状態、すなわち紙幣の搬送方向に対するスキューや紙幣同士の間隔を維持したまま、各紙幣を収納時と反対の順序で順次繰り出し、上後搬送部１６に引き渡していくことができる。
【００７５】
このように一時保留部１７は、紙幣をテープ５８と共にドラム５５の周側面に巻き付けることにより、搬送状態を保ったまま紙幣を収納し、またドラム５５を巻き戻して当該紙幣を引き剥がすことにより、搬送状態を保ったまま繰り出すようになっている。
【００７６】
［１−４．下部ユニットの構成］
図２の一部を拡大した図５に示すように、下部ユニット１０Ｌにおける上端部分には、概ね前後方向に沿って紙幣を搬送する下搬送部２１が配置されている。該下搬送部２１の下側における後側ないし中程には、後端から前方向へ向けて、再利用（リサイクル）が可能な紙幣を収納する４個の紙幣収納庫２２（２２Ｄ、２２Ｃ、２２Ｂ及び２２Ａ）が前後方向に沿って配置されている。さらに下搬送部２１の下側における最も前側の部分、すなわち紙幣収納庫２２Ａの前側には、再使用すべきでない紙幣（リジェクト紙幣）を収納するリジェクト庫２３が配置されている。
【００７７】
下部ユニット１０Ｌ（図２）は、上部ユニット１０Ｕと共に紙幣入出金機フレーム１０Ｆ内に格納された状態において、その前端が該上部ユニット１０Ｕの前端である基準位置Ｐ０に揃えられ、その後端が該上部ユニット１０Ｕにおける上後搬送部１６の後端である位置Ｐ２に揃えられている。
【００７８】
［１−４−１．下搬送部の構成］
下搬送部２１（図５）には、その内部における後端近傍であって、紙幣収納庫２２Ｄのほぼ真上となる位置に、切替部６１が配置されている。また下搬送部２１には、切替部６１の前方であって紙幣収納庫２２Ｃのほぼ真上となる箇所に切替部６２が配置され、さらに該切替部６２の前方であって紙幣収納庫２２Ｂのほぼ真上となる箇所に切替部６３が配置されている。
【００７９】
切替部６１〜６３は、何れも上部ユニット１０Ｕ（図４）の上前第１切替部４１等と同様に構成されており、紙幣制御部１１の制御に基づいてブレードの傾斜方向を変化させ、紙幣の搬送経路を切り替えるようになっている。また切替部６１、６２及び６３の周囲には、上前第１切替部４１等の場合と同様に、その周囲に複数の搬送ローラ及び複数の搬送ガイドにより搬送路が３本ずつ形成されている。
【００８０】
切替部６１の周囲には、該切替部６１から上方へ向かう搬送路７１、該切替部６１から下方へ向かい紙幣収納庫２２Ｄと接続された搬送路７２、及び該切替部６１から前方へ向かい切替部６２と接続された搬送路７３が形成されている。この切替部６１は、上側の搬送路７１及び下側の搬送路７２を接続する搬送経路と、上側の搬送路７１及び前側の搬送路７３を接続する搬送経路とを切り替えることができる。因みに搬送路７１の上端は、下部ユニット後受渡口Ｔ２１となっており、上述した上部ユニット１０Ｕの上部ユニット後受渡口Ｔ１１（図４）との間で紙幣を受け渡すことができる。
【００８１】
切替部６２の周囲には、上述した搬送路７３に加えて、該切替部６２から下方へ向かい紙幣収納庫２２Ｃと接続された搬送路７４、及び該切替部６２から前方へ向かい切替部６３に接続された搬送路７５が設けられている。この切替部６２は、後側の搬送路７３及び下側の搬送路７４を接続する搬送経路と、前側の搬送路７３及び後側の搬送路７５を接続する搬送経路とを切り替えることができる。
【００８２】
切替部６３の周囲には、上述した搬送路７５に加えて、該切替部６３から下方へ向かい紙幣収納庫２２Ｂと接続された搬送路７６、及び該切替部６３から前方へ向かい紙幣収納庫２２Ａの上側に到達する搬送路７７が設けられている。この搬送路７７は、該紙幣収納庫２２Ａの上側において、上下方向に沿って形成された搬送路７８に接続されている。この搬送路７８の下端は、紙幣収納庫２２Ａに接続されている。この切替部６３は、後側の搬送路７５及び下側の搬送路７６を接続する搬送経路と、前側の搬送路７５及び後側の搬送路７７を接続する搬送経路とを切り替えることができる。
【００８３】
すなわち下搬送部２１は、例えば上部ユニット１０Ｕ（図４）から下部ユニット後受渡口Ｔ２１を介して紙幣が搬送されてきた場合、この紙幣を搬送路７１及び７２に沿って進行させ、下側の紙幣収納庫２２Ｄに引き渡すことができる。この他に下搬送部２１は、この紙幣を搬送路７１、７３及び７４に沿って進行させ、下側の紙幣収納庫２２Ｃに引き渡すことや、搬送路７１、７３、７５及び７６に沿って進行させ、下側の紙幣収納庫２２Ｂに引き渡すこと、或いは搬送路７１、７３、７５、７７及び７８に沿って進行させ、下側の紙幣収納庫２２Ａに引き渡すこともできる。
【００８４】
これと同様に下搬送部２１は、これらの４通りの搬送経路に沿って紙幣を反対方向へ進行させることにより、紙幣収納庫２２Ｄ、２２Ｃ、２２Ｂ又は２２Ａから受け取った紙幣を下部ユニット後受渡口Ｔ２１へ搬送し、上部ユニット１０Ｕ（図４）へ引き渡すこともできる。
【００８５】
これを他の観点から見ると、下搬送部２１は、搬送路７３、７５及び７７により、前後方向に沿って概ね一直線状となる一本の搬送路が形成されている。そこで以下では、この搬送路を下基幹搬送路ＷＬ（図２）とも呼ぶ。
【００８６】
さらに上前搬送部１４における前側部分であって、リジェクト庫２３のほぼ真上となる箇所には、複数の搬送ローラ及び複数の搬送ガイドにより、上下方向に沿った搬送路８０が形成されている。リジェクト搬送路としての搬送路８０の上端は、下部ユニット前受渡口Ｔ２２となっており、上述した上部ユニット１０Ｕの上部ユニット前受渡口Ｔ１２（図４）との間で紙幣を受け渡すことができる。搬送路８０の下端は、リジェクト庫２３と接続されている。
【００８７】
［１−４−２．紙幣収納庫及びリジェクト庫の構成］
紙幣収納庫２２（２２Ａ、２２Ｂ、２２及び２２Ｄ）は、何れも同様に構成されており、上下方向に長い直方体状に形成されている。紙幣収納庫２２の内部には、紙幣を集積して収納する収納空間、該収納空間の上側に配置され紙幣の分離処理及び放出処理を行う分離放出部、及び該分離放出部と紙幣収納庫２２の上端との間で紙幣を搬送する収納庫搬送部等が設けられている。また各紙幣収納庫２２は、それぞれ収納すべき紙幣の金種が予め設定されている。
【００８８】
紙幣収納庫２２は、紙幣を収納する収納処理を行う場合、上側の下搬送部２１から紙幣を受け取ると、この紙幣を収納庫搬送部により分離放出部へ搬送して収納空間内へ放出し、該収納空間内に集積した状態で収納する。また紙幣収納庫２２は、紙幣を繰り出す繰出処理を行う場合、収納空間内に集積された紙幣を分離放出部により１枚ずつに分離し、これを収納庫搬送部により上方へ搬送して上側の下搬送部２１に引き渡すことにより繰り出す。因みに紙幣収納庫２２は、紙幣制御部１１の制御により、繰出処理のみを行う出金庫として動作することや、収納処理のみを行う入金庫として動作することもできる。
【００８９】
一方、リジェクト庫２３は、直方体状に形成されているものの、紙幣収納庫２２と比較して、左右方向の長さがほぼ同等である一方、上下方向の長さがやや短く、また前後方向の長さが半分程度に短縮されている。このリジェクト庫２３は、紙幣収納庫２２と類似した構成となっており、紙幣を集積して収納する収納空間、該収納空間の上側に配置され紙幣の放出処理を行う放出部、及び該放出部とリジェクト庫２３の上端との間で紙幣を搬送するリジェクト庫搬送部等が設けられている。すなわちリジェクト庫２３は、集積されて紙幣を１枚ずつに分離して繰り出す分離機能を有していない。
【００９０】
リジェクト庫２３は、リジェクト紙幣（以下、これをリジェクト媒体とも呼ぶ）が下搬送部２１により搬送されて来ると、当該紙幣を内部に収納する収納処理として、この紙幣を下搬送部２１から受け取り、リジェクト庫搬送部により放出部へ搬送して収納空間内へ放出し、該収納空間内に集積した状態で収納する。
【００９１】
因みに各紙幣収納庫２２及びリジェクト庫２３は、いわゆるカセットとして構成されており、下部ユニット１０Ｌに形成されたスロット（図示せず）に対し、装填し又は取り出し得るようになっている。すなわち各紙幣収納庫２２及びリジェクト庫２３は、紙幣入出金機フレーム１０Ｆから下部ユニット１０Ｌが引き出された状態で（図３（Ｂ））、スロットから引き抜かれ、或いは当該スロットに装填される。
【００９２】
スロットから取り外された紙幣収納庫２２は、金融機関の職員等により、所定の場所へ運搬された後、その内部に収納されていた紙幣が取り出され、或いは紙幣が収納される。このとき収納される紙幣は、所定の紙幣処理装置等により金種、真偽、損傷の程度等が鑑別されたものであり、出金処理において顧客へ出金し得るような良好な状態となっている。
【００９３】
またスロットから取り外されたリジェクト庫２３は、金融機関の職員等により、その内部に収納されていた紙幣（すなわちリジェクト紙幣）が取り出され、回収される。すなわちリジェクト庫２３は、下部ユニット１０Ｌのスロット（図示せず）に装填される場合には、内部に紙幣を収納していない状態、すなわち空の状態となっている。
【００９４】
［１−５．紙幣入出金機における各種処理］
次に、図６に示すように紙幣入出金機１０（図２、図４及び図５）を模式化した上で、該紙幣入出金機１０における紙幣の搬送を伴う種々の処理、すなわち入金処理及び出金処理等について、それぞれ詳細に説明する。
【００９５】
紙幣入出金機１０は、紙幣入出金機フレーム１０Ｆ（図２）に上部ユニット１０Ｕ及び下部ユニット１０Ｌが格納されることにより、その後端近傍において上部ユニット後受渡口Ｔ１１（図４）及び下部ユニット後受渡口Ｔ２１（図５）を接続し、これにより両者の間で紙幣を受け渡す後受渡部Ｃ１（図２、図６）を形成している。またこのとき紙幣入出金機１０は、その前端近傍において、上部ユニット前受渡口Ｔ１２（図４）及び下部ユニット前受渡口Ｔ２２（図５）を接続し、これにより両者の間で紙幣を受け渡す前受渡部Ｃ２（図２、図６）を形成している。
【００９６】
図６では、接客部１２、鑑別部１５、一時保留部１７、紙幣収納庫２２（２２Ａ〜２２Ｄ）及びリジェクト庫２３（以下、これらを単にモジュールとも呼ぶ）を、それぞれ単純な長方形により表している。また図６では、上前搬送部１４の上前第１切替部４１及び上前第２切替部４２、上後搬送部１６の上後切替部５１、並びに下搬送部２１の切替部６１、６２及び６３（以下、これらを単に切替部とも呼ぶ）を、それぞれ単純な三角形により表している。
【００９７】
さらに図６では、各モジュール及び各切替部をそれぞれ結ぶ搬送路を線分（すなわち直線、曲線又はこれらの組合せ）により表している。ただしこの図６では、一部において、各モジュールや各搬送部において互いに接続された複数の搬送路をまとめて１つの搬送路としている。
【００９８】
すなわち、搬送路Ｗ１は、接客部１２の搬送路３３及び上前搬送部１４の搬送路４３に相当する。搬送路Ｗ２は、上前搬送部１４の搬送路４４に相当する。搬送路Ｗ３は、上前搬送部１４の搬送路４５及び下搬送部２１の搬送路８０に相当する。搬送路Ｗ４は、上前搬送部１４の搬送路４６、接客搬送部１３の搬送路３８及び３７、並びに接客部１２の搬送路３４に相当する。
【００９９】
また、搬送路Ｗ５は、上前搬送部１４の搬送路４７、鑑別部１５の鑑別搬送路４８及び上後搬送部１６の搬送路５２に相当する。搬送路Ｗ６は、上後搬送部１６の搬送路５３に相当する。搬送路Ｗ７は、上後搬送部１６の搬送路５４及び下搬送部２１の搬送路７１に相当する。
【０１００】
さらに、搬送路Ｗ８Ｄ、Ｗ８Ｃ及びＷ８Ｂは、それぞれ搬送路７３、７５及び７７に相当する。またこの搬送路Ｗ８Ｄ、Ｗ８Ｃ及びＷ８Ｂをまとめて搬送路Ｗ８又は収納搬送路とも呼ぶ。搬送路Ｗ９Ｄ、Ｗ９Ｃ、Ｗ９Ｂ及びＷ９Ａは、それぞれ搬送路７２、７４、７６及び７８とそれぞれ対応する。またこの搬送路Ｗ９Ｄ、Ｗ９Ｃ、Ｗ９Ｂ及びＷ９Ａをまとめて搬送路Ｗ９とも呼ぶ。
【０１０１】
因みに、上述した上基幹搬送路ＷＵは、搬送路Ｗ２、Ｗ５及びＷ７の一部分に相当する。また上述した下基幹搬送路ＷＬは、搬送路Ｗ８Ｄ、Ｗ８Ｃ及びＷ８Ｂ（すなわち搬送路Ｗ８）に相当する。
【０１０２】
［１−５−１．入金処理及び収納処理］
まず、現金自動預払機１（図１）において顧客との間で入金取引が行われる場合について説明する。この場合、紙幣入出金機１０は、前段の入金処理（入金計数処理とも呼ばれる）により、顧客に入金された紙幣の金種等を鑑別しながら枚数を計数し、これに続く後段の収納処理（入金収納処理とも呼ばれる）により、各紙幣を適切な収納箇所へ搬送して収納するようになっている。この入金処理は、紙幣入出金機１０の外部から紙幣を受け入れる受入処理となっている。
【０１０３】
具体的に紙幣入出金機１０の紙幣制御部１１は、現金自動預払機１の主制御部９（図１）と連携することにより、操作表示部６（図１）を介して顧客から入金取引を開始する旨の操作入力を受け付けると、入金処理を開始する。
【０１０４】
このとき紙幣入出金機１０は、まず入出金口５（図１）のシャッタ及び接客部１２のシャッタ３２（図４）を開いて顧客に収容器３１内へ紙幣を投入させる。次に紙幣制御部１１は、顧客から操作表示部６（図１）を介して紙幣の取り込みを開始する操作入力を受け付けると、入出金口５のシャッタ及び接客部１２のシャッタ３２を閉塞した上で、分離部３１Ｓにより当該収容器３１内の紙幣を１枚ずつに分離し、その下流側に位置する搬送路Ｗ１に順次引き渡す。
【０１０５】
このとき紙幣入出金機１０は、図７（Ａ）に示す矢印Ｒ１のように、紙幣を搬送路Ｗ１、Ｗ２及びＷ５に沿って搬送することにより、鑑別部１５において該紙幣を鑑別し、得られた鑑別結果を紙幣制御部１１へ供給する。
【０１０６】
これに応じて紙幣制御部１１は、取得した鑑別結果を基に、まず各紙幣における損傷の程度や金種、或いは真偽を判断する。次に紙幣制御部１１は、各紙幣について、正常な紙幣として認識でき以降の処理を継続できる入金受入紙幣であるか、或いは正常な紙幣として認識できないため一度顧客に返却すべき入金リジェクト紙幣であるかを判断する。多くの場合、例えば折り畳まれた状態の紙幣、多くの皺が形成された紙幣、或いは誤って接客部１２に投入された紙幣以外の紙（メモ用紙やレシート等）等が入金リジェクト紙幣として判断される。
【０１０７】
さらに紙幣制御部１１は、入金受入紙幣について、損傷の程度が大きいリジェクト紙幣についてはリジェクト庫２３を、正常であり再利用可能な紙幣については金種ごとの各紙幣収納庫２２を、それぞれ最終的な搬送先として決定する。さらに紙幣制御部１１は、紙幣の搬送順序と対応付けて、各紙幣の金種、記番号、搬送状態（すなわちスキュー及び紙幣同士の間隔）、並びに決定した搬送先等を、鑑別部１５における入金時情報として記憶部に記憶しておく。
【０１０８】
次に紙幣入出金機１０は、紙幣制御部１１の制御に基づき、紙幣ごとの鑑別結果に応じて上後切替部５１における搬送経路を切り替えながら、紙幣を搬送する。具体的に紙幣入出金機１０は、入金受入紙幣については、矢印Ｒ２として示すように、搬送路Ｗ５及びＷ６に沿って搬送し、一時保留部１７へ進行させる。
【０１０９】
一時保留部１７は、上述した収納処理を行うことにより、上流の上後切替部５１から順次引き渡される入金受入紙幣を順次収納していく。このとき一時保留部１７は、搬送路Ｗ６と同等の搬送速度で一時保留搬送路５６（図４）により紙幣を搬送すると共にテープ５８を走行させ、且つ周側面がこれらと同等の線速度となるようドラム５５を回転させる。これにより一時保留部１７は、搬送路Ｗ５等における紙幣の搬送状態、すなわち搬送方向に対する各紙幣の傾斜角度や前後の紙幣同士の間隔等を維持したまま、各紙幣を順次巻き付けていく。
【０１１０】
またこのとき一時保留部１７は、走行監視センサ５９（図４）により各紙幣の搬送状態（以下これを収納時搬送状態とも呼ぶ）を検知し、その検知結果を紙幣制御部１１へ送出する。これに応じて紙幣制御部１１は、この検知結果を紙幣の搬送順序と対応付け、一時保留部１７における収納時搬送状態を表す収納時搬送情報として、記憶部に記憶させる。
【０１１１】
一方、紙幣入出金機１０は、入金リジェクト紙幣については、矢印Ｒ３として示すように、搬送路Ｗ５、Ｗ７及びＷ８に沿って搬送し、下搬送部２１内へ進行させる。このとき紙幣入出金機１０では、上流の搬送路Ｗ７から下流の搬送路Ｗ８へ搬送された入金リジェクト紙幣を、この搬送路Ｗ８内に順次貯留していく。換言すれば、搬送路Ｗ８は、本来的には紙幣を主に主搬送方向である前後方向へ搬送する部分として機能するものの、入金処理においては紙幣を貯留する部分（以下これを搬送路貯留部ＷＳとも呼ぶ）として機能するようになっている。
【０１１２】
因みに紙幣入出金機１０は、上流の搬送路Ｗ７から入金リジェクト紙幣が搬送されてくると、搬送路Ｗ８において紙幣１枚分及び僅かな隙間に相当する搬送距離だけ各搬送ローラを回転させ、直ちに停止する。紙幣入出金機１０は、入金リジェクト紙幣が発生する度にこの動作を繰り返すことにより、入金リジェクト紙幣同士の間隔を搬送時における紙幣同士の間隔よりも短縮しながら、当該入金リジェクト紙幣を搬送路貯留部ＷＳに貯留していく。すなわち紙幣入出金機１０は、入金リジェクト紙幣が搬送されてくる毎に、搬送路貯留部ＷＳへ間欠的に搬送し、貯留していく。
【０１１３】
ところで紙幣入出金機１０は、搬送路Ｗ８が形成された下搬送部２１の各搬送ローラを駆動するモータ（図示せず）への制御信号等を基に、紙幣制御部１１により、最初の入金リジェクト紙幣における後端の位置を把握している。このため紙幣制御部１１は、当該後端が搬送路貯留部ＷＳの前端に到達すると、当該搬送路貯留部ＷＳの内部における貯留可能な全ての箇所に入金リジェクト紙幣を貯留した状態、いわゆる満杯の状態となり、新たな入金リジェクト紙幣を貯留し得ないと判断する。
【０１１４】
この場合、紙幣入出金機１０は、まず入金処理を一時的に中断して接客部１２からの紙幣の搬送を一度停止させる。次に紙幣入出金機１０は、図７（Ｂ）に矢印Ｒ４として示すように、搬送路貯留部ＷＳの内部に貯留している全ての入金リジェクト紙幣を搬送路Ｗ８，Ｗ７、Ｗ５及びＷ４に沿って順次搬送し、すなわち入金処理の場合とは反対方向に逆送させて、接客部１２の収容器３１内へ戻す。さらに紙幣入出金機１０は、接客部１２のシャッタ３２（図４）等を解放すると共に操作表示部６（図１）に所定のメッセージを表示させることにより、顧客に対し、紙幣の状態を確認すると共に収容器３１の内部に紙幣を入れ直すように促す。その後紙幣制御部１１は、入金処理を再開する。
【０１１５】
やがて紙幣入出金機１０は、接客部１２の収容器３１から全ての紙幣を取り込み終えると、搬送路貯留部ＷＳに入金リジェクト紙幣が貯留されていれば、これを接客部１２へ搬送（すなわち逆送）して顧客に返却した上で、確認及び再投入させる。一方、紙幣入出金機１０は、搬送路貯留部ＷＳに入金リジェクト紙幣が貯留されていなければ、入金処理を完了する。
【０１１６】
このとき紙幣入出金機１０は、紙幣制御部１１において、接客部１２から取り込んだ紙幣の金種及び枚数の集計結果を基に入金額を算出すると共に、所定の操作指示画面を操作表示部６（図１）に表示させ、顧客にこの入金額を提示すると共に入金取引を継続するか否かを選択させる。
【０１１７】
ここで紙幣入出金機１０は、顧客により入金取引の中止が指示された場合、一時保留部１７に保留している全ての紙幣を搬送路Ｗ６、Ｗ５及びＷ４に沿って順次搬送し、接客部１２の収容器３１内に放出してから、シャッタ３２（図４）等を解放して顧客に返却する。
【０１１８】
一方、紙幣入出金機１０は、顧客により入金取引の継続が指示された場合、図８に示すように、収納処理を開始する。具体的に紙幣制御部１１は、まず一時保留部１７において繰出処理を開始することにより、収納している紙幣（入金受入紙幣）を順次繰り出し、搬送路Ｗ６に沿って下流の上後切替部５１へ引き渡す。
【０１１９】
このとき一時保留部１７は、ドラム５５（図４）の周側面における線速度、テープ５８の走行速度及び一時保留搬送路５６における紙幣の搬送速度を搬送路Ｗ６の搬送速度に合わせる。これにより一時保留部１７は、収納時の搬送状態、すなわち搬送方向に対する各紙幣の傾斜角度や前後の紙幣同士の間隔等を再現しながら、紙幣を収納時とは逆順で下流の搬送路Ｗ６へ順次引き渡していく。
【０１２０】
またこのとき一時保留部１７は、走行監視センサ５９（図４）により紙幣の搬送状態を検知し、その検知結果を紙幣制御部１１へ送出する。これに応じて紙幣制御部１１は、このとき得られた検知結果を一時保留部１７における繰出時搬送情報とし、これを記憶部に記憶している収納時搬送情報と比較することにより、収納時の搬送状態が正しく再現されているか否かを逐次判定する。
【０１２１】
ここで紙幣制御部１１は、収納時の搬送状態が正しく再現されている紙幣については、入金処理において鑑別部１５から取得した鑑別結果を基に紙幣ごとに決定した搬送先をそのまま利用できるものと見なし、この搬送先に応じて上後切替部５１の搬送経路を切り替えさせる。
【０１２２】
すなわち紙幣入出金機１０は、決定された搬送先が紙幣収納庫２２（２２Ａ〜２２Ｄ）であれば、紙幣を矢印Ｒ５のように搬送路Ｗ６、Ｗ７、Ｗ８及びＷ９に沿って搬送する。このとき紙幣入出金機１０は、切替部６１、６２及び６３におけるそれぞれの搬送経路を適切に切り替えさせることにより、紙幣の金種に応じて定められた搬送先である各紙幣収納庫２２（２２Ａ〜２２Ｄ）へそれぞれ搬送し、収納させる。
【０１２３】
また紙幣入出金機１０は、決定された搬送先がリジェクト庫２３であれば、紙幣（すなわちリジェクト紙幣）を矢印Ｒ６のように搬送路Ｗ６、Ｗ５、Ｗ２及びＷ３に沿ってリジェクト庫２３へ搬送し、収納させる。
【０１２４】
かくして紙幣入出金機１０は、再利用すべき通常の紙幣を金種ごとに分類して各紙幣収納庫２２に収納でき、また再利用すべきで無いリジェクト紙幣をリジェクト庫２３に収納できる。やがて紙幣入出金機１０は、一時保留部１７に収納された全ての紙幣をそれぞれの搬送先へ搬送し終えると、この収納処理を終了する。
【０１２５】
一方、紙幣制御部１１は、収納時の搬送状態が正しく再現されていない紙幣については、決定された搬送先を利用すべきで無いものと見なし、当該紙幣及びこれに続く紙幣の搬送先をリジェクト庫２３に変更する。ここで収納時の搬送状態が正しく再現されていない紙幣とは、例えば搬送方向に対する傾斜角度（いわゆるスキュー）や紙幣同士の間隔が収納時と相違している紙幣や、他の紙幣と連なった状態の（すなわち重送や連鎖となっている）紙幣等である。具体的に紙幣入出金機１０は、矢印Ｒ６として示したように、この紙幣を搬送路Ｗ６及びＷ５に沿って搬送し、鑑別部１５を通過させる。
【０１２６】
ここで紙幣制御部１１は、これらの紙幣を鑑別部１５において再度鑑別させ、特に紙幣の金種や記番号、並びに搬送状態を再度認識する。そのうえで紙幣制御部１１は、認識した紙幣の金種や記番号、並びに搬送状態等の情報を入金処理において記憶した入金時情報と照合し、高い割合で一致した場合には、当該紙幣及びこれ以降の紙幣については入金処理において決定した搬送先を利用できるものと判断する。
【０１２７】
このとき紙幣制御部１１は、当該紙幣及びこれ以降の紙幣を逆送させて上流の一時保留部１７に再度収納させた上で、改めて紙幣ごとに決定された搬送先に応じて、矢印Ｒ５又はＲ６として示した各搬送路に沿って搬送し、その搬送先に収納させる。因みに紙幣制御部１１は、認識した紙幣の金種や記番号、並びに搬送状態が入金処理時に記憶した金種や記番号、並びに入金搬送状態と一致しなかった場合には、当該紙幣を再利用できないものと見なし、搬送路Ｗ２及びＷ３に沿ってリジェクト庫２３へ搬送し、収納させる。
【０１２８】
このように紙幣入出金機１０は、入金取引において、前段の入金処理において紙幣を鑑別した際に各紙幣の搬送先を決定しながら一時保留部１７に収納し、入金取引の継続が指示されると、後段の収納処理において各紙幣を鑑別部１５により再度鑑別すること無く、既に決定している搬送先へ搬送する。
【０１２９】
［１−５−２．出金処理］
次に、現金自動預払機１（図１）において顧客との間で出金取引が行われる場合について説明する。この場合、紙幣入出金機１０は、顧客に指定された金額に応じた金種及び枚数の紙幣を出金する出金処理を行うようになっている。この出金処理は、紙幣入出金機１０内の紙幣を外部へ排出する排出処理となっている。
【０１３０】
具体的に紙幣入出金機１０の紙幣制御部１１は、現金自動預払機１の主制御部９（図１）と連携することにより、操作表示部６（図１）を介して顧客から出金取引を開始する旨の操作入力を受け付けると、出金処理を開始する。
【０１３１】
このとき紙幣入出金機１０は、まず操作表示部６を介して出金額を含む所定の操作入力を受け付けると、紙幣制御部１１において出金額に応じた紙幣の金種及び枚数を決定する。続いて紙幣入出金機１０は、決定した金種及び枚数に応じて、各紙幣収納庫２２の内部に集積された状態で収納されている紙幣を１枚ずつに分離しながら繰り出し、下流の搬送路Ｗ９に順次引き渡す。
【０１３２】
続いて紙幣入出金機１０は、図９（Ａ）に示す矢印Ｒ７のように、紙幣を搬送路Ｗ９、Ｗ８、Ｗ７及びＷ５に沿って搬送し、鑑別部１５を通過する際に鑑別させる。ここで紙幣入出金機１０は、まず鑑別部１５内の最も後方に位置する走行センサ４９Ｃ（図４）により紙幣の走行状態のみを検知し、その検知結果を直ちに紙幣制御部１１へ送出する。これに応じて紙幣制御部１１は、当該紙幣の走行状態に応じてその搬送先を接客部１２又はリジェクト庫２３に決定する。
【０１３３】
具体的に紙幣制御部１１は、紙幣の走行状態に問題が無ければ、その搬送先を接客部１２に決定し、矢印Ｒ８として示すように、該紙幣を搬送路Ｗ５及びＷ４に沿って下流の接客部１２へ搬送し、収容器３１の内部に放出して集積させる。
【０１３４】
一方、紙幣制御部１１は、例えば重送されている等、紙幣の走行状態に問題があれば、その搬送先をリジェクト庫２３に決定し、上前第２切替部４２及び上前第１切替部４１の搬送経路を切り替えさせ、矢印Ｒ９として示すように、該紙幣を搬送路Ｗ５、Ｗ２及びＷ３に沿って下流のリジェクト庫２３へ搬送して、その内部に収納させる。なお上前第１切替部４１は、この出金処理において上側の搬送路４３及び後側の搬送路４４（図４）を接続する搬送経路を形成する機会が無いため、予め、後側の搬送路４４及び下側の搬送路４５（図４）を接続する搬送経路に切り替えておいても良い。
【０１３５】
ところで鑑別部１５（図４）は、上流側に位置する走行センサ４９Ｃにより走行状態を検知してその検知結果を紙幣制御部１１へ送出した後、その下流側に位置するイメージセンサ４９Ｂ及び真偽センサ４９Ａによる検知結果を紙幣制御部１１へ送出する。すなわち紙幣制御部１１は、走行センサ４９Ｃにより走行状態に応じて各紙幣の搬送先を決定した後に、イメージセンサ４９Ｂ及び真偽センサ４９Ａによる検知結果を取得することになる。
【０１３６】
このため紙幣入出金機１０は、紙幣制御部１１においてイメージセンサ４９Ｂ及び真偽センサ４９Ａからの検知結果により紙幣が正常で無く出金すべきで無いと判断された場合、図９（Ｂ）に矢印Ｒ１０として示すように、搬送中の当該紙幣を直ちに、すなわち搬送路Ｗ５及びＷ４に沿って搬送している途中で停止させる。さらに紙幣入出金機１０は、矢印Ｒ１１として示すように、当該紙幣を逆送させて鑑別部１５の後側まで到達させた後、当該紙幣のみ搬送先をリジェクト庫２３に設定して上前第２切替部４２の搬送経路を切り替えさせ、図９（Ｃ）矢印Ｒ１２として示すように、当該紙幣をリジェクト庫２３へ搬送して収納させる。
【０１３７】
因みに紙幣入出金機１０は、後続の正常な紙幣については、再び上前第２切替部４２の搬送経路を切り替えさせ、矢印Ｒ８（図９（Ａ））として示したように、搬送路Ｗ５及びＷ４に沿って下流の接客部１２へ搬送し、放出部３１Ｅにより収容器３１の内部に放出して集積させる。やがて紙幣入出金機１０は、出金額に応じた全ての紙幣を接客部１２における収容器３１の内部に集積し終えると、シャッタ３２（図４）等を開放させて顧客に当該紙幣を取り出させ、出金処理を完了する。
【０１３８】
このように紙幣入出金機１０は、出金処理において、鑑別部１５からの検知結果に基づいて上前第２切替部４２の搬送経路を切り替えながら、出金額に応じた紙幣を上流の各紙幣収納庫２２から下流の接客部１２まで搬送し、顧客に引き渡す。
【０１３９】
［１−５−３．紙幣移動処理］
次に、紙幣入出金機１０において紙幣収納庫２２同士の間で紙幣を移動させる紙幣移動処理について説明する。この紙幣移動処理では、移動元となる一の紙幣収納庫２２から接客部１２へ紙幣を搬送し、その後該接客部１２から移動先となる他の紙幣収納庫２２へ紙幣を搬送する。
【０１４０】
具体的に紙幣入出金機１０は、作業員等により操作表示部６（図１）を介して移動元及び移動先の紙幣収納庫２２、並びに移動する紙幣の枚数等の指示を受け付けると、紙幣移動処理を開始する。まず紙幣入出金機１０は、移動元として指定された紙幣収納庫２２から、出金処理の場合と同様に、内部に集積された状態で収納されている紙幣を１枚ずつに分離しながら繰り出し、下流の搬送路Ｗ９に順次引き渡す。
【０１４１】
続いて紙幣入出金機１０は、図９（Ａ）に示した矢印Ｒ７のように、紙幣を搬送路Ｗ９、Ｗ８、Ｗ７及びＷ５に沿って搬送し、鑑別部１５を通過する際に鑑別させる。ここで紙幣入出金機１０は、出金処理の場合と同様、走行センサ４９Ｃ（図４）から得られた検知結果を基に紙幣の走行状態を判断し、その搬送先を決定する。
【０１４２】
すなわち紙幣入出金機１０は、紙幣の走行状態に問題が無ければ搬送先を接客部１２に決定し、矢印Ｒ８に沿って接客部１２へ搬送して、収容器３１の内部に放出して集積させ、紙幣の走行状態に問題があれば、矢印Ｒ９に沿ってリジェクト庫２３へ搬送し、その内部に収納させる。
【０１４３】
因みに紙幣入出金機１０は、出金処理の場合と異なり、矢印Ｒ７に沿って紙幣を搬送する段階では、イメージセンサ４９Ｂ及び真偽センサ４９Ａ（図４）による検知結果を基に紙幣の状態を判断しない。これは、移動元の紙幣収納庫２２に収納されている紙幣が、一度は鑑別部１５において正常と鑑別された紙幣、又は外部の紙幣処理装置等において正常と鑑別されてから収納された紙幣であり、走行状態以外の状態について改めて判断する必要性が低いためである。
【０１４４】
やがて紙幣入出金機１０は、接客部１２の収容器３１に収容可能な最大枚数である２００枚の紙幣を搬送し終え、或いは操作者等に指示された枚数の紙幣を搬送し終えると、図１０（Ａ）に矢印Ｒ１１として示すように、接客部１２から紙幣を繰り出して搬送路Ｗ１、Ｗ２及びＷ５に沿って搬送し、鑑別部１５において該紙幣を鑑別する。
【０１４５】
ここで紙幣入出金機１０は、正常と鑑別された紙幣については、矢印Ｒ１２として示すように、搬送路Ｗ５、Ｗ７、Ｗ８及びＷ９に沿って搬送し、切替部６１、６２及び６３における搬送経路を適宜切り替えることにより、該紙幣を移動先である紙幣収納庫２２へ搬送して収納させる。
【０１４６】
また紙幣入出金機１０は、異常と鑑別された紙幣については、矢印Ｒ１４として示すように、搬送路Ｗ５及びＷ６に沿って搬送し、一時保留部１７に収納させる。やがて紙幣入出金機１０は、接客部１２に収納していた全ての紙幣を繰り出した後に、一時保留部１７から紙幣を順次繰り出し、図１０（Ｂ）に矢印Ｒ１５として示すように搬送路Ｗ６、Ｗ５、Ｗ４、Ｗ２及びＷ３に沿って搬送し、リジェクト庫２３に収納させる。かくして紙幣入出金機１０は、一連の紙幣移動処理を終了する。
【０１４７】
因みに紙幣入出金機１０では、各紙幣収納庫２２における紙幣の最大収納枚数が例えば２０００〜３０００枚程度である一方、接客部１２における紙幣の最大収納枚数が、１回の取引処理において取り扱う最大枚数である２００枚程度となっている。このため紙幣入出金機１０では、２００枚よりも多い枚数の紙幣を移動させる場合には、複数回に分けて紙幣移動処理を行うようになっている。
【０１４８】
このように紙幣入出金機１０は、紙幣移動処理において、接客部１２を一時的な紙幣の収納場所として利用しながら、移動元の紙幣収納庫２２から移動先の紙幣収納庫２２へ紙幣を移動させる。
【０１４９】
［１−５−４．接客分離異常リトライオーバ処理］
ところで紙幣入出金機１０では、上述した入金処理等において、接客部１２の収容器３１（図４）から分離部３１Ｓにより紙幣を１枚ずつに分離する場合、上述したように分離異常が発生する恐れがある。このため紙幣入出金機１０では、この分離異常が発生した場合、上述した接客分離異常リトライ処理を行うことにより、分離異常の解消を図る。
【０１５０】
ここで紙幣入出金機１０では、１回の接客分離異常リトライ処理によって分離異常を解消できない場合、この接客分離異常リトライ処理を繰り返すことになる。しかしながら紙幣入出金機１０では、例えば濡れた状態の複数の紙幣が互いに貼り付いている場合等、接客分離異常リトライ処理を複数回実行しても分離異常を解消できない場合がある。このような場合、紙幣入出金機１０では、分離異常を解消できない紙幣を利用者に返却する、接客分離異常リトライオーバ処理を行うようになっている。
【０１５１】
具体的に紙幣入出金機１０は、接客部１２において収容器３１から分離部３１Ｓにより紙幣を分離して繰り出す場合、紙幣制御部１１により、該接客部１２の光学センサ（図示せず）から得られる検出信号を基に、各紙幣が正常に分離されているか否かを監視する。
【０１５２】
紙幣制御部１１は、分離異常の発生を検知した場合、接客部１２の分離部３１Ｓ及び搬送路３３により、上述した接客分離異常リトライ処理を実行させる。このとき紙幣制御部１１は、１回の接客分離異常リトライ処理では分離異常を解消できなかった場合、該接客分離異常リトライ処理を繰り返させると共に、該接客分離異常リトライ処理を繰り返した回数（以下これをリトライ回数と呼ぶ）を計数する。そのうえで紙幣制御部１１は、このリトライ回数が所定の閾値（例えば５回）以上となった場合、紙幣入出金機１０により接客分離異常リトライオーバ処理を開始させる。
【０１５３】
すなわち紙幣入出金機１０は、まず図１１（Ａ）に示す矢印Ｒ１６のように、重送やスキューが発生した状態のまま、紙幣を搬送路Ｗ１、Ｗ２及びＷ５に沿って搬送し、該搬送路Ｗ５上で静止させる。次に紙幣入出金機１０は、上前第２切替部４２の搬送路経路を切り替えた上で、図１１（Ｂ）に示す矢印Ｒ１７のように、この紙幣を搬送路Ｗ５及びＷ４に沿って搬送し、接客部１２において放出部３１Ｅにより収容器３１内へ放出する。これにより紙幣入出金機１０は、接客分離異常リトライオーバ処理を終了する。
【０１５４】
その後紙幣入出金機１０は、接客部１２のシャッタ３２（図４）を開放し、顧客に紙幣の状態を確認させ、必要に応じて紙幣を再度投入させるようになっている。
【０１５５】
［１−５−５．取忘取込処理］
ところで紙幣入出金機１０は、上述した出金処理において、出金額の紙幣を接客部１２における収容器３１の内部に集積し終えると、シャッタ３２（図４）等を開放して顧客に紙幣が取り出されるのを待ち受ける。
【０１５６】
ここで紙幣入出金機１０は、図示しないセンサを用いて紙幣が取り出されたか否かを監視しており、シャッタ３２等を開放してから所定時間（例えば３０秒間）以内に紙幣が取り出されなかった場合、顧客が紙幣を取り忘れて立ち去ったものと判断する。以下、このとき収容器３１内に残された紙幣を取忘紙幣と呼ぶ。
【０１５７】
このとき紙幣入出金機１０は、取忘紙幣を内部に取り込む取忘取込処理として、入金処理（図７（Ａ）及び（Ｂ））並びに収納処理（図８）の場合と概ね同様に紙幣を搬送することにより、各紙幣を紙幣収納庫２２又はリジェクト庫２３へ搬送して収納させるようになっている。
【０１５８】
因みにこの場合、収容器３１内には、本来的には出金処理により出金された、正常であり再利用可能な紙幣のみが収納されているはずであるが、誤って異物等が投入されてしまう可能性や、悪意のある者により紙幣がすり替えられる可能性もある。このため紙幣入出金機１０は、この取忘取込処理において、入金処理及び収納処理の場合と同様に、収容器３１内に収納されている紙幣が外部から新たに投入されたものと見なして鑑別処理等を行うようになっている。
【０１５９】
具体的に紙幣入出金機１０は、まず矢印Ｒ１（図７（Ａ））のように紙幣を搬送路Ｗ１、Ｗ２及びＷ５に沿って搬送し、鑑別部１５において鑑別する。このとき紙幣制御部１１は、得られた鑑別結果を基に紙幣の搬送状態や損傷の程度等を判断し、その搬送先を入金処理の場合と同様に決定する。
【０１６０】
すなわち紙幣入出金機１０は、正常な紙幣として認識できた入金受入紙幣については、再利用可能であれば、搬送先をその金種に応じた紙幣収納庫２２に決定し、再利用不可能であれば（すなわちリジェクト紙幣であれば）、搬送先をリジェクト庫２３に決定する。そのうえで紙幣入出金機１０は、この入金受入紙幣を矢印Ｒ２のように搬送路Ｗ５及びＷ６に沿って一時保留部１７へ搬送し、収納させる。
【０１６１】
また紙幣入出金機１０は、リジェクト紙幣については、まず矢印Ｒ３（図７（Ａ））のように搬送路Ｗ５、Ｗ７及びＷ８に沿って搬送し、この搬送路Ｗ８上（すなわち搬送路貯留部ＷＳ）に貯留させる。紙幣入出金機１０は、搬送路貯留部ＷＳが満杯になると、矢印Ｒ４（図７（Ｂ））のように搬送路Ｗ８、Ｗ７、Ｗ５及びＷ４に沿って順次搬送し、収容器３１内へ戻す。このとき収容器３１に戻された紙幣は、その後分離部３１Ｓにより分離され、矢印Ｒ１（図７（Ａ））で示した搬送路に沿って搬送される。
【０１６２】
やがて紙幣入出金機１０は、接客部１２の収容器３１から全ての紙幣を取り込み終えると、一時保留部１７に収納している紙幣をそれぞれの搬送先へ搬送する。すなわち紙幣入出金機１０は、再利用可能であり搬送先が紙幣収納庫２２に決定された紙幣については、矢印Ｒ５（図８）のように搬送路Ｗ６、Ｗ７、Ｗ８及びＷ９に沿って紙幣収納庫２２へ搬送し、収納させる。また紙幣入出金機１０は、再利用不可能であり搬送先がリジェクト庫２３に決定された紙幣（リジェクト紙幣）については、矢印Ｒ６（図８）のように搬送路Ｗ６、Ｗ５、Ｗ２及びＷ３に沿って紙幣収納庫２２へ搬送し、収納させる。
【０１６３】
このように紙幣入出金機１０は、出金処理において紙幣の取り忘れが発生した場合、取忘取込処理として、取忘紙幣を入金処理及び収納処理と同様の搬送経路により紙幣収納庫２２又はリジェクト庫２３へ搬送し、収納するようになっている。
【０１６４】
［１−６．効果等］
以上の構成において、第１の実施の形態による現金自動預払機１の紙幣入出金機１０は、上部ユニット１０Ｕ（図４）の下側部分に配置された上前搬送部１４、鑑別部１５及び上後搬送部１６により上搬送部１０ＵＣを構成し、前後方向に沿った一直線状の上基幹搬送路ＷＵ（図２、図６）を形成した。また紙幣入出金機１０は、下部ユニット１０Ｌ（図５）の上側部分に下搬送部２１を配置し、比較的後寄りの部分において、前後方向に沿った一直線状の下基幹搬送路ＷＬ（図２、図６）を形成した。
【０１６５】
さらに紙幣入出金機１０は、上部ユニット１０Ｕの下端における前後両端の近傍に、上部ユニット前受渡口Ｔ１２及び上部ユニット後受渡口Ｔ１１（図４）を設け、また下部ユニット１０Ｌの上端における前後両端の近傍に下部ユニット前受渡口Ｔ２２及び下部ユニット後受渡口Ｔ２１（図５）をそれぞれ設けた。
【０１６６】
そのうえで紙幣入出金機１０では、上部ユニット１０Ｕ及び下部ユニット１０Ｌが紙幣入出金機フレーム１０Ｆ内に格納された場合に（図２）、後端近傍において上部ユニット後受渡口Ｔ１１（図４）及び下部ユニット後受渡口Ｔ２１（図５）を接続し、両者の間で紙幣を受け渡す後受渡部Ｃ１（図２、図６）を形成するようにした。また紙幣入出金機１０では、この場合に、前端近傍において、上部ユニット前受渡口Ｔ１２（図４）及び下部ユニット前受渡口Ｔ２２（図５）を接続し、両者の間で紙幣を受け渡す前受渡部Ｃ２（図２、図６）を形成するようにした。
【０１６７】
すなわち紙幣入出金機１０では、前後方向に沿った上基幹搬送路ＷＵ及び下基幹搬送路ＷＬを後側の後受渡部Ｃ１により互いに接続し、左右方向から見て英大文字の「Ｃ」又は「Ｕ」を描くような構成とした。これを換言すれば、紙幣入出金機１０は、上基幹搬送路ＷＵ及び下基幹搬送路ＷＬにより直線を１回のみ折り返したような形状の搬送路を形成し、その中ほどに鑑別部１５を配置した上で、該鑑別部１５の一方に接客部１２及びリジェクト庫２３を接続し、他方に一時保留部１７及び紙幣収納庫２２を接続した構成とした。
【０１６８】
これにより紙幣入出金機１０は、特許文献１の紙幣入出金機等と比較して、紙幣の搬送経路における屈曲箇所の数を大幅に削減できると共に、搬送経路長も短く抑えることができるので、紙幣の搬送に伴う詰まり等の発生頻度を最小限に抑えて、各処理を円滑に進めることができる。
【０１６９】
また紙幣入出金機１０は、仮に上後切替部５１（図６）の後側に接続された搬送路Ｗ７及び搬送路Ｗ８を前後方向に沿った一直線状の搬送路とした場合、該上後切替部５１よりも後側に４個の紙幣収納庫２２を配置するために、装置全体の前後長が極めて長くなる恐れがあった。
【０１７０】
これに対して本実施の形態による紙幣入出金機１０は、搬送路Ｗ７に対し搬送路Ｗ８を折り返すように屈曲させたため、上後切替部５１よりも前側に紙幣収納庫２２の一部を配置することができ、装置全体の前後長を比較的短く抑えることができる。これにより、この紙幣入出金機１０が組み込まれる現金自動預払機１（図１）は、やはり前後長を比較的短く抑え得るため、例えばコンビニエンスストアの店内等、前後方向の長さが比較的短い設置場所に対し、容易に設置することができる。
【０１７１】
さらに紙幣入出金機１０では、上部ユニット１０Ｕにおける最も下側に上搬送部１０ＵＣを配置すると共に（図４）、下部ユニット１０Ｌにおける最も上側に下搬送部２１を配置した（図５）。このため紙幣入出金機１０では、紙幣入出金機フレーム１０Ｆから上部ユニット１０Ｕを引き出すだけで、その下面側において上搬送部１０ＵＣを外部に露出させることができ（図３（Ａ））、また紙幣入出金機フレーム１０Ｆから下部ユニット１０Ｌを引き出すだけで、その上面側において下搬送部２１を外部に露出させることができる。
【０１７２】
これにより紙幣入出金機１０では、紙幣入出金機フレーム１０Ｆから上部ユニット１０Ｕ又は下部ユニット１０Ｌを引き出す、といった極めて簡易な作業により（図３）、一般に紙幣の詰まり等のような障害の発生頻度が比較的高い搬送路及びその近傍を、容易に且つ素早く外部に露出でき、保守作業の容易化や時間短縮を図ることができる。
【０１７３】
これを他の観点から見れば、紙幣入出金機１０では、上基幹搬送路ＷＵ及び下基幹搬送路ＷＬを何れも前後方向に沿った直線状に形成し、且つ上下方向に互いに近接した位置に配置し、且つ後受渡部Ｃ１において両者を接続した。このため紙幣入出金機１０では、上部ユニット１０Ｕ又は下部ユニット１０Ｌを紙幣入出金機フレーム１０Ｆから引き出すだけで両者を容易に分離でき、保守作業の容易化や効率化を図ることができる。また紙幣入出金機１０では、上部ユニット１０Ｕ及び下部ユニット１０Ｌを何れも紙幣入出金機フレーム１０Ｆ内に格納するだけで、両者を接続して連続した基幹搬送路を形成できる。
【０１７４】
さらに紙幣入出金機１０では、紙幣を長期的に収納する箇所、すなわち各入金取引や出金取引等が完了した後に紙幣を保有している箇所である紙幣収納庫２２及びリジェクト庫２３を、何れも下部ユニット１０Ｌ側に配置した。これを換言すれば、紙幣入出金機１０では、紙幣を長期的に収納する箇所を上部ユニット１０Ｕ側に設けず、それぞれの入金取引や出金取引等が完了した時点で、上部ユニット１０Ｕ側に紙幣を保有しないようにした。
【０１７５】
このため紙幣入出金機１０では、紙幣収納庫２２及びリジェクト庫２３に対する紙幣の補充や回収のような、比較的高い頻度で行う必要がある保守作業において、紙幣入出金機フレーム１０Ｆから下部ユニット１０Ｌ側のみを引き出せば良く（図３（Ｂ））、上部ユニット１０Ｕ側を引き出す必要が無い。このとき紙幣入出金機１０では、上部ユニット１０Ｕ側を引き出し、また格納するといった作業が不要になるだけで無く、下部ユニット１０Ｌの上側を空けた状態で、作業員等に無理な姿勢をさせること無く効率良く保守作業を行わせることができる。
【０１７６】
また他の観点から見れば、紙幣入出金機１０では、例えば一時保留部１７内に紙幣が残留している場合等、正常に収納されている紙幣とは関係無く、偶発的に発生した障害を解消するための保守作業等を行う場合にのみ、上部ユニット１０Ｕを引き出して保守作業を行わせれば良い。
【０１７７】
ところで、特許文献１に示した従来の紙幣入出金機では、入金処理において、入出金部の下方から繰り出され鑑別部において鑑別された紙幣が入金リジェクト紙幣であった場合、該入出金部の下側ないし後側を結ぶようにループ状に形成された搬送経路を利用して、この紙幣を該入出金部に直ちに搬送することができた。このため従来の紙幣入出金機では、大量の入金リジェクト紙幣が発生した場合にも、随時入出金部へ戻すことができ、入金処理を中断すること無く対処することができた。
【０１７８】
ここで、実際の入金処理において入金リジェクト紙幣が発生する頻度を集計すると、国や地域により相違するものの、例えば１〜２％程度のように極めて低いことが判明した。紙幣入出金機では、１回の取引処理において処理し得る紙幣の最大枚数が例えば１００〜２００枚程度であるため、入金リジェクト紙幣の実際の発生枚数は多くとも４〜５枚程度と想定される。このため紙幣入出金機では、最大で４〜５枚程度の入金リジェクト紙幣を一時的に貯留できる箇所を用意でき、且つこの入金リジェクト紙幣を入出金部に搬送することができれば、必ずしもループ状の搬送経路を構成する必要が無い。
【０１７９】
このような技術的思想に基づき、本実施の形態による紙幣入出金機１０では、入金処理（入金処理）において、紙幣を一時保留部１７に収納しており、下側の紙幣収納庫２２へ搬送することが無いため、これに伴って使用されない下搬送部２１内の搬送経路を搬送路貯留部ＷＳとし、ここに入金リジェクト紙幣を貯留するようにした（図７）。
【０１８０】
他の観点から見れば、紙幣入出金機１０は、上搬送部１０ＵＣ及び下搬送部２１により、鑑別部１５を貫通すると共に１回折り返されて英大文字の「Ｃ」又は「Ｕ」を描くような搬送経路を形成した。そのうえで紙幣入出金機１０は、鑑別部１５の一方（例えば前側）の搬送路に接客部１２及びリジェクト庫２３を接続し、他方（例えば後側）の搬送路に一時保留部１７及び紙幣収納庫２２をそれぞれ接続する構成とした（図６）。これを換言すれば、紙幣入出金機１０は、鑑別部１５を貫通する搬送路（鑑別搬送路４８）の両側に、１又は２以上の切替部を直列に接続した搬送路をそれぞれ接続した。
【０１８１】
さらに異なる観点から見れば、紙幣入出金機１０は、上後切替部５１により、接客部１２へ向かう搬送路Ｗ５と、一時保留部１７へ向かう搬送路Ｗ６と、紙幣収納庫２２へ向かう搬送路Ｗ７とのうち２つを互いに接続するよう切り替えるようにした。これに加えて紙幣入出金機１０は、接客部１２へ向かう搬送路Ｗ５上に鑑別部１５を配置し、当該鑑別部１５から見て接客部１２側にある搬送路Ｗ２に、上前第１切替部４１を介してリジェクト庫２３を接続した（図６）。
【０１８２】
これにより紙幣入出金機１０では、入金処理を適切に行い得る構成としながら、上搬送部１０ＵＣ及び下搬送部２１により形成される搬送路をループ状では無く直線を１回折り返したような形状としたことで、従来よりも構成を簡略化でき、小型化や部品点数の削減、さらにはこれに伴う障害発生頻度の低減や保守作業の省力化等を図ることができる。
【０１８３】
また別の観点から見れば、紙幣入出金機１０では、下部ユニット１０Ｌにおいて、各紙幣収納庫２２が接続された下基幹搬送路ＷＬと、搬送路８０（すなわちリジェクト搬送路）とを切り離し、互いに接続しないように構成した。これにより紙幣入出金機１０では、例えば収納処理（図８）の途中で下部ユニット１０Ｌ側において紙幣の詰まりが発生し、保守作業が行われる際に、紙幣収納庫２２へ搬送される正常な紙幣と、リジェクト庫２３へ搬送されるリジェクト紙幣とを混在させること無く、完全に分離した状態を維持でき、紙幣を容易に分別させることができる。
【０１８４】
また、特許文献１の紙幣入出金機では、収納処理において、一時保留部から繰り出された紙幣が鑑別部を通過したときにその金種や損傷の程度を鑑別して搬送先を決定して搬送していた。このためこの紙幣入出金機では、一時保留部から繰り出された紙幣が鑑別部を通過して紙幣収納庫へ向かうような搬送経路を形成する必要があった。
【０１８５】
ここで一時保留部１７（図４）は、いわゆるテープエスクロ方式を採用したため、各紙幣をテープ５８と共にドラム５５に巻き付けて収納することで、紙幣の順序や紙幣同士の間隔、或いはスキュー等を維持したまま収納し、また繰り出すことができる。換言すれば、この一時保留部１７は、紙幣収納庫２２のように紙幣を集積して収納する方式とは異なり、繰り出す際の紙幣の分離時に新たに重送や搬送順序の逆転が原理的に殆ど発生せず、収納時の搬送状態を良好に維持できる。
【０１８６】
このことを踏まえて本実施の形態による紙幣入出金機１０では、入金処理において紙幣をこの一時保留部１７に収納すると共に、鑑別部１５により得られた鑑別結果及びこれを基に決定した搬送先を記憶しておき、その後の収納処理において、記憶された内容を読み出し、一時保留部１７からこの搬送先へ搬送するようにした（図８）。これにより紙幣入出金機１０は、一時保留部１７から繰り出された紙幣が鑑別部１５を通過せずに紙幣収納庫２２等へ搬送するような搬送路を形成できるため、従来の紙幣入出金機よりも搬送路を短縮して構成を簡略化することができる。
【０１８７】
また紙幣入出金機１０は、一時保留部１７において紙幣の収納時に走行監視センサ５９により紙幣の搬送状態を検知して収納時搬送情報として記憶しておき、紙幣の繰出時に再度走行監視センサ５９により紙幣の搬送状態を検知して繰出時搬送情報とし、これを収納時搬送情報と照合するようにした。
【０１８８】
これにより紙幣入出金機１０は、仮に一時保留部１７内での搬送中等に紙幣が周囲に引っかかる等して新たにスキューや重送が発生した場合には、照合結果が大きく相違することで搬送状態が変化したことを検知できる。このような場合、紙幣入出金機１０は、搬送状態が変化した紙幣及びこれ以降の紙幣を再利用できないと見なし、リジェクト庫２３へ搬送して収納することにより、入金処理時に記憶した搬送先を異なる紙幣に誤設定してしまうことを未然に防止できる。
【０１８９】
さらに紙幣入出金機１０は、一時保留部１７とリジェクト庫２３との間に鑑別部１５を配置しているため、当該リジェクト庫２３へ向かう紙幣を当該鑑別部１５により再度鑑別できる。このとき紙幣入出金機１０は、鑑別部１５において得られた再鑑別結果を入金処理の際に記憶した収納時搬送情報と比較することで、特に金種及び記番号を基に、当該紙幣と対応する収納時搬送情報を特定できる可能性がある。
【０１９０】
このような場合、紙幣入出金機１０は、当該紙幣及びこれ以降の紙幣について収納時搬送情報を利用できるものと見なし、上搬送部１０ＵＣにより当該紙幣及びこれ以降の紙幣を上後切替部５１よりも一時保留部１７側、すなわち当該一時保留部１７内へ逆送させた後、収納時搬送情報に基づいて適切な搬送先に搬送し収納する。これにより紙幣入出金機１０は、搬送状態が変化したものの本来的には再利用可能な紙幣について、不必要にリジェクト庫２３に搬送させること無く、紙幣収納庫２２へ搬送して収納することで、当該紙幣を有効に再利用できる。
【０１９１】
ところで紙幣入出金機１０では、出金処理において紙幣収納庫２２から繰り出される紙幣が、入金処理において鑑別部１５において再利用可能と鑑別された紙幣、或いは下部ユニット１０Ｌのフレームから取り外されて所定の紙幣処理装置等により鑑別された上で装填された、再利用可能な状態の紙幣である。このため紙幣入出金機１０では、出金処理時にリジェクト紙幣が発生する場合、主にスキューや重送のような搬送状態の不良に起因するものであり、金種の誤りや偽券の検知に起因する可能性が極めて低い。
【０１９２】
すなわち紙幣入出金機１０では、出金処理において、鑑別部１５（図４）の走行センサ４９Ｃからの紙幣の検知結果のみに基づいて当該紙幣の搬送先を決定したとしても、イメージセンサ４９Ｂ及び真偽センサ４９Ａからの検知結果によりこの決定が覆される可能性は極めて低い。
【０１９３】
このような技術的思想に基づき、本実施の形態による紙幣入出金機１０では、出金処理において、紙幣制御部１１が鑑別部１５の走行センサ４９Ｃからの検知結果のみに基づいて各紙幣の搬送先を接客部１２又はリジェクト庫２３に決定し、これに応じて上前第２切替部４２における搬送経路を切り替えるようにした（図９（Ａ））。これにより紙幣入出金機１０は、鑑別部１５の前端から上前第２切替部４２までの搬送路を比較的短く抑えることができ、特許文献１の紙幣入出金機等と比較して、装置構成の簡略化や小型化に寄与し、特に装置全体の前後長を短縮することができる。
【０１９４】
また紙幣入出金機１０の紙幣制御部１１は、稀ではあるが、走行センサ４９Ｃからの紙幣の検知結果を基にその搬送先を接客部１２に決定し、上前第２切替部４２の搬送経路を切り替えさせた後に、イメージセンサ４９Ｂ及び真偽センサ４９Ａからの検知結果を基に、当該紙幣の搬送先をリジェクト庫２３に変更する場合がある。
【０１９５】
この場合、当該紙幣は既に上前第２切替部４２を通過し、搬送路Ｗ４上に到達している。そこで紙幣制御部１１は、当該紙幣の搬送を直ちに停止させてから搬送路Ｗ５上まで、例えば鑑別部１５の後側まで逆送させ（図９（Ｂ））、上前第２切替部４２における搬送経路をリジェクト庫２３側である搬送路Ｗ２側に切り替えさせる（図９（Ｃ））。これにより紙幣入出金機１０は、当該紙幣を誤って接客部１２の収容器３１内へ放出すること無く、リジェクト庫２３に搬送して収納させることができる。
【０１９６】
このとき紙幣入出金機１０では、紙幣の搬送を一度停止させ、さらに逆送させるため、出金処理の完了までに要する時間が増加することになる。しかしながら紙幣入出金機１０では、上述したように出金処理において金種の誤りや偽券を検知する可能性が極めて低いため、特許文献１の紙幣入出金機等と比較した場合、搬送経路長が短縮されたことにより、出金処理に要する平均的な所要時間を短縮することが可能となる。
【０１９７】
以上の構成によれば、第１の実施の形態による現金自動預払機１の紙幣入出金機１０は、上部ユニット１０Ｕに前後方向に沿った上基幹搬送路ＷＵを形成し、下部ユニット１０Ｌに前後方向に沿った下基幹搬送路ＷＬを形成し、両者を後端近傍の後受渡部Ｃ１で接続した。これにより紙幣入出金機１０は、基幹となる搬送路を１回のみ折り返された直線状に形成でき、屈曲箇所の数を大幅に削減できると共に、搬送経路長も短く抑えることができ、紙幣の搬送に伴う詰まり等の発生頻度を最小限に抑えて、各処理を円滑に進めることができる。その一方で紙幣入出金機１０は、装置の前後長を抑えて小型化を図ることができ、さらに後受渡部Ｃ１で上基幹搬送路ＷＵ及び下基幹搬送路ＷＬを切り離すことにより保守作業を容易化できる。
【０１９８】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。
【０１９９】
紙幣入出金機１１０は、図２と対応する図１２に示すように、上部ユニット１０Ｕ及び下部ユニット１０Ｌに代わる上部ユニット１１０Ｕ及び下部ユニット１１０Ｌを有しており、さらに該上部ユニット１１０Ｕの上側に施封ユニット１２０が追加されている。施封ユニット１２０は、上部ユニット１１０Ｕから搬送されてくる紙幣を所定の枚数（例えば１００枚）ずつ集積し、帯封を巻き付けて施封する、といった施封処理を行うようになっている。
【０２００】
また紙幣入出金機１１０は、第１の実施の形態（図３）と同様、紙幣入出金機フレーム（図示せず）に対し上部ユニット１１０Ｕ及び下部ユニット１１０Ｌをそれぞれ単独で前方へ引き出し得るようになっている。
【０２０１】
因みに紙幣入出金機１１０では、上部ユニット１１０Ｕ及び下部ユニット１１０Ｌにおける前後方向の長さ（長さＬ１及びＬ２）が、第１の実施の形態による紙幣入出金機１０の上部ユニット１０Ｕ及び下部ユニット１０Ｌ（図２）と同一に揃えられている。
【０２０２】
［２−１．上部ユニットの構成］
上部ユニット１１０Ｕは、図４と対応する図１３に示すように、第１の実施の形態による上部ユニット１０Ｕと比較して、紙幣制御部１１及び接客搬送部１３に代わる紙幣制御部１１１及び接客搬送部１１３を有する他、施封搬送部１１８を有する点において相違するものの、他の点については同様に構成されている。
【０２０３】
紙幣制御部１１１は、紙幣制御部１１と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１１１は、やはり紙幣制御部１１と同様、内部にＲＡＭ及びフラッシュメモリ等でなる記憶部を有しており、この記憶部に種々の情報を記憶させる。
【０２０４】
接客搬送部１１３は、第１の実施の形態による接客搬送部１３（図４）と比較して、駆動ローラ３６の近傍に切替部１３５が追加されると共に、この切替部１３５から後方の施封搬送部１１８へ向かう搬送路１３９が追加されている点において相違するものの、他の点については同様に構成されている。説明の都合上、以下では搬送路１３９を第２上排出搬送路とも呼ぶ。
【０２０５】
因みに接客搬送部１１３では、搬送路３７及び３８を構成する搬送ガイドや搬送ローラ等の大部分、並びに駆動ローラ３６等が、第１の実施の形態による接客搬送部１１３と共通化されている。
【０２０６】
施封搬送部１１８は、鑑別部１５の上側であって、接客部１２及び接客搬送部１１３の後側且つ一時保留部１７の前側に配置されており、複数の搬送ガイドや搬送ローラ等により、前側下方と上側とを結ぶ搬送路１４０が形成されている。搬送路１４０の前側端部は、接客搬送部１１３の搬送路１３９と接続されている。また搬送路１４０の上側端部は、上側に配置された施封部としての施封ユニット１２０（図１２）と接続されている。
【０２０７】
［２−２．下部ユニットの構成］
下部ユニット１１０Ｌは、図５と対応する図１４に示すように、第１の実施の形態による下部ユニット１０Ｌと比較して、下搬送部２１に代わる下搬送部１２１を有する点において相違するものの、他の点については同様に構成されている。
【０２０８】
下搬送部１２１は、第１の実施の形態による下搬送部２１（図４）と比較して、紙幣収納庫２２Ａの上側における搬送路７７及び７８の接続箇所に切替部１６４が追加され、該切替部１６４から前方へ向かう搬送路１７９（以下これを下接続搬送路とも呼ぶ）が追加されている点において相違する。また下搬送部１２１は、下搬送部２１と比較して、搬送路８０に代えて搬送路１８１及び１８２が設けられ、さらに搬送路１７９、１８１及び１８２の接続部分に切替部１６５が追加されている点においても相違するものの、他の点については同様に構成されている。また搬送路１８１の上端は、搬送路８０（図５）の上端と同様、下部ユニット前受渡口Ｔ２２となっている。
【０２０９】
切替部１６４及び１６５は、何れも切替部６１〜６３と同様に構成されており、紙幣制御部１１１の制御に基づいてブレードの傾斜方向を変化させ、紙幣の搬送経路を切り替えるようになっている。具体的に切替部１６４は、紙幣制御部１１１の制御に基づき、後側の搬送路７７及び下側の搬送路７８を接続する搬送経路と、後側の搬送路７７及び前側の搬送路１７９を接続する搬送経路とを切り替えることができる。また切替部１６５は、紙幣制御部１１１の制御に基づき、上側の搬送路１８１及び下側の搬送路１８２を接続する搬送経路と、上側の搬送路１８１及び後側の搬送路１７９を接続する搬送経路とを切り替えることができる。
【０２１０】
すなわち下搬送部１２１は、第１の実施の形態による下搬送部２１と同様、例えば上部ユニット１１０Ｕ（図１３）から下部ユニット後受渡口Ｔ２１を介して紙幣が搬送されてきた場合、この紙幣を適切な搬送経路に沿って進行させ、下側の紙幣収納庫２２Ｄ〜２２Ａにそれぞれ引き渡すことができる。これと同様に下搬送部１２１は、これらの４通りの搬送経路に沿って紙幣を反対方向へ進行させることにより、紙幣収納庫２２Ｄ〜２２Ａから受け取った紙幣を下部ユニット後受渡口Ｔ２１へ搬送し、上部ユニット１１０Ｕ（図１３）へ引き渡すこともできる。
【０２１１】
さらに下搬送部１２１は、上部ユニット１１０Ｕ（図１３）から下部ユニット前受渡口Ｔ２２を介して紙幣が搬送されてきた場合、この紙幣を搬送路１８１、１７９、７７、７５、７３及び７１に沿って進行させ、下部ユニット後受渡口Ｔ２１から再び上部ユニット１１０Ｕへ引き渡すこともできる。
【０２１２】
これを他の観点から見ると、下搬送部２１は、搬送路７３、７５、７７及び１７９により、前後方向に沿って概ね一直線状となる一本の搬送路が形成されている。そこで第２の実施の形態では、この搬送路を下基幹搬送路ＷＬ２（図１２）とも呼ぶ。
【０２１３】
［２−３．紙幣入出金機における各種処理］
次に、図６と対応する図１５に示すように、紙幣入出金機１１０（図１２、図１３及び図１４）を模式化した上で、該紙幣入出金機１１０における紙幣の搬送を伴う種々の処理について、それぞれ詳細に説明する。
【０２１４】
この図１５では、図６と同様、接客部１２等の各モジュールを単純な長方形により表し、上前第１切替部４１、上前第２切替部４２、上後切替部５１、並びに切替部６１、６２及び６３に加えて切替部１６４及び１６５を、それぞれ単純な三角形により表している。また図１５では、図６と同様、各モジュール及び各切替部をそれぞれ結ぶ搬送路を線分により表している。
【０２１５】
すなわち搬送路Ｗ１、Ｗ２、Ｗ５〜Ｗ９は、それぞれ第１の実施の形態（図６）と同様に構成されている。搬送路Ｗ１１は、上前搬送部１４の搬送路４５及び下搬送部１２１の搬送路１８１に相当する。搬送路Ｗ１２は、下搬送部１２１の搬送路１８２に相当する。搬送路Ｗ１３は、下搬送部１２１の搬送路１７９に相当する。すなわち第１の実施の形態における搬送路Ｗ３（図６）は、搬送路Ｗ１１及びＷ１２と対応している。
【０２１６】
さらに、搬送路Ｗ１４は、上前搬送部１４の搬送路４６及び接客搬送部１１３の搬送路３８に相当する。搬送路Ｗ１５は、接客搬送部１１３の搬送路３７及び接客部１２の搬送路３４に相当する。搬送路Ｗ１６は、接客搬送部１１３の搬送路１３９及び施封搬送部１１８の搬送路１４０に相当する。すなわち第１の実施の形態における搬送路Ｗ４（図６）は、搬送路Ｗ１４及びＷ１５と対応している。
【０２１７】
因みに、上述した下基幹搬送路ＷＬ２は、搬送路Ｗ８Ｄ、Ｗ８Ｃ及びＷ８Ｂ（すなわち搬送路Ｗ８）並びに搬送路Ｗ１３に相当する。また紙幣入出金機１１０では、後端近傍において上部ユニット後受渡口Ｔ１１（図１３）及び下部ユニット後受渡口Ｔ２１（図１４）を互いに接続すると共に、前端近傍において上部ユニット前受渡口Ｔ１２（図１３）及び下部ユニット前受渡口Ｔ２２（図１４）を互いに接続する。これにより紙幣入出金機１１０では、第１の実施の形態と同様、両者の間で紙幣を受け渡す後受渡部Ｃ１及び前受渡部Ｃ２（図１５）を形成している。
【０２１８】
この図１５から分かるように、第２の実施の形態による紙幣入出金機１１０では、搬送路Ｗ１３が設けられたことにより、上基幹搬送路ＷＵ及び下基幹搬送路ＷＬ２が前端の前受渡部Ｃ２及び後端の後受渡部Ｃ１において互いに接続されており、ループ状の（すなわち環状、円環状若しくは周回状の）搬送路を形成している。また紙幣入出金機１１０では、上部ユニット１１０Ｕの接客部１２及び一時保留部１７と、下部ユニット１１０Ｌの紙幣収納庫２２及びリジェクト庫２３とが、環状の搬送路を挟んで互いに反対側に、すなわち上下に振り分けるようにして、それぞれ配置されている。
【０２１９】
［２−３−１．入金処理及び収納処理］
紙幣入出金機１１０は、入金処理を行う場合、図７（Ａ）及び（Ｂ）とそれぞれ対応する図１６（Ａ）及び（Ｂ）に示すように、概ね第１の実施の形態と同様に紙幣を搬送する。すなわち紙幣入出金機１１０は、入金処理において、矢印Ｒ１、Ｒ２、Ｒ３及びＲ４とそれぞれ対応する矢印Ｒ２１、Ｒ２２、Ｒ２３及びＲ２４に沿って、紙幣をそれぞれ搬送する。ただし紙幣入出金機１１０は、第１の実施の形態における搬送路Ｗ４に代えて搬送路Ｗ１４及びＷ１５に沿って紙幣を搬送する。
【０２２０】
また紙幣入出金機１１０は、収納処理を行う場合、図８と対応する図１７に示すように、概ね第１の実施の形態と同様に紙幣を搬送する。すなわち紙幣入出金機１１０は、収納処理において、矢印Ｒ５及びＲ６とそれぞれ対応する矢印Ｒ２５及びＲ２６に沿って紙幣を搬送する。ただし紙幣入出金機１１０は、第１の実施の形態における搬送路Ｗ３に代えて搬送路Ｗ１１及びＷ１２に沿って紙幣を搬送する。
【０２２１】
これにより紙幣入出金機１１０は、第１の実施の形態と同様、入金取引において、前段の入金処理において紙幣を鑑別した際に各紙幣の搬送先を決定しながら一時保留部１７に収納し、入金取引の継続が指示されると、後段の収納処理において各紙幣を鑑別部１５により再度鑑別すること無く、既に決定している搬送先へ搬送することができる。
【０２２２】
［２−３−２．出金処理］
紙幣入出金機１１０は、出金処理を行う場合、図９（Ａ）、（Ｂ）及び（Ｃ）とそれぞれ対応する図１８（Ａ）、（Ｂ）及び（Ｃ）に示すように、概ね第１の実施の形態と同様に紙幣を搬送する。すなわち紙幣入出金機１１０は、出金処理において、矢印Ｒ７、Ｒ８、Ｒ９、Ｒ１０、Ｒ１１及びＲ１２とそれぞれ対応する矢印Ｒ２７、Ｒ２８、Ｒ２９、Ｒ３０、Ｒ３１及びＲ３２に沿って、紙幣をそれぞれ搬送する。ただし紙幣入出金機１１０は、第１の実施の形態における搬送路Ｗ３に代えて搬送路Ｗ１１及びＷ１２に沿って紙幣を搬送し、また第１の実施の形態における搬送路Ｗ４に代えて搬送路Ｗ１４及びＷ１５に沿って紙幣を搬送する。
【０２２３】
これにより紙幣入出金機１１０は、第１の実施の形態と同様、出金処理において、鑑別部１５からの検知結果に基づいて上前第２切替部４２の搬送経路を切り替えながら、出金額に応じた紙幣を各紙幣収納庫２２から接客部１２まで搬送し、顧客に引き渡すことができる。
【０２２４】
［２−３−３．紙幣移動処理］
紙幣入出金機１１０は、移動処理において、まず上述した出金処理の場合（図１８（Ａ））と同様、矢印Ｒ２７、Ｒ２８及びＲ２９に沿って紙幣をそれぞれ搬送することにより、移動元の紙幣収納庫２２から、正常な紙幣を接客部１２へ搬送して収容器３１内に集積し、また正常で無い紙幣（リジェクト紙幣）をリジェクト庫２３へ搬送して収納する。
【０２２５】
続いて紙幣入出金機１１０は、図１０（Ａ）及び（Ｂ）とそれぞれ対応する図１９（Ａ）及び（Ｂ）に示すように、概ね第１の実施の形態と同様に紙幣を搬送することにより、接客部１２内の紙幣を移動先となる紙幣収納庫２２又はリジェクト庫２３へ搬送して収納する。すなわち紙幣入出金機１１０は、紙幣移動処理において、矢印Ｒ１３、Ｒ１４、Ｒ１５及びＲ１６とそれぞれ対応する矢印Ｒ３３、Ｒ３４、Ｒ３５及びＲ３６に沿って、紙幣をそれぞれ搬送する。ただし紙幣入出金機１１０は、第１の実施の形態における搬送路Ｗ３に代えて搬送路Ｗ１１及びＷ１２に沿って紙幣を搬送する。
【０２２６】
これにより紙幣入出金機１１０は、第１の実施の形態と同様、紙幣移動処理において、接客部１２を一時的な紙幣の収納場所として利用しながら、移動元の紙幣収納庫２２から移動先の紙幣収納庫２２へ紙幣を移動させることができる。
【０２２７】
［２−３−４．接客分離異常リトライオーバ処理］
紙幣入出金機１１０は、接客分離異常リトライオーバ処理を行う場合、図１１（Ａ）及び（Ｂ）とそれぞれ対応する図２０（Ａ）及び（Ｂ）に示すように、概ね第１の実施の形態と同様に紙幣を搬送する。すなわち紙幣入出金機１１０は、接客分離異常リトライオーバ処理において、矢印Ｒ１７及びＲ１８とそれぞれ対応する矢印Ｒ３７及びＲ３８に沿って、紙幣をそれぞれ搬送する。ただし紙幣入出金機１１０は、第１の実施の形態における搬送路Ｗ４に代えて搬送路Ｗ１４及びＷ１５に沿って紙幣を搬送する。
【０２２８】
これにより紙幣入出金機１１０は、第１の実施の形態と同様、接客分離異常リトライオーバ処理において、分離部３１Ｓにより正常に分離できなかった紙幣を接客部１２から一度繰り出させ、再び接客部１２に戻して放出部３１Ｅから収容器３１内へ放出させ、集積することができる。
【０２２９】
［２−３−５．取忘取込処理］
紙幣入出金機１１０は、取忘取込処理を行う場合、第１の実施の形態と同様に、入金処理及び収納処理と同様の処理手順によって紙幣を順次搬送する。すなわち紙幣入出金機１１０は、まず図１６（Ａ）及び（Ｂ）に示したように、矢印Ｒ２１、Ｒ２２、Ｒ２３及びＲ２４に沿って紙幣をそれぞれ搬送することにより、取忘紙幣を一時保留部１７へ搬送する。続いて紙幣入出金機１１０は、図１７に示したように、矢印Ｒ２５及びＲ２６に沿って紙幣をそれぞれ搬送することにより、取忘紙幣を紙幣収納庫２２又はリジェクト庫２３へ搬送して収納させる。
【０２３０】
これによりの紙幣入出金機１１０は、第１の実施の形態と同様、出金処理において紙幣の取り忘れが発生した場合、取忘取込処理として、取忘紙幣を入金処理及び収納処理と同様の搬送経路により紙幣収納庫２２又はリジェクト庫２３へ搬送し、収納することができる。
【０２３１】
［２−３−６．束出金処理］
ところで紙幣入出金機１１０は、金融機関の職員等の操作に応じて束出金処理を行い得るようになっている。この束出金処理とは、紙幣収納庫２２に収納されている所定枚数（例えば１００枚）の紙幣を施封ユニット１２０（図１２）へ搬送し、集積した状態で紙帯を巻き付ける施封処理を行うことにより紙幣の束（以下これを紙幣束と呼ぶ）を生成して出金する処理である。
【０２３２】
具体的に紙幣入出金機１１０の紙幣制御部１１１は、現金自動預払機１０１の主制御部９（図１）と連携することにより、操作表示部６を介して金融機関の職員等から束出金を行う旨の操作入力を受け付けると、束出金処理を開始する。このとき紙幣入出金機１１０は、該操作表示部６を介して出金する紙幣の金種や枚数を含む所定の操作入力を受け付けた上で、各紙幣収納庫２２の内部に集積された状態で収納されている紙幣を１枚ずつに分離しながら繰り出し、下流の搬送路Ｗ９に順次引き渡す。
【０２３３】
続いて紙幣入出金機１１０は、上述した出金処理（図１８（Ａ））の場合と一部同様の搬送処理を行う。すなわち紙幣入出金機１１０は、図２１（Ａ）に示す矢印Ｒ３９のように、紙幣を搬送路Ｗ９、Ｗ８、Ｗ７及びＷ５に沿って搬送し、鑑別部１５を通過する際に鑑別させる。ここで紙幣入出金機１１０は、紙幣制御部１１１により、鑑別部１５から得られる検知結果を基に、各紙幣の走行状態及び表裏に応じて、その搬送先を施封ユニット１２０、搬送路Ｗ１３又はリジェクト庫２３に決定する。
【０２３４】
すなわち紙幣入出金機１１０は、紙幣の走行状態に問題が無く、且つ紙幣が表向き（すなわち鑑別部１５を通過するときに表面を上方に向けている）であれば、矢印Ｒ４０として示すように、該紙幣を搬送路Ｗ５、Ｗ１４及びＷ１６に沿って施封ユニット１２０へ搬送する。
【０２３５】
また紙幣入出金機１１０は、例えば重送されている等、紙幣の走行状態に問題があれば、矢印Ｒ４１として示すように、該紙幣を搬送路Ｗ５、Ｗ２、Ｗ１１及びＷ１２に沿ってリジェクト庫２３へ搬送して収納させる。
【０２３６】
一方、紙幣入出金機１１０は、紙幣の走行状態に問題が無く、且つ紙幣が裏向き（すなわち鑑別部１５を通過するときに裏面を上方に向けている）であれば、矢印Ｒ４２として示すように、該紙幣を搬送路Ｗ５、Ｗ２、Ｗ１１及びＷ１３に沿って搬送する。続いて紙幣入出金機１１０は、図２１（Ｂ）に示す矢印Ｒ４３のように、該紙幣を搬送路Ｗ８，Ｗ７及びＷ６に沿って一時保留部１７へ搬送し、収納させる。
【０２３７】
やがて紙幣入出金機１１０は、紙幣収納庫２２から繰り出した紙幣からリジェクト庫２３に収納された紙幣（リジェクト紙幣）を除外した枚数が、最初に指定された枚数に到達すると、該紙幣収納庫２２からの紙幣の繰り出しを中止する。続いて紙幣入出金機１１０は、一時保留部１７に収納されている紙幣を順次繰り出し、図２１（Ｃ）に示す矢印Ｒ４４のように、搬送路Ｗ６、Ｗ５、Ｗ１４及びＷ１６に沿って施封ユニット１２０へ搬送する。このとき紙幣入出金機１１０では、裏向きであった紙幣を搬送路Ｗ７側から一時保留部１７へ収納させ、該一時保留部１７から搬送路Ｗ５側へ繰り出すことにより、該紙幣のスイッチバックを行ったことになり、表裏を反転させて表向きとすることができる。
【０２３８】
その後紙幣入出金機１１０は、施封ユニット１２０において、紙幣を束状に集積し、さらに集積した状態の（すなわち束状態の）紙幣に紙帯を巻き付けて施封することにより紙幣束を生成し、これを出金する。
【０２３９】
このように紙幣入出金機１１０は、束出金処理において、紙幣収納庫２２に収納されている紙幣のうち、表向きの紙幣をそのまま施封ユニット１２０へ搬送する一方、裏向きの紙幣を下基幹搬送路ＷＬ２（図１５）を介して後側に戻し、一時保留部１７を利用して表裏反転させてから施封ユニット１２０へ搬送する。これにより紙幣入出金機１１０は、施封ユニット１２０において、指定された金種及び枚数でなる紙幣を、表裏を揃えた状態で紙幣束とすることができる。
【０２４０】
［２−３−７．整理施封処理］
また紙幣入出金機１１０は、金融機関の職員等の操作に応じて、上述した束出金処理と一部類似した処理である整理施封処理を行い得るようになっている。この整理施封処理では、紙幣収納庫２２に収納されている紙幣では無く、接客部１２に投入された紙幣を施封ユニット１２０へ搬送し、紙幣束を生成するようになっている。
【０２４１】
具体的に紙幣入出金機１１０の紙幣制御部１１は、現金自動預払機１の主制御部９（図１）と連携することにより、操作表示部６（図１）を介して金融機関の職員等から整理施封処理を行う旨の操作入力を受け付けると、整理施封処理を開始する。
【０２４２】
まず紙幣入出金機１１０は、図２２（Ａ）に示す矢印Ｒ４５のように、紙幣を搬送路Ｗ１、Ｗ２及びＷ５に沿って搬送することにより、鑑別部１５において該紙幣を鑑別し、得られた鑑別結果を基に紙幣の状態及び表裏を判別する。
【０２４３】
ここで紙幣入出金機１１０は、紙幣が入金受入紙幣であれば、矢印Ｒ４６のように搬送路Ｗ５及びＷ６に沿って一時保留部１７へ搬送して収納させると共に、その表裏を記憶しておく。また紙幣入出金機１１０は、紙幣が入金リジェクト紙幣であれば、矢印Ｒ４７のように搬送路Ｗ５、Ｗ７、Ｗ８及びＷ１３に沿って搬送し、貯留させる。すなわちこの場合、紙幣入出金機１１０は、搬送路Ｗ８に加えて搬送路Ｗ１３にも紙幣を貯留させる。以下では、搬送路Ｗ８及びＷ１３をまとめて搬送路貯留部ＷＳ２と呼ぶ。
【０２４４】
やがて紙幣入出金機１１０は、この搬送路貯留部ＷＳ２が満杯になると、図２２（Ｂ）に示す矢印Ｒ４８のように、紙幣（入金リジェクト紙幣）を搬送路Ｗ１３、Ｗ８、Ｗ７、Ｗ５、Ｗ１４及びＷ１５に沿って接客部１２へ搬送し、収容器３１内に集積させて返却し、金融機関の職員等により紙幣の確認や再投入を行わせる。
【０２４５】
次に紙幣入出金機１１０は、接客部１２に投入された全ての紙幣を一時保留部１７に保留し終えると、その表裏に応じて、該一時保留部１７から互いに異なる搬送経路を経由して施封ユニット１２０へ搬送する。すなわち紙幣入出金機１１０は、表向きであった紙幣については、図２２（Ｃ）に示す矢印Ｒ４９のように、一時保留部１７から繰り出した後、搬送路Ｗ６、Ｗ５、Ｗ１４及びＷ１６に沿って施封ユニット１２０へ搬送する。
【０２４６】
また紙幣入出金機１１０は、裏向きであった紙幣については、矢印Ｒ５０のように、一時保留部１７から繰り出した後、搬送路Ｗ６、Ｗ７、Ｗ８及びＷ１３に沿って搬送し、この搬送路Ｗ８及びＷ１３に貯留させる。すなわち紙幣入出金機１１０は、この場合も搬送路Ｗ８及びＷ１３を搬送路貯留部ＷＳ２として使用する。やがて紙幣入出金機１１０は、この搬送路貯留部ＷＳ２が満杯になると、一時保留部１７からの紙幣の繰り出しを一時的に中断した上で、図２３に示す矢印Ｒ５１のように、搬送路Ｗ１３、Ｗ８、Ｗ７、Ｗ５、Ｗ１４及びＷ１６に沿って施封ユニット１２０へ搬送する。このとき紙幣入出金機１１０では、裏向きであった紙幣を搬送路Ｗ５側から一時保留部１７へ収納させ、該一時保留部１７から搬送路Ｗ７側へ繰り出すことにより、束出金処理の場合と同様に該紙幣のスイッチバックを行ったことになり、表裏を反転させて表向きとすることができる。
【０２４７】
その後紙幣入出金機１１０は、施封ユニット１２０において、紙幣を束状に集積し、さらに集積した状態の（すなわち束状態の）紙幣に紙帯を巻き付けて施封することにより紙幣束を生成し、これを出金する。
【０２４８】
このように紙幣入出金機１１０は、整理施封処理において、接客部１２に投入された紙幣を一時保留部１７に収納した後、表向きの紙幣をそのまま施封ユニット１２０へ搬送する一方、裏向きの紙幣を搬送路Ｗ７側へ搬送してから搬送路Ｗ５側へ搬送することにより表裏反転させてから施封ユニット１２０へ搬送する。これにより紙幣入出金機１１０は、施封ユニット１２０において、接客部１２に投入された紙幣を、表裏を揃えた状態で紙幣束とすることができる。
【０２４９】
［２−４．効果等］
以上の構成において、第２の実施の形態による現金自動預払機１０１の紙幣入出金機１１０は、第１の実施の形態による紙幣入出金機１０と同様の構成に加えて、接客搬送部１１３に切替部１３５及び搬送路１３９を設け、施封搬送部１１８を設け、下搬送部１２１に切替部１６４及び１６５並びに搬送路１７９を設けた（図１２、図１３及び図１４）。
【０２５０】
すなわち紙幣入出金機１１０では、上部ユニット１１０Ｕにおいて第１の実施の形態と同様の上基幹搬送路ＷＵを形成する一方、下部ユニット１１０Ｌにおいて下基幹搬送路ＷＬ（図６）を前方向へ延長したような下基幹搬送路ＷＬ２を形成した（図１５）。
【０２５１】
これにより紙幣入出金機１１０では、第１の実施の形態と同様に、特許文献１の紙幣入出金機等と比較して、紙幣の搬送経路における屈曲箇所の数を十分に削減できると共に、搬送経路長も短く抑えることができるので、紙幣の搬送に伴う詰まり等の発生頻度を抑えて、各処理を円滑に進めることができる。
【０２５２】
これに加えて紙幣入出金機１１０では、接客搬送部１１３及び施封搬送部１１８に切替部１３５及び搬送路Ｗ１６（図１５）を設け、さらに施封ユニット１２０を設けた。このため紙幣入出金機１１０では、紙幣収納庫２２に収納されている紙幣又は接客部１２に投入された紙幣をこの施封ユニット１２０へ搬送することにより、紙幣束を生成して出金することができる（図２１、図２２及び図２３）。
【０２５３】
特に紙幣入出金機１１０では、搬送路Ｗ１３により搬送路Ｗ１１及び搬送路Ｗ８が接続されている。このため紙幣入出金機１１０では、下部ユニット１１０Ｌ側の紙幣収納庫２２から繰り出されて搬送路Ｗ８、Ｗ７及びＷ５に沿って搬送され、上部ユニット１１０Ｕ側の鑑別部１５において鑑別された紙幣を、引き続き搬送路Ｗ５、Ｗ２、Ｗ１１及びＷ１３に沿って搬送することにより、再び下部ユニット１１０Ｌ側に戻すことができる（図２１（Ａ））。
【０２５４】
これを他の観点から見れば、紙幣入出金機１１０では、矢印Ｒ３９及びＲ４０（図２１（Ａ））に沿って紙幣を搬送する場合、上後切替部５１を通過した後に鑑別部１５を通過することになる。ここで、仮に第１の実施の形態による紙幣入出金機１０（図６）のように搬送路Ｗ１３が設けられていない場合、鑑別部１５において裏向きと判別された紙幣を上後切替部５１において表裏反転させるには、搬送路Ｗ５に沿って紙幣を逆送させる（後方向へ搬送する）必要が生じるため、処理時間が格段に増加するおそれがあった。
【０２５５】
この点において本実施の形態による紙幣入出金機１１０では、搬送路Ｗ１３及び搬送路Ｗ８を利用することにより、鑑別部１５を通過した紙幣を逆送させること無く、下基幹搬送路ＷＬ２（図１５）を経由して上後切替部５１に到達させることができ、円滑に表裏を反転させることができる。
【０２５６】
また紙幣入出金機１１０では、整理施封処理（図２２（Ａ））において、搬送路Ｗ８及び搬送路Ｗ１３を搬送路貯留部ＷＳ２として入金リジェクト紙幣を貯留させるようにしたため、搬送路Ｗ８のみを搬送路貯留部ＷＳとする場合（図７（Ａ）等）と比較して、貯留可能な紙幣の最大枚数を増加させることができる。
【０２５７】
さらに紙幣入出金機１１０では、上部ユニット１１０Ｕにおいて、第１の実施の形態における接客搬送部１３に代えて接客搬送部１１３を設け、この接客搬送部１１３内に切替部１３５及び搬送路１３９を設け、さらに搬送路１４０により搬送路１３９と上側の施封ユニット１２０とを接続させた（図１３）。これにより紙幣入出金機１１０では、上前搬送部１４、鑑別部１５及び上後搬送部１６、並びに接客部１２及び一時保留部１７を、何れも第１の実施の形態における紙幣入出金機１０と同一の構成としたまま、上側の施封ユニット１２０へ紙幣を搬送するための搬送経路を形成でき（図２１（Ａ）等）、部品の共通化によるコストの低廉化を図ることができる。
【０２５８】
そのうえ接客搬送部１１３は、接客搬送部１３と同様の駆動ローラ３６並びに搬送路３７及び３８の他に、切替部１３５及び搬送路１３９を追加した構成とした（図４及び図１３）。このため紙幣入出金機１１０では、接客搬送部１１３を構成する部品の大部分を接客搬送部１３と共用することができる。特に接客搬送部１１３では、駆動ローラ３６の位置を接客搬送部１３と同一に揃えることができ、該駆動ローラ３６に駆動力を伝達するためのギア等についても共通化でき、コストの低廉化を図ることができる。
【０２５９】
さらに紙幣入出金機１１０では、下部ユニット１１０Ｌ（図１４）において、第１の実施の形態と比較して、下搬送部２１に代わる下搬送部１２１を設ける一方、紙幣収納庫２２及びリジェクト庫２３を共通の構成とした。また下搬送部１２１については、下搬送部２１（図５）と比較して、切替部１６４及び１６５並びに搬送路１７９を追加するものの、搬送路８０を上下に分けて搬送路１８１及び１８２とすることで実質的に同一部品とし、また切替部６１〜６３並びに搬送路７１〜７８を共通の構成とした。
【０２６０】
これにより紙幣入出金機１１０では、紙幣収納庫２２及びリジェクト庫２３や、下搬送部１２１のうち切替部６１〜６３並びに搬送路７１〜７８に関する部品等を、第１の実施の形態と共通化することができるので、やはりコストの低廉化を図ることができる。
【０２６１】
また紙幣入出金機１１０は、その他の点においても、第１の実施の形態による紙幣入出金機１０と同様の作用効果を奏し得る。
【０２６２】
以上の構成によれば、第２の実施の形態による現金自動預払機１０１の紙幣入出金機１１０は、上部ユニット１１０Ｕに前後方向に沿った上基幹搬送路ＷＵを形成し、下部ユニット１１０Ｌに前後方向に沿った下基幹搬送路ＷＬ２を形成し、両者を後端近傍の後受渡部Ｃ１及び前受渡部Ｃ２で接続した。これにより紙幣入出金機１１０は、第１の実施の形態による紙幣入出金機１０と多くの部品を共通化しながら、基幹となる搬送路における屈曲箇所の数を比較的少なく抑えると共に、搬送経路長も短く抑えることができ、紙幣の搬送に伴う詰まり等の発生頻度を最小限に抑えて、各処理を円滑に進めることができる。さらに紙幣入出金機１１０は、紙幣の表裏に応じて搬送経路を切り替えることにより、紙幣の逆送のような時間を要する処理を行うこと無く、表裏反転させた上で、施封ユニット１２０により施封させることができる。
【０２６３】
［３．第３の実施の形態］
第３の実施の形態による現金自動預払機２０１（図１）は、第１の実施の形態による現金自動預払機１と比較して、紙幣入出金機１０に代わる紙幣入出金機２１０を有する点において相違するものの、他の点については同様に構成されている。
【０２６４】
紙幣入出金機２１０は、図２と対応する図２４に示すように、上部ユニット１０Ｕ及び下部ユニット１０Ｌに代わる上部ユニット２１０Ｕ及び下部ユニット２１０Ｌを有している。また紙幣入出金機２１０は、第１の実施の形態（図３）と同様、紙幣入出金機フレーム（図示せず）に対し上部ユニット２１０Ｕ及び下部ユニット２１０Ｌをそれぞれ単独で前方へ引き出し得るようになっている。
【０２６５】
［３−１．上部ユニットの構成］
上部ユニット２１０Ｕは、第１の実施の形態による上部ユニット１０Ｕと比較して、紙幣制御部１１、上前搬送部１４及び上後搬送部１６に代わる紙幣制御部２１１、上前搬送部２１４及び上後搬送部２１６を有する点において相違するものの、他の点については同様に構成されている。
【０２６６】
上部ユニット２１０Ｕは、その前側部分において、上側前部に位置する接客部１２の前端を基準位置Ｐ０とすると、下側前部に位置する上前搬送部２１４における前端の位置Ｐ３がこの基準位置Ｐ０よりも距離Ｌ３だけ前側に位置している。その一方で上部ユニット２１０Ｕは、その後側部分において、上後搬送部２１６の後端を一時保留部１７の後端と同一の位置Ｐ１に揃えている。
【０２６７】
また上部ユニット１０Ｕは、その後側部分において、上側後部に位置する一時保留部１７の後端が第１の実施の形態と同様に位置Ｐ１となっており、且つその下側に位置する上後搬送部２１６の後端もこの位置Ｐ１となっている。すなわち基準位置Ｐ０を基準とした場合、上後搬送部２１６の後端は、第１の実施の形態における上後搬送部２１６の後端よりも前側に位置している。
【０２６８】
紙幣制御部２１１は、紙幣制御部１１等と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部２１１は、やはり紙幣制御部１１等と同様、内部にＲＡＭ及びフラッシュメモリ等でなる記憶部を有しており、この記憶部に種々の情報を記憶させる。
【０２６９】
図４と対応する図２５に示すように、上前搬送部２１４は、第１の実施の形態による上前搬送部１４と比較して、前方へ延長されており、搬送路４５に代わる搬送路２４５を有する点において相違するものの、他の点については同様に構成されている。搬送路２４５は、上前第１切替部４１の前側に接続されており、該上前第１切替部４１から前方へ向かい、さらに下方へ向かうよう屈曲されている。この搬送路２４５の下端は、搬送路４５（図４）の場合と同様、上部ユニット前受渡口Ｔ１２となっている。
【０２７０】
上後搬送部２１６は、第１の実施の形態による上後搬送部１６と比較して、後側部分が短縮されており、搬送路５４に代わる搬送路２５４を有する点において相違するものの、他の点については同様に構成されている。搬送路２５４は、搬送路５４と比較して、前後方向に沿った部分の長さが短縮されている。また搬送路２５４の下端は、搬送路５４（図４）の場合と同様、上部ユニット後受渡口Ｔ１１となっている。
【０２７１】
このように上部ユニット２１０Ｕは、第１の実施の形態による上部ユニット１０Ｕと比較して、上部ユニット後受渡口Ｔ１１及び上部ユニット前受渡口Ｔ１２が何れも前方に位置しており、これに合わせて搬送路２４５及び２５４の形状が搬送路４５及び５４とそれぞれ相違している。
【０２７２】
すなわち上部ユニット２１０Ｕにおける下側部分では、上前搬送部２１４の搬送路２４５、４４及び４７、鑑別部１５の鑑別搬送路４８、並びに上後搬送部２１６の搬送路５２及び５４により、前後方向に沿って概ね一直線状となる一本の搬送路が形成されている。そこで以下では、この搬送路を上基幹搬送路ＷＵ３（図２４）と呼び、また前側の上前搬送部２１４、中程の鑑別部１５及び後側の上後搬送部２１６をまとめて上搬送部２１０ＵＣ（図２５）とも呼ぶ。
【０２７３】
［３−２．下部ユニットの構成］
下部ユニット２１０Ｌは、図５と対応する図２６に示すように、第１の実施の形態による下部ユニット１０Ｌと比較して、下搬送部２１に代わる下搬送部２２１を有している。また下部ユニット２１０Ｌは、紙幣収納庫２２Ａ及びリジェクト庫２３に代わる補充回収庫２２４及びリジェクト庫２２３を有し、さらに補充リジェクト庫２２５、下前搬送部２２７及び取忘収納庫２２８を有する点において相違するものの、他の点については同様に構成されている。
【０２７４】
因みに下部ユニット２１０Ｌの後端は、上部ユニット２１０Ｕにおける一時保留部１７及び上後搬送部２１６の後端と同一の位置Ｐ１に揃えられている。また下部ユニット２１０Ｌの前端は、上部ユニット２１０Ｕにおける上前搬送部２１４の前端と同一の位置Ｐ３に揃えられている。換言すれば、下部ユニット２１０Ｌは、第１及び第２の実施の形態と異なり、その前端が基準位置Ｐ０よりも距離Ｌ３だけ前側の位置Ｐ３に位置している。
【０２７５】
［３−２−１．下搬送部の構成］
下搬送部２２１は、第１の実施の形態による下搬送部２１と比較して、主に前方向に延長された構成となっており、切替部２６４、２６５及び２６６が追加され、且つ搬送路２７９、２８１、２８２、２８３及び２８４が追加された点において相違するものの、他の点については同様に構成されている。
【０２７６】
切替部２６４は、搬送路７７及び７８の接続箇所に設けられており、さらに前側に搬送路２７９が接続されている。一方、搬送路２８１及び２８２は、第１の実施の形態における搬送路８０（図５）を上下に２分割したような構成となっており、その接続箇所に切替部２６５が配置されている。搬送路２８１の上端は、搬送路８０の上端と同様、下部ユニット前受渡口Ｔ２２となっている。また搬送路２８２の下端は、後述する下前搬送部２２７と接続されている。
【０２７７】
切替部２６５は、後側に搬送路２８３が接続されている。この搬送路２８３は、後側の搬送路２７９と接続され、その接続箇所に切替部２６６が配置されている。この切替部２６６の下側には、搬送路２８４が接続されている。搬送路２８４の下端は、後述する補充リジェクト庫２２５に接続されている。
【０２７８】
切替部２６４、２６５及び２６６は、何れも切替部６１〜６３と同様に構成されており、紙幣制御部２１１の制御に基づいてブレードの傾斜方向を変化させ、紙幣の搬送経路を切り替えるようになっている。具体的に切替部２６４は、後側の搬送路７７及び下側の搬送路７８を接続する搬送経路と、前側の搬送路２７９及び下側の搬送路７８を接続する搬送経路とを切り替えることができる。すなわち切替部２６４は、第２の実施の形態における切替部１６４（図１４）と異なり、後側の搬送路７７と前側の搬送路２７９とを接続する搬送経路を形成することはできない。説明の都合上、以下では切替部２６４を補充回収庫切替部とも呼び、また搬送路７８を補充回収搬送路とも呼ぶ。
【０２７９】
切替部２６５は、上側の搬送路２８１及び下側の搬送路２８２を接続する搬送経路と、上側の搬送路２８１及び後側の搬送路２８３を接続する搬送経路とを切り替えることができる。また切替部２６６は、前側の搬送路２８３及び下側の搬送路２８４を接続する搬送経路と、前側の搬送路２８３及び後側の搬送路２７９を接続する搬送経路とを切り替えることができる。説明の都合上、以下では搬送路２８３及び２７９をまとめて下接続搬送路とも呼ぶ。
【０２８０】
すなわち下搬送部２２１は、第１の実施の形態による下搬送部２１と同様、例えば上部ユニット２１０Ｕ（図２５）から下部ユニット後受渡口Ｔ２１を介して紙幣が搬送されてきた場合、この紙幣を適切な搬送経路に沿って進行させ、下側の紙幣収納庫２２Ｄ〜２２Ｂ又は補充回収庫２２４にそれぞれ引き渡すことができる。これと同様に下搬送部２２１は、これらの４通りの搬送経路に沿って紙幣を反対方向へ進行させることにより、紙幣収納庫２２Ｄ〜２２Ｂ又は補充回収庫２２４から受け取った紙幣を下部ユニット後受渡口Ｔ２１へ搬送し、上部ユニット２１０Ｕ（図２５）へ引き渡すこともできる。
【０２８１】
また下搬送部２２１は、上部ユニット２１０Ｕ（図２５）から下部ユニット前受渡口Ｔ２２を介して紙幣が搬送されてきた場合、この紙幣を搬送路２８１及び２８２に沿って進行させて下前搬送部２２７に引き渡すことや、搬送路２８１、２８３及び２８４に沿って進行させて補充リジェクト庫２２５に引き渡すことができる。
【０２８２】
さらに下搬送部２２１は、この紙幣を搬送路２８１、２８３、２７９及び７８に沿って進行させて補充回収庫２２４に引き渡すこともできる。これと同様に下搬送部２２１は、この搬送経路に沿って紙幣を反対方向へ進行させることにより、補充回収庫２２４から受け取った紙幣を下部ユニット後受渡口Ｔ２１へ搬送し、上部ユニット２１０Ｕ（図２５）へ引き渡すこともできる。
【０２８３】
因みに下搬送部２２１では、第１の実施の形態における下搬送部２１と同様、搬送路７３、７５及び７７により構成された、前後方向に沿って概ね一直線状となる一本の搬送路を下基幹搬送路ＷＬ（図２４）と呼ぶ。すなわち下搬送部２２１では、下基幹搬送路ＷＬ及び搬送路７８（すなわち補充回収搬送路）の合流箇所に、切替部２６４（補充回収切替部）が設けられていることになる。
【０２８４】
［３−２−２．補充回収庫及び補充リジェクト庫の構成］
補充回収庫２２４は、紙幣収納庫２２Ｂの前側に配置され、第１の実施の形態による紙幣収納庫２２と概ね同様に構成されている。すなわち補充回収庫２２４は、全体として直方体状に形成され、その内部に収納空間、分離放出部及び収納庫搬送部等が設けられている。このため補充回収庫２２４は、やはり紙幣収納庫２２と同様に、紙幣制御部２１１の制御に基づき、紙幣を収納する収納処理や紙幣を繰り出す繰出処理を行うことができる。また補充回収庫２２４は、下搬送部２２１における切替部２６４のほぼ真下に位置している。因みに補充回収庫２２４における紙幣の最大収納枚数は、紙幣収納庫２２と同等となっている。
【０２８５】
補充リジェクト庫２２５は、補充回収庫２２４の前側に配置されており、該補充回収庫２２４と比較して、上下方向及び左右方向の長さが同等である一方、前後方向の長さが１／３ないし１／４程度に短くなっている。この補充リジェクト庫２２５は、第１の実施の形態によるリジェクト庫２３と同様、下搬送部２２１から受け取った紙幣を内部に収納する機能を有する一方、内部に収納されている紙幣を１枚ずつに分離して繰り出す分離機能を有していない。また補充リジェクト庫２２５は、下搬送部２２１における切替部２６６のほぼ真下に位置している。
【０２８６】
さらに、補充回収庫２２４及び補充リジェクト庫２２５は、図２７（Ａ）に示すように、該補充回収庫２２４の前面と該補充リジェクト庫２２５の後面とを重ねるように一体化され、補充回収カセット２２６を構成している。この補充回収カセット２２６は、下部ユニット２１０Ｌに対し着脱可能に構成されている。
【０２８７】
補充回収カセット２２６は、補充回収庫２２４の前面及び補充リジェクト庫２２５の後面における一辺、例えば右辺の近傍に蝶番（図示せず）が設けられており、この蝶番により補充回収庫２２４に対し補充リジェクト庫２２５を回動させ得るようになっている。すなわち補充回収カセット２２６は、下部ユニット２１０Ｌに取り付けられる場合には、図２７（Ａ）に示したように補充回収庫２２４の前面及び補充リジェクト庫２２５の後面を互いに重ねて、１個の直方体状となる。
【０２８８】
一方、補充回収カセット２２６は、保守作業等において下部ユニット２１０Ｌから取り出された上で、図２７（Ｂ）に示すように、蝶番において補充回収庫２２４に対し補充リジェクト庫２２５を回動させると、補充回収庫２２４の前面及び補充リジェクト庫２２５の後面を互いに引き離すことができる。以下、この状態を開いた状態と呼ぶ。さらに補充回収カセット２２６には、補充回収庫２２４の前面及び補充リジェクト庫２２５の後面の間に、回動可能な内扉２２６Ｄが設けられている。
【０２８９】
このため補充回収カセット２２６では、図２７（Ｂ）に示したように、開いた状態において補充回収庫２２４の収納空間にアクセスすること、すなわち紙幣の取出又は装填を行うことができる。また補充回収カセット２２６では、図２７（Ｃ）に示すように、開いた状態において内扉２２６Ｄを補充回収庫２２４側へ回動させることにより、補充リジェクト庫２２５の収納空間から紙幣を取り出すことができる。
【０２９０】
因みに第３の実施の形態による紙幣入出金機２１０では、下部ユニット２１０Ｌに対し、紙幣収納庫２２（２２Ｄ〜２２Ｂ）を着脱せず、主に補充回収カセット２２６を着脱させることにより、紙幣の補充や回収を行うことが想定されている。
【０２９１】
［３−２−３．リジェクト庫、下前搬送部及び取忘収納庫の構成］
リジェクト庫２２３は、下搬送部２２１の下側における最も前側となる部分の上寄りに配置されており、第１の実施の形態におけるリジェクト庫２３（図５）と同様、搬送されてきた紙幣を内部に収納することができる。因みにリジェクト庫２２３は、紙幣収納庫２２と比較して、左右方向の長さが同等である一方、上下方向の長さが半分以下に抑えられている。またリジェクト庫２２３は、紙幣収納庫２２等と異なり、上面では無く後面における上端近傍に、外部から紙幣を受け取る受取口が設けられている。
【０２９２】
取忘収納庫２２８は、下搬送部２２１の下側における最も前側となる部分の下寄り、すなわちリジェクト庫２２３の下側に配置されている。この取忘収納庫２２８は、リジェクト庫２２３と同様に構成されており、搬送されてきた紙幣を内部に収納することができる。因みに取忘収納庫２２８は、下部ユニット２１０Ｌの構造上、上下方向の長さ（すなわち高さ）が紙幣収納庫２２よりも小さく（すなわち低く）なるため、全体として該紙幣収納庫２２よりも小型に構成されている。
【０２９３】
下前搬送部２２７は、下搬送部２２１における切替部２６５及び搬送路２８２の下側であって、補充リジェクト庫２２５の前側且つリジェクト庫２２３及び取忘収納庫２２８の後側に位置している。下前搬送部２２７内には、上端のやや下側に切替部２９１が配置されている。切替部２９１は、下搬送部２２１の切替部６１等と同様に構成され、紙幣制御部２１１の制御に基づいてブレードの傾斜方向を変化させ、紙幣の搬送経路を切り替えるようになっている。
【０２９４】
切替部２９１の周囲には、下搬送部２２１における搬送路２８２の下端と該切替部２９１とを接続する搬送路２９２、該切替部２９１と前側のリジェクト庫２２３とを接続する搬送路２９３、及び該切替部２９１と前方下側の取忘収納庫２２８とを接続する搬送路２９４が設けられている。この搬送路２９２、２９３及び２９４は、下搬送部２２１における搬送路７１等と同様、複数の搬送ガイドや搬送ローラ等によりそれぞれ構成されている。このため切替部２９１は、上側の搬送路２９２及び前側の搬送路２９３を接続する搬送経路と、上側の搬送路２９２及び下側の搬送路２９４を接続する搬送経路とを切り替えることができる。説明の都合上、以下では搬送路２９２及び２９４を下分岐搬送路とも呼ぶ。
【０２９５】
すなわち下前搬送部２２７は、例えば下搬送部２２１の搬送路２８２から紙幣が搬送されてきた場合、この紙幣を搬送路２９２及び２９３に沿って進行させてリジェクト庫２２３に引き渡すことや、この紙幣を搬送路２９２及び２９４に沿って進行させて取忘収納庫２２８に引き渡すことができる。
【０２９６】
［３−３．紙幣入出金機における各種処理］
次に、図６及び図１５と対応する図２８に示すように、紙幣入出金機２１０（図２４、図２５及び図２６）を模式化した上で、該紙幣入出金機１１０における紙幣の搬送を伴う種々の処理について、それぞれ詳細に説明する。
【０２９７】
この図２８では、図６及び図１５と同様、接客部１２等の各モジュールを単純な長方形により表し、上前第１切替部４１、上前第２切替部４２、上後切替部５１、並びに切替部６１、６２及び６３に加えて、切替部２６４、２６５、２６６及び２９１を、それぞれ単純な三角形により表している。さらに図２８では、図６及び図１５と同様、各モジュール及び各切替部をそれぞれ結ぶ搬送路を線分により表している。
【０２９８】
すなわち搬送路Ｗ１、Ｗ２、Ｗ４〜Ｗ９は、それぞれ第１の実施の形態（図６）と同様に構成されている。搬送路Ｗ１１は、上前搬送部１４の搬送路４５及び下搬送部２２１の搬送路２８１に相当する。搬送路Ｗ２１は、下搬送部２２１の搬送路７８に相当する。搬送路Ｗ２２は、下搬送部２２１の搬送路２７９に相当する。搬送路Ｗ２３は、下搬送部２２１の搬送路２８３に相当する。搬送路Ｗ２４は、下搬送部２２１の搬送路２８４に相当する。
【０２９９】
また搬送路Ｗ２５は、下搬送部２２１の搬送路２８２及び下前搬送部２２７の搬送路２９２に相当する。搬送路Ｗ２６は、下前搬送部２２７の搬送路２９３に相当する。搬送路Ｗ２７は、下前搬送部２２７の搬送路２９４に相当する。すなわち、第１の実施の形態における搬送路Ｗ３（図６）は、搬送路Ｗ１１、Ｗ２５及びＷ２６と対応している。
【０３００】
この図２８から分かるように、紙幣入出金機２１０では、上基幹搬送路ＷＵ３と補充回収庫２２４とを結ぶ搬送経路として、後側の搬送路Ｗ８の他に、前側の搬送路Ｗ２２及びＷ２３を選択することもできる。ただし紙幣入出金機２１０では、第２の実施の形態による紙幣入出金機１１０と異なり、切替部２６４の後側に位置する搬送路Ｗ８と前側に位置する搬送路Ｗ２２との間で紙幣を搬送することはできない。これを換言すれば、紙幣入出金機２１０では、下部ユニット２１０Ｌ（図２６）側において、後受渡部Ｃ１及び前受渡部Ｃ２の間で紙幣を搬送することはできない。
【０３０１】
因みに、上基幹搬送路ＷＵ３は、搬送路Ｗ７、Ｗ５、Ｗ２及びＷ１１に相当している。また下基幹搬送路ＷＬは、第１の実施の形態と同様、搬送路Ｗ８Ｄ、Ｗ８Ｃ及びＷ８Ｂ（すなわち搬送路Ｗ８）に相当している。
【０３０２】
［３−３−１．入金処理及び収納処理］
紙幣入出金機２１０は、入金処理を行う場合、図７（Ａ）及び（Ｂ）とそれぞれ対応する図２９（Ａ）及び（Ｂ）に示すように、概ね第１の実施の形態と同様に紙幣を搬送する。すなわち紙幣入出金機２１０は、入金処理において、矢印Ｒ１、Ｒ２、Ｒ３及びＲ４とそれぞれ対応する矢印Ｒ６１、Ｒ６２、Ｒ６３及びＲ６４に沿って、紙幣をそれぞれ搬送する。
【０３０３】
また紙幣入出金機２１０は、収納処理を行う場合、図８と対応する図３０に示すように、概ね第１の実施の形態と同様に紙幣を搬送する。すなわち紙幣入出金機２１０は、収納処理において、矢印Ｒ５及びＲ６とそれぞれ対応する矢印Ｒ６５及びＲ６６に沿って紙幣を搬送する。
【０３０４】
このとき紙幣入出金機２１０は、補充回収庫２２４を紙幣収納庫２２Ｂ〜２２Ｄと同様に位置づけて、所定の金種を割り当てており、この金種の再利用可能な紙幣を該補充回収庫２２４に搬送して収納する。また紙幣入出金機２１０は、紙幣（リジェクト紙幣）をリジェクト庫２２３へ搬送する場合、第１の実施の形態における搬送路Ｗ３に代えて、搬送路Ｗ１１、Ｗ２５及びＷ２６に沿って搬送する。
【０３０５】
これにより紙幣入出金機２１０は、第１の実施の形態と同様、入金取引において、前段の入金処理において紙幣を鑑別した際に各紙幣の搬送先を決定しながら一時保留部１７に収納し、入金取引の継続が指示されると、後段の収納処理において各紙幣を鑑別部１５により再度鑑別すること無く、既に決定している搬送先へ搬送することができる。
【０３０６】
［３−３−２．出金処理］
紙幣入出金機２１０は、出金処理を行う場合、図９（Ａ）、（Ｂ）及び（Ｃ）とそれぞれ対応する図３１（Ａ）、（Ｂ）及び（Ｃ）に示すように、概ね第１の実施の形態と同様に紙幣を搬送する。すなわち紙幣入出金機２１０は、出金処理において、矢印Ｒ７、Ｒ８、Ｒ９、Ｒ１０、Ｒ１１及びＲ１２とそれぞれ対応する矢印Ｒ６７、Ｒ６８、Ｒ６９、Ｒ７０、Ｒ７１及びＲ７２に沿って、紙幣をそれぞれ搬送する。ただし紙幣入出金機２１０は、紙幣（リジェクト紙幣）をリジェクト庫２２３へ搬送する場合、第１の実施の形態における搬送路Ｗ３に代えて、搬送路Ｗ１１、Ｗ２５及びＷ２６に沿って搬送する。
【０３０７】
このとき紙幣入出金機２１０は、入金処理の場合と同様、補充回収庫２２４を紙幣収納庫２２Ｂ〜２２Ｄと同様に位置づけて、所定の金種を割り当てており、出金すべき紙幣がこの金種であれば、該補充回収庫２２４から紙幣を繰り出して搬送する。
【０３０８】
これにより紙幣入出金機２１０は、第１の実施の形態と同様、出金処理において、鑑別部１５からの検知結果に基づいて上前第２切替部４２の搬送経路を切り替えながら、出金額に応じた紙幣を各紙幣収納庫２２又は補充回収庫２２４から接客部１２まで搬送し、顧客に引き渡すことができる。
【０３０９】
［３−３−３．補充処理］
紙幣入出金機２１０は、紙幣収納庫２２（２２Ｂ〜２２Ｄ）に紙幣を補充する場合、上述したように、該紙幣収納庫２２では無く補充回収カセット２２６（図２７）が下部ユニット２１０Ｌから取り外され、補充回収庫２２４に紙幣が装填された上で、該下部ユニット２１０Ｌに再び装着される。続いて紙幣入出金機２１０は、補充回収庫２２４から紙幣収納庫２２へ紙幣を移動させる補充処理を行う。
【０３１０】
具体的に紙幣入出金機２１０の紙幣制御部２１１は、現金自動預払機２０１の主制御部９（図１）と連携することにより、操作表示部６を介して金融機関の職員等から紙幣の補充を行う旨の操作入力を受け付けると、補充処理を開始する。このとき紙幣入出金機２１０は、操作表示部６を介して移動先となる紙幣収納庫２２（２２Ｂ〜２２Ｄ）及び移動する紙幣の枚数を含む所定の操作入力を受け付けた上で、補充回収庫２２４に収納されている紙幣を１枚ずつに分離しながら繰り出し、下流の搬送路Ｗ２１に順次引き渡す。
【０３１１】
続いて紙幣入出金機２１０は、図３２（Ａ）に示す矢印Ｒ７３のように、紙幣を搬送路Ｗ２１、Ｗ２２、Ｗ２３、Ｗ１１、Ｗ２及びＷ５に沿って搬送し、鑑別部１５を通過する際に鑑別させる。ここで紙幣入出金機２１０は、紙幣制御部２１１により、鑑別部１５から得られる検知結果を基に鑑別し、各紙幣の搬送先を決定する。
【０３１２】
ここで紙幣入出金機２１０は、紙幣が正常であれば、矢印Ｒ７４のように搬送路Ｗ５、Ｗ７、Ｗ８及びＷ９に沿って紙幣収納庫２２へ搬送して収納させる。また紙幣入出金機２１０は、紙幣が何らかの異常を有する補充リジェクト紙幣であれば、矢印Ｒ７５のように搬送路Ｗ５及びＷ６に沿って一時保留部１７へ搬送して収納させる。
【０３１３】
やがて紙幣入出金機２１０は、補充回収庫２２４から全ての紙幣を繰り出し、又は指定された枚数の紙幣を移動先の紙幣収納庫２２へ移動させると、一時保留部１７に収納していた紙幣（補充リジェクト紙幣）を移動させる。すなわち紙幣入出金機２１０は、一時保留部１７から紙幣（補充リジェクト紙幣）を繰り出し、図３２（Ｂ）に示す矢印Ｒ７６のように、搬送路Ｗ５、Ｗ２、Ｗ１１、Ｗ２３及びＷ２４に沿って補充リジェクト庫２２５へ搬送して収納させる。
【０３１４】
このように紙幣入出金機２１０は、補充処理において、上基幹搬送路ＷＵ３を経由する搬送経路により、紙幣を補充回収庫２２４から移動先の紙幣収納庫２２へ搬送して移動することができる。またこのとき紙幣入出金機２１０は、補充リジェクト紙幣が発生した場合には、これを補充リジェクト庫２２５へ搬送して収納することができる。
【０３１５】
［３−３−４．回収処理］
紙幣入出金機２１０では、紙幣収納庫２２（２２Ｂ〜２２Ｄ）に収納された紙幣を回収する場合、上述したように、下部ユニット２１０Ｌから該紙幣収納庫２２を着脱させるのでは無く、該紙幣収納庫２２から補充回収庫２２４へ移動させる回収処理を行った上で、補充回収カセット２２６（図２７）を着脱させるようになっている。
【０３１６】
具体的に紙幣入出金機２１０の紙幣制御部２１１は、現金自動預払機２０１の主制御部９（図１）と連携することにより、操作表示部６を介して金融機関の職員等から紙幣の回収を行う旨の操作入力を受け付けると、回収処理を開始する。このとき紙幣入出金機２１０は、操作表示部６を介して移動元となる紙幣収納庫２２（２２Ｂ〜２２Ｄ）の指定を含む所定の操作入力を受け付けた上で、この移動元に指定された紙幣収納庫２２に収納されている紙幣を１枚ずつに分離しながら繰り出し、下流の搬送路Ｗ９に順次引き渡す。
【０３１７】
続いて紙幣入出金機２１０は、図３３に示す矢印Ｒ７７のように、紙幣を搬送路Ｗ９、Ｗ８、Ｗ７及びＷ５に沿って搬送し、鑑別部１５を通過する際に鑑別させる。ここで紙幣入出金機２１０は、紙幣制御部２１１により、鑑別部１５から得られる検知結果を基に、各紙幣の状態及に応じて搬送先を決定する。
【０３１８】
すなわち紙幣入出金機２１０は、紙幣が正常であれば、矢印Ｒ７８として示すように、該紙幣を搬送路Ｗ５、Ｗ２、Ｗ１１、Ｗ２３、Ｗ２２及びＷ２１に沿って補充回収庫２２４へ搬送して収納させる。また紙幣入出金機２１０は、紙幣が異常であれば、すなわちリジェクト紙幣であれば、矢印Ｒ７９として示すように、該紙幣を搬送路Ｗ５、Ｗ２、Ｗ１１、Ｗ２３及びＷ２４に沿って補充リジェクト庫２２５へ搬送して収納させ、又は搬送路Ｗ５、Ｗ２、Ｗ１１、Ｗ２５及びＷ２６に沿ってリジェクト庫２２３へ搬送して収納させる。
【０３１９】
このように紙幣入出金機２１０は、回収処理において、補充処理の場合と同様に上基幹搬送路ＷＵ３を経由する搬送経路により、紙幣を移動元の紙幣収納庫２２から補充回収庫２２４へ搬送して移動することができる。またこのとき紙幣入出金機２１０は、リジェクト紙幣が発生した場合には、これを補充リジェクト庫２２５又はリジェクト庫２２３へ搬送して収納することができる。
【０３２０】
［３−３−５．紙幣移動処理］
紙幣入出金機２１０は、移動処理を行う場合、まず上述した出金処理の場合（図３１（Ａ））と同様、矢印Ｒ６７、Ｒ６８及びＲ６９に沿って紙幣をそれぞれ搬送する。これにより紙幣入出金機２１０は、移動元の紙幣収納庫２２又は補充回収庫２２４から、正常な紙幣を接客部１２へ搬送して収容器３１内に集積し、また正常で無い紙幣（リジェクト紙幣）をリジェクト庫２２３へ搬送して収納する。
【０３２１】
続いて紙幣入出金機２１０は、図１０（Ａ）及び（Ｂ）とそれぞれ対応する図３４（Ａ）及び（Ｂ）に示すように、概ね第１の実施の形態と同様に紙幣を搬送することにより、接客部１２内の紙幣を移動先となる紙幣収納庫２２、補充回収庫２２４又はリジェクト庫２２３へ搬送して収納する。すなわち紙幣入出金機２１０は、紙幣移動処理において、矢印Ｒ１３、Ｒ１４、Ｒ１５及びＲ１６とそれぞれ対応する矢印Ｒ８１、Ｒ８２、Ｒ８３及びＲ８４に沿って、紙幣をそれぞれ搬送する。ただし紙幣入出金機２１０は、紙幣（リジェクト紙幣）をリジェクト庫２２３へ搬送する場合、第１の実施の形態における搬送路Ｗ３に代えて、搬送路Ｗ１１、Ｗ２５及びＷ２６に沿って搬送する。
【０３２２】
これにより紙幣入出金機２１０は、第１の実施の形態と同様、紙幣移動処理において、接客部１２を一時的な紙幣の収納場所として利用しながら、移動元の紙幣収納庫２２又は補充回収庫２２４から移動先の紙幣収納庫２２又は補充回収庫２２４へ紙幣を移動させることができる。
【０３２３】
［３−３−６．接客分離異常リトライオーバ処理］
紙幣入出金機２１０は、接客分離異常リトライオーバ処理を行う場合、図１１（Ａ）及び（Ｂ）とそれぞれ対応する図３５（Ａ）及び（Ｂ）に示すように、概ね第１の実施の形態と同様に紙幣を搬送する。すなわち紙幣入出金機２１０は、接客分離異常リトライオーバ処理において、矢印Ｒ１７及びＲ１８とそれぞれ対応する矢印Ｒ８５及びＲ８６に沿って、紙幣をそれぞれ搬送する。
【０３２４】
これにより紙幣入出金機２１０は、第１の実施の形態と同様、接客分離異常リトライオーバ処理において、分離部３１Ｓにより正常に分離できなかった紙幣を接客部１２から一度繰り出させ、再び接客部１２に戻して放出部３１Ｅから収容器３１内へ放出させ、集積することができる。
【０３２５】
［３−３−７．取忘取込処理］
紙幣入出金機２１０は、取忘取込処理を行う場合、第１の実施の形態と一部のみ同様に、入金処理と同様の処理手順によって紙幣を順次搬送する。すなわち紙幣入出金機２１０は、まず図２９（Ａ）及び（Ｂ）に示したように、矢印Ｒ６１、Ｒ６２、Ｒ６３及びＲ６４に沿って紙幣をそれぞれ搬送することにより、取忘紙幣を一時保留部１７へ搬送する。
【０３２６】
その後紙幣入出金機２１０は、入金処理の場合とは異なり、図３６に示す矢印Ｒ８７のように、一時保留部１７から紙幣（取忘紙幣）を順次繰り出し、搬送路Ｗ６、Ｗ５、Ｗ２、Ｗ１１、Ｗ２５及びＷ２７に沿って取忘収納庫２２８へ搬送して、収納させる。
【０３２７】
これによりの紙幣入出金機２１０は、出金処理において紙幣の取り忘れが発生した場合、取忘取込処理として、取忘紙幣を入金処理と同様の搬送経路により一時保留部１７へ取り込んだ後、専用の取忘収納庫２２８へ搬送して収納することができる。
【０３２８】
［３−４．効果等］
以上の構成において、第３の実施の形態による現金自動預払機２０１の紙幣入出金機２１０は、第１の実施の形態による紙幣入出金機１０の紙幣収納庫２２Ａに代えて補充回収庫２２４を設け、これと共に切替部２６４及び２６５並びに搬送路Ｗ２２及びＷ２３等を設けた（図２８）。
【０３２９】
このため紙幣入出金機２１０は、補充処理において、補充回収庫２２４から上部ユニット２１０Ｕ側の上基幹搬送路ＷＵ３を経由して移動先の紙幣収納庫２２へ紙幣を移動させることができる（図３２（Ａ）及び（Ｂ））。また紙幣入出金機２１０は、回収処理において、移動元の紙幣収納庫２２から上部ユニット２１０Ｕ側の上基幹搬送路ＷＵ３を経由して補充回収庫２２４へ紙幣を移動させることができる（図３３）。
【０３３０】
すなわち紙幣入出金機２１０は、補充処理及び回収処理において、その大部分を占める正常な紙幣については、第１の実施の形態における移動処理（図９（Ａ）及び図１０（Ａ））等と異なり、接客部１２や一時保留部１７に一度収納させること無く、紙幣を移動元から移動先まで搬送できる。これにより紙幣入出金機２１０は、紙幣収納庫２２及び補充回収庫２２４の間で、多数の紙幣を比較的短い時間で効率良く移動させることができる。
【０３３１】
また紙幣入出金機２１０は、補充回収庫２２４に金種を割り当て、再利用可能な紙幣を収納させるようにしたため、該補充回収庫２２４を補充処理又は回収処理で使用しない場合にも、有効に利用することができる。
【０３３２】
これを他の観点から見れば、紙幣入出金機２１０では、紙幣収納庫２２と補充回収庫２２４との間で紙幣を搬送する場合に、鑑別部１５を通過させてリジェクト紙幣を排除する必要がある。すなわち紙幣入出金機２１０では、鑑別部１５を挟んで紙幣収納庫２２と反対側に補充回収庫２２４を接続する必要がある。
【０３３３】
その一方で紙幣入出金機２１０では、補充回収庫２２４を紙幣収納庫２２と同様に再利用可能な紙幣の収納場所として利用するためには、該補充回収庫２２４を、鑑別部１５や一時保留部１７に対して紙幣収納庫２２と同様の搬送経路を形成し得るように接続する必要、すなわち後受渡部Ｃ１（図２８）と接続する必要がある。
【０３３４】
そこで紙幣入出金機２１０では、補充回収庫２２４の上側に切替部２６４を設け、該補充回収庫２２４と接続された搬送路Ｗ２１を、後側の搬送路Ｗ８及び前側の搬送路Ｗ２２の何れとも接続し得るようにした。これにより紙幣入出金機２１０では、補充処理及び回収処理において紙幣を短時間で搬送できることに加えて、該補充回収庫２２４を紙幣収納庫２２と同様に再利用可能な紙幣の収納場所として利用することができる。
【０３３５】
また紙幣入出金機２１０では、リジェクト庫２２３に加えて補充リジェクト庫２２５を設けたため、補充処理において発生した補充リジェクト紙幣を他のリジェクト紙幣と区別して収納することができる（図３２）。
【０３３６】
さらに紙幣入出金機２１０では、補充回収庫２２４及び補充リジェクト庫２２５を一体化して補充回収カセット２２６としたため（図２７）、両者を互いに独立した構成とする場合と比較して、下部ユニット２１０Ｌから取り外した状態での運搬作業等を容易化することができる。
【０３３７】
そのうえ紙幣入出金機２１０では、取忘紙幣を収納するための取忘収納庫２２８を設けたため（図２６）、本来的に顧客の所有物である取忘紙幣を、金融機関等の所有物である他の紙幣と区別した状態で保管することができる。
【０３３８】
さらに紙幣入出金機２１０は、第１の実施の形態による紙幣入出金機１０（図２、図４及び図５）と比較して、接客部１２、接客搬送部１３、鑑別部１５、一時保留部１７及び紙幣収納庫２２Ｂ〜２２Ｄを同一の構成とした。また紙幣入出金機２１０は、上前搬送部２１４における搬送路２４５以外の部分、上後搬送部２１６における搬送路２５４以外の部分、並びに下搬送部２２１における切替部６１〜６３及び搬送路７１〜７８を、何れも紙幣入出金機１０と同一の構成とした。これにより紙幣入出金機２１０は、紙幣入出金機１０との間で多くの部品を共通化でき、コストの低廉化を図ることができる。
【０３３９】
また紙幣入出金機２１０は、その他の点においても、第１の実施の形態による紙幣入出金機１０と同様の作用効果を奏し得る。
【０３４０】
以上の構成によれば、第３の実施の形態による現金自動預払機２０１の紙幣入出金機２１０は、上部ユニット２１０Ｕに前後方向に沿った上基幹搬送路ＷＵ３を形成し、下部ユニット２１０Ｌに前後方向に沿った下基幹搬送路ＷＬを形成し、両者を後受渡部Ｃ１で接続した。また紙幣入出金機２１０は、切替部２６４により、補充回収庫２２４と接続される搬送路Ｗ２１を後側の搬送路Ｗ８及び前側の搬送路Ｗ２２の何れとも接続させ得るようにした。これにより紙幣入出金機２１０は、第１の実施の形態による紙幣入出金機１０と多くの部品を共通化しながら、補充処理及び回収処理を効率良く短時間で完了でき、且つ補充回収庫２２４に再利用可能な紙幣を収納して紙幣収納庫２２と同様に利用することができる。
【０３４１】
［４．第４の実施の形態］
第４の実施の形態による現金自動預払機３０１（図１）は、第１の実施の形態による現金自動預払機１と比較して、紙幣入出金機１０に代わる紙幣入出金機３１０を有する点において相違するものの、他の点については同様に構成されている。
【０３４２】
紙幣入出金機３１０は、図２と対応する図３７に示すように、上部ユニット１０Ｕ及び下部ユニット１０Ｌに代わる上部ユニット３１０Ｕ及び下部ユニット３１０Ｌを有している。また紙幣入出金機３１０は、第１の実施の形態（図３）と同様、紙幣入出金機フレーム３１０Ｆに対し上部ユニット３１０Ｕ及び下部ユニット３１０Ｌをそれぞれ単独で前方へ引き出し得るようになっている。
【０３４３】
因みに上部ユニット３１０Ｕ及び下部ユニット３１０Ｌの後端は、基準位置Ｐ０から距離Ｌ１及びＬ２（図２、図１２）よりも長い距離Ｌ４だけ離れた位置Ｐ４に、すなわち図２等における位置Ｐ１及びＰ２よりも後側に、揃えられている。その一方で、上部ユニット３１０Ｕにおける上前搬送部３１４の前端及び下部ユニット３１０Ｌの前端は、第３の実施の形態による紙幣入出金機２１０（図２４）と同様の位置Ｐ３に揃えられている。
【０３４４】
さらに現金自動預払機３０１（図１）は、筐体２の後側に開閉可能な後扉が設けられており、且つ紙幣入出金機フレーム３１０Ｆにおける後面の下側部分が開放されている。
【０３４５】
［４−１．上部ユニットの構成］
図４と対応する図３８に示すように、上部ユニット３１０Ｕは、第１の実施の形態による上部ユニット１０Ｕと比較して、紙幣制御部１１、接客搬送部１３、上前搬送部１４及び上後搬送部１６に代わる紙幣制御部３１１、接客搬送部３１３、上前搬送部３１４及び上後搬送部３１６を有する点において相違する。さらに上部ユニット３１０Ｕは、上後搬送部３１６及び接客搬送部３１３の間を接続する接客出金搬送部３１８を有する点において相違するものの、他の点については同様に構成されている。
【０３４６】
紙幣制御部３１１は、紙幣制御部１１等と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部３１１は、やはり紙幣制御部１１等と同様、内部にＲＡＭ及びフラッシュメモリ等でなる記憶部を有しており、この記憶部に種々の情報を記憶させる。
【０３４７】
接客搬送部３１３は、第１の実施の形態による接客搬送部１３（図４）と比較して、搬送路３８が省略される一方、第２の実施の形態における接客搬送部１１３（図１３）と同様の搬送路１３９が設けられている点において相違するものの、駆動ローラ３６及び搬送路３７については同様に構成されている。
【０３４８】
上前搬送部３１４は、第１の実施の形態による上前搬送部１４（図４）と比較して、上前第２切替部４２及び搬送路４７が省略され、搬送路４４及び４６に相当する搬送路３４４が設けられ、搬送路４５に代えて第３の実施の形態における上前搬送部２１４（図２５）と同様の搬送路２４５を有する点において相違する。その一方で上前搬送部３１４は、上前搬送部１４と同様の上前第１切替部４１及び搬送路４３を有している。
【０３４９】
上後搬送部３１６は、第１の実施の形態による上後搬送部１６（図４）と比較して、全体的に後方向へ延長され、上後切替部５１の後側に上後第２切替部３５１が設けられ、該上後切替部５１及び該上後第２切替部３５１を結ぶ搬送路３５２が設けられ、該上後第２切替部３５１から上方へ向かう搬送路３５３が設けられた点において相違する。その一方で上後搬送部３１６は、上後搬送部１６と同様の上後切替部５１並びに搬送路５２、５３及び５４を有している。
【０３５０】
搬送路３５３の上端は、一時保留部１７に接続されている。これに伴い搬送路５３の上端は、接客出金搬送部３１８の搬送路３４０と接続されている。この搬送路３４０は、後下端において搬送路５３の上端と接続されており、前端において接客搬送部３１３における搬送路１３９の後端と接続されている。
【０３５１】
かかる構成により上部ユニット３１０Ｕでは、紙幣を上後切替部５１から搬送路５３、３４０、１３９、３７及び３４に沿って搬送することにより、接客部１２の放出部３１Ｅへ引き渡して収容器３１内へ放出させること、すなわち出金することができる。
【０３５２】
また上部ユニット３１０Ｕにおける下側部分では、上前搬送部３１４の搬送路２４５及び３４４、鑑別部１５の鑑別搬送路４８、並びに上後搬送部３１６の搬送路５２、３５２及び５４により、前後方向に沿って概ね一直線状となる一本の搬送路が形成されている。そこで以下では、この搬送路を上基幹搬送路ＷＵ４（図３７）と呼び、また前側の上前搬送部３１４、中程の鑑別部１５及び後側の上後搬送部３１６をまとめて上搬送部３１０ＵＣ（図３８）とも呼ぶ。
【０３５３】
［４−２．下部ユニットの構成］
図５と対応する図３９に示すように、下部ユニット３１０Ｌは、第１の実施の形態による下部ユニット１０Ｌと比較して、紙幣収納庫２２（２２Ａ〜２２Ｄ）が同様に構成されているものの、他の部分の構成が相違している。すなわち下部ユニット３１０Ｌは、下搬送部２１及びリジェクト庫２３とそれぞれ対応する下搬送部３２１並びにリジェクト庫３２３Ａ及び３２３Ｂを有しており、さらに補充回収庫３２４、補充リジェクト庫３２５、下後搬送部３２７及び取忘収納庫３２８を有している。
【０３５４】
この下部ユニット３１０Ｌでは、前端部分から後方へ向けて、順に紙幣収納庫２２Ａ、２２Ｂ、２２Ｃ及び２２Ｄが配置されている。すなわち下部ユニット３１０Ｌでは、第１の実施の形態による下部ユニット１０Ｌと比較して、紙幣収納庫２２Ａ、２２Ｂ、２２Ｃ及び２２Ｄが前方向へ移動されたような配置となっている。
【０３５５】
紙幣収納庫２２Ｄの後側には、上側から順にリジェクト庫３２３Ａ及び３２３Ｂ並びに取忘収納庫３２８が配置されている。このリジェクト庫３２３Ａ及び３２３Ｂ並びに取忘収納庫３２８の後側には、下後搬送部３２７が配置されている。さらに下後搬送部３２７の後側には、補充リジェクト庫３２５及び補充回収庫３２４が配置されている。この補充回収庫３２４は、下部ユニット３１０Ｌにおける後端部分に位置している。
【０３５６】
リジェクト庫３２３Ａ及び３２３Ｂは、何れも第３の実施の形態によるリジェクト庫２２３（図２６）と同様に構成されている。補充回収庫３２４及び補充リジェクト庫３２５は、それぞれ第３の実施の形態による補充回収庫２２４及び補充リジェクト庫２２５（図２６）と同様に構成されている。また補充回収庫３２４及び補充リジェクト庫３２５は、第３の実施の形態と同様に一体化され、補充回収カセット３２６となっている（図２７）。取忘収納庫３２８は、第３の実施の形態による取忘収納庫２２８（図２６）と同様に構成されている。
【０３５７】
［４−２−１．下搬送部の構成］
下搬送部３２１の内部には、後端近傍から前方向へ向けて互いに離れた箇所に切替部３６１、３６２、３６３、３６４、３６５、３６６及び３６７が配置されている。この切替部３６１〜３６７は、何れも第１の実施の形態による切替部６１等と同様に構成されており、紙幣制御部３１１の制御に基づき２通りの搬送経路を切り替えるようになっている。
【０３５８】
切替部３６１の周囲には、該切替部３６１から上方へ向かう搬送路３７１、該切替部３６１から下方へ向かい補充回収庫３２４と接続された搬送路３７２、及び該切替部３６１から前方へ向かい切替部３６２と接続された搬送路３７３が形成されている。この切替部３６１は、上側の搬送路３７１及び下側の搬送路３７２を接続する搬送経路と、上側の搬送路３７１及び前側の搬送路３７３を接続する搬送経路とを切り替えることができる。因みに搬送路３７１の上端は、下部ユニット後受渡口Ｔ２１となっており、上部ユニット３１０Ｕの上部ユニット後受渡口Ｔ１１（図３８）との間で紙幣を受け渡すことができる。
【０３５９】
切替部３６２の周囲には、上述した搬送路３７３に加えて、該切替部３６２から下方へ向かい補充リジェクト庫３２５と接続された搬送路３７４、及び該切替部３６２から前方へ向かい切替部３６３に接続された搬送路３７５が設けられている。この切替部３６２は、前側の搬送路３７５及び後側の搬送路３７３を接続する搬送経路と、前側の搬送路３７５及び下側の搬送路３７４を接続する搬送経路とを切り替えることができる。
【０３６０】
切替部３６３の周囲には、上述した搬送路３７５に加えて、該切替部３６３から下方へ向かい下後搬送部３２７と接続された搬送路３７６、及び該切替部３６３から前方へ向かい切替部３６４に接続された搬送路３７７が設けられている。この切替部３６３は、後側の搬送路３７５及び下側の搬送路３７６を接続する搬送経路と、後側の搬送路３７５及び前側の搬送路３７８を接続する搬送経路とを切り替えることができる。
【０３６１】
切替部３６４の周囲には、上述した搬送路３７７に加えて、該切替部３６４から下方へ向かい紙幣収納庫２２Ｄと接続された搬送路３７８、及び該切替部３６４から前方へ向かい切替部３６５に接続された搬送路３７９が設けられている。この切替部３６４は、前側の搬送路３７９及び後側の搬送路３７７を接続する搬送経路と、前側の搬送路３７９及び下側の搬送路３７８を接続する搬送経路とを切り替えることができる。
【０３６２】
切替部３６５の周囲には、上述した搬送路３７９に加えて、該切替部３６５から下方へ向かい紙幣収納庫２２Ｃと接続された搬送路３８０、及び該切替部３６５から前方へ向かい切替部３６６に接続された搬送路３８１が設けられている。この切替部３６５は、前側の搬送路３８１及び後側の搬送路３７９を接続する搬送経路と、前側の搬送路３８１及び下側の搬送路３８０を接続する搬送経路とを切り替えることができる。
【０３６３】
切替部３６６の周囲には、上述した搬送路３８１に加えて、該切替部３６６から下方へ向かい紙幣収納庫２２Ｂと接続された搬送路３８２、及び該切替部３６６から前方へ向かい切替部３６７に接続された搬送路３８３が設けられている。この切替部３６６は、前側の搬送路３８３及び後側の搬送路３８１を接続する搬送経路と、前側の搬送路３８３及び下側の搬送路３８２を接続する搬送経路とを切り替えることができる。
【０３６４】
切替部３６７の周囲には、上述した搬送路３８３に加えて、該切替部３６７から上方へ向かう搬送路３８４、及び該切替部３６７から下方へ向かい紙幣収納庫２２Ａに接続された搬送路３８５が設けられている。この切替部３６７は、上側の搬送路３８４及び後側の搬送路３８３を接続する搬送経路と、上側の搬送路３８４及び下側の搬送路３８５を接続する搬送経路とを切り替えることができる。因みに搬送路３８４の上端は、下部ユニット前受渡口Ｔ２２となっており、上部ユニット３１０Ｕの上部ユニット前受渡口Ｔ１２（図３８）との間で紙幣を受け渡すことができる。
【０３６５】
かかる構成により下搬送部３２１は、紙幣制御部３１１の制御に基づいて各切替部の搬送経路を適宜切り替えることにより、上部ユニット３１０Ｕから下部ユニット後受渡口Ｔ２１を介して受け取った紙幣を、補充回収庫３２４又は下後搬送部３２７へ搬送することができる。また下搬送部３２１は、補充回収庫３２４から繰り出された紙幣を下部ユニット後受渡口Ｔ２１へ搬送して上部ユニット３１０Ｕへ引き渡すこともできる。
【０３６６】
さらに下搬送部３２１は、紙幣制御部３１１の制御に基づいて各切替部の搬送経路を適宜切り替えることにより、上部ユニット３１０Ｕから下部ユニット前受渡口Ｔ２２を介して受け取った紙幣を、紙幣収納庫２２Ａ、２２Ｂ、２２Ｃ、２２Ｄ又は補充リジェクト庫３２５へ搬送して収納させることができる。また下搬送部３２１は、紙幣収納庫２２Ａ、２２Ｂ、２２Ｃ又は２２Ｄから繰り出された紙幣を下部ユニット前受渡口Ｔ２２へ搬送して上部ユニット３１０Ｕへ引き渡すこともできる。
【０３６７】
因みに下搬送部３２１では、搬送路３７３、３７５、３７７、３７９、３８１及び３８３により構成された、前後方向に沿って概ね一直線状となる一本の搬送路を下基幹搬送路ＷＬ４（図３７）と呼ぶ。
【０３６８】
［４−２−２．下後搬送部の構成］
下後搬送部３２７内には、上端のやや下側に切替部３９１が配置され、該切替部３９１から下方へやや離れた箇所に切替部３９２が配置されている。切替部３９１及び３９２は、何れも下搬送部３２１の切替部３６１等と同様に構成され、紙幣制御部３１１の制御に基づいてブレードの傾斜方向を変化させ、紙幣の搬送経路を切り替えるようになっている。
【０３６９】
切替部３９１の周囲には、下搬送部３２１における搬送路３７６の下端と該切替部３９１とを接続する搬送路３９３、該切替部３９１と前側のリジェクト庫３２３Ａとを接続する搬送路３９４、及び該切替部３９１と下側の切替部３９２とを接続する搬送路３９５が設けられている。また切替部３９２の周囲には、上述した搬送路３９５に加えて、該切替部３９２と前側のリジェクト庫３２３Ｂとを接続する搬送路３９６、及び該切替部３９２と前方下側の取忘収納庫３２８とを接続する搬送路３９７が設けられている。搬送路３９３、３９４、３９５、３９６及び３９７は、下搬送部３２１における搬送路３７１等と同様、複数の搬送ガイドや搬送ローラ等によりそれぞれ構成されている。
【０３７０】
切替部３９１は、上側の搬送路３９３及び前側の搬送路３９４を接続する搬送経路と、上側の搬送路３９３及び下側の搬送路３９５を接続する搬送経路とを切り替えることができる。また切替部３９２は、上側の搬送路３９５及び前側の搬送路３９６を接続する搬送経路と、上側の搬送路３９５及び下側の搬送路３９７を接続する搬送経路とを切り替えることができる。
【０３７１】
かかる構成により下後搬送部３２７は、紙幣制御部３１１の制御に基づいて切替部３９１及び３９２の搬送経路を適宜切り替えることにより、下搬送部３２１の搬送路３７６から受け取った紙幣をリジェクト庫３２３Ａ、３２３Ｂ又は取忘収納庫３２８へそれぞれ搬送して収納させることができる。
【０３７２】
［４−３．効果等］
以上の構成において、第４の実施の形態による現金自動預払機３０１の紙幣入出金機３１０は、上部ユニット３１０Ｕにおいて、上後搬送部３１６の上後切替部５１と接客部１２の放出部３１Ｅとを接続する搬送経路を形成した（図３８）。
【０３７３】
このため紙幣入出金機３１０は、入金処理において入金リジェクト紙幣が発生した場合に、該入金リジェクト紙幣を上後切替部５１から放出部３１Ｅへ搬送して直ちに収容器３１内へ戻すことができる。これにより紙幣入出金機３１０は、搬送路貯留部ＷＳ（図７）に紙幣を貯留させる必要が無く、また該搬送路貯留部ＷＳが満杯になった場合に必要であった、接客部１２から紙幣を繰り出す処理を一時停止させて入金リジェクト紙幣を該接客部１２へ搬送する、といった時間を要する処理を行う必要も無い。
【０３７４】
また紙幣入出金機３１０は、下部ユニット３１０Ｌ（図３９）において、後端に補充回収庫３２４を配置し、その直前に補充リジェクト庫３２５を配置した。また現金自動預払機３０１（図１）は、筐体２の後側に開閉可能な後扉が設けられ、紙幣入出金機フレーム３１０Ｆにおける後面の下側部分が開放されている（図３７）。
【０３７５】
このため紙幣入出金機３１０は、現金自動預払機３０１における筐体２の後扉が開放されていれば、下部ユニット３１０Ｌが紙幣入出金機フレーム３１０Ｆに格納された状態であっても、該下部ユニット３１０Ｌに対し補充回収カセット３２６の着脱を行うことができる。これにより紙幣入出金機３１０は、現金自動預払機３０１の運用を停止させること無く、補充回収カセット３２６の装着又は取り外しを行うことができ、該現金自動預払機３０１における可用性を高めることができる。
【０３７６】
さらに紙幣入出金機３１０は、第１の実施の形態による紙幣入出金機１０（図２、図４及び図５）と比較して、接客部１２、鑑別部１５、一時保留部１７及び紙幣収納庫２２（２２Ａ〜２２Ｄ）を同一の構成とした。また紙幣入出金機３１０は、上前搬送部３１４における上前第１切替部４１及び搬送路４３、接客搬送部３１３における駆動ローラ３６及び搬送路３７並びに上後搬送部３１６における上後切替部５１、搬送路５２、５３及び５４を、何れも紙幣入出金機１０と同一の構成とした。
【０３７７】
さらに紙幣入出金機３１０は、上前搬送部３１４における搬送路３４４を第１の実施の形態における搬送路４４及び４６と同様に構成し、接客搬送部３１３の搬送路１３９を第２の実施の形態と同様に構成し、上後搬送部３１６の上後第２切替部３５１を上後切替部５１と同等の構成とした。また紙幣入出金機３１０は、補充回収カセット３２６を第３の実施の形態における補充回収カセット２２６と同様に構成した。
【０３７８】
これにより紙幣入出金機３１０は、第１の実施の形態による紙幣入出金機１０、第２の実施の形態による紙幣入出金機１１０及び第３の実施の形態による紙幣入出金機２１０との間で多くの部品を共通化でき、コストの低廉化を図ることができる。
【０３７９】
また紙幣入出金機３１０は、その他の点においても、第１の実施の形態による紙幣入出金機１０と同様の作用効果を奏し得る。
【０３８０】
以上の構成によれば、第４の実施の形態による現金自動預払機３０１の紙幣入出金機３１０は、上部ユニット３１０Ｕに前後方向に沿った上基幹搬送路ＷＵ４を形成し、下部ユニット３１０Ｌに前後方向に沿った下基幹搬送路ＷＬ４を形成し、両者を後受渡部Ｃ１及び前受渡部Ｃ２で接続した。また紙幣入出金機３１０は、下部ユニット３１０Ｌにおける後端に補充回収カセット３２６を配置した。これにより紙幣入出金機３１０は、第１の実施の形態による紙幣入出金機１０等と多くの部品を共通化しながら、運用を停止させること無く補充回収カセット３２６を着脱することができ、現金自動預払機３０１における可用性を格段に高めることができる。
【０３８１】
［５．他の実施の形態］
なお上述した第１の実施の形態においては、上部ユニット１０Ｕの下端に上搬送部１０ＵＣを配置する場合について述べた（図４）。しかしながら本発明はこれに限らず、例えば上部ユニット１０Ｕ内における上搬送部１０ＵＣの下側に種々のモジュールを配置しても良い。また、下部ユニット１０Ｌ（図５）についても、その上端に下搬送部２１を配置する構成に限らず、例えば該下部ユニット１０Ｌにおける該下搬送部２１よりも上側に種々のモジュールを配置しても良い。第２〜第４の実施の形態についても同様である。
【０３８２】
また上述した第１の実施の形態においては、紙幣入出金機フレーム１０Ｆに対し上部ユニット１０Ｕ及び下部ユニット１０Ｌをそれぞれ前方向へ移動（スライド）させることにより外部に露出させるようにした場合について述べた（図３）。しかしながら本発明はこれに限らず、紙幣入出金機フレーム１０Ｆに対し上部ユニット１０Ｕ及び下部ユニット１０Ｌをそれぞれ他の方向、例えば後方向へ移動（スライド）させることにより外部に露出させるようにしても良い。第２〜第４の実施の形態についても同様である。
【０３８３】
さらに上述した第１の実施の形態においては、上部ユニット１０Ｕの最下部に上搬送部１０ＵＣを設けると共に、下部ユニット１０Ｌの最上部に下搬送部２１を設けた場合、すなわち上搬送部１０ＵＣ及び下搬送部２１間を境界として上部ユニット１０Ｕ及び下部ユニット１０Ｌを分割する場合について述べた（図２、図４及び図５）。しかしながら本発明はこれに限らず、例えば下搬送部２１を下部ユニット１０Ｌから上部ユニット１０Ｕに移すことにより、該下搬送部２１の下面と紙幣収納庫２２及びリジェクト庫２３の上面との間を境界とする等、他の種々の箇所を境界として、上部ユニット１０Ｕ及び下部ユニット１０Ｌを分割しても良い。第２〜第４の実施の形態についても同様である。
【０３８４】
さらに上述した第１の実施の形態においては、紙幣入出金機１０を上部ユニット１０Ｕ及び下部ユニット１０Ｌといった２個のユニットに分割する場合について述べた（図２、図４及び図５）。しかしながら本発明はこれに限らず、例えば上搬送部１０ＵＣ及び下搬送部２１を中間ユニットとし、接客部１２、接客搬送部１３及び一時保留部１７を上部ユニットとし、紙幣収納庫２２及びリジェクト庫２３を下部ユニットとすることにより、３個のユニットに分割する等、３個以上のユニットに分割しても良い。この場合、各ユニットを紙幣入出金機フレーム１０Ｆに対しそれぞれ前方向又は後方向へ個別に引き出し得るようにすることが望ましい（図３）。第２〜第４の実施の形態についても同様である。
【０３８５】
さらに上述した第１の実施の形態においては、上搬送部１０ＵＣを大きく上前搬送部１４、鑑別部１５及び上後搬送部１６に分けた構成とした場合について述べた。しかしながら本発明はこれに限らず、例えば当該上搬送部１０ＵＣを種々の分け方により複数に分けても良く、或いはこれらを分けること無く１個の上搬送部１０ＵＣとしても良い。第２〜第４の実施の形態についても同様である。
【０３８６】
さらに上述した第１の実施の形態においては、上前搬送部１４の上前搬送部回動軸１４Ｘを回動中心として、上前搬送下部１４Ｌに対し上前搬送上部１４Ｕを接客部１２及び接客搬送部１３と一体に回動させることにより、搬送路４５、４４及び４７（すなわち上前搬送路ＷＵ１４）を開放又は閉塞させる場合について述べた（図４）。また、上後搬送部１６の上後搬送部回動軸１６Ｘを回動中心として、上後搬送下部１６Ｌに対し上後搬送上部１６Ｕを一時保留部１７と一体に回動させることにより、搬送路５２及び５４（すなわち上後搬送路ＷＵ１６）を開放又は閉塞させる場合について述べた（図４）。しかしながら本発明はこれに限らず、例えば鑑別部１５を搬送路に沿って上下に分割可能に構成し、その上側部分を上前搬送上部１４Ｕ又は上後搬送上部１６Ｕと一体に回動させるようにしても良い。これにより、上基幹搬送路ＷＵの全範囲を容易に開放又は閉塞することができる。要は、上搬送部１０ＵＣを上基幹搬送路ＷＵに沿って分割した一方側の少なくとも一部分を、他方側に対して上前搬送部回動軸１４Ｘ等を中心として回動させることにより、該上基幹搬送路ＷＵの少なくとも一部を開放又は閉塞することができれば良い。さらには、上前搬送上部１４Ｕと、上後搬送上部１６Ｕと、鑑別部１５の上側部分とを一体に構成し、上前搬送部回動軸１４Ｘ又は上後搬送部回動軸１６Ｘを回動中心として一体に回動させることにより、上基幹搬送路ＷＵの全範囲を容易に開放又は閉塞するようにしても良い。下搬送部２１についても同様であり、また第２〜第４の実施の形態についても同様である。
【０３８７】
さらに上述した第１の実施の形態においては、搬送経路を３通りに切り替える上後切替部５１を、１枚のブレードの傾斜角度を変化させて紙幣の搬送方向を切り替える、いわゆる３ウェイブレード方式とする場合について述べた。しかしながら本発明はこれに限らず、例えば搬送経路を２通りに切り替えることができる２ウェイブレード方式の切替部を３個組み合わせることにより、全体として３通りに搬送経路を切り替えるようにしても良い。第２〜第４の実施の形態についても同様である。
【０３８８】
さらに上述した第１の実施の形態においては、上前第２切替部４２を、後側の搬送路４７及び上側の搬送路４６を接続する搬送経路と、後側の搬送路４７及び前側の搬送路４４を接続する搬送経路とを切り替える、いわゆる２ウェイブレード方式とした場合について述べた。
【０３８９】
しかしながら本発明はこれに限らず、例えば上前第２切替部４２を上後切替部５１と同様の３ウェイブレード方式としても良い。この場合、上前第２切替部４２は、例えば接客分離異常リトライオーバ処理において、前側の搬送路４４及び上側の搬送路４６を接続する搬送経路に切り替えることにより、接客部１２の分離部３１Ｓから繰り出した紙幣（分離異常となった紙幣）を直ちに該接客部１２に戻して放出部３１Ｅから収容器３１内へ放出させることができる。これにより、第１の実施の形態（図１１（Ａ）及び（Ｂ））と比較して、接客分離異常リトライオーバ処理における処理時間を短縮でき、また分離異常となった紙幣が搬送路Ｗ５内、特に鑑別部１５内等で詰まりを生じる可能性も排除できる。
【０３９０】
また、例えば下搬送部２１の切替部６１〜６３についても、３ウェイブレード方式としても良い。この場合、紙幣移動処理（図９（Ａ）、図１０（Ａ）及び（Ｂ））において、紙幣を接客部１２や一時保留部１７に一時的に収納させること無く、紙幣収納庫２２同士の間で紙幣を直接搬送することができる。これにより、鑑別部１５を通過しないために鑑別処理を行い得なくなることと引き替えに、処理時間を大幅に短縮できる。第２〜第４の実施の形態についても同様である。特に第２の実施の形態（図１５）では、切替部６２、６３及び１６４を３ウェイブレード方式とした場合に、移動元の紙幣収納庫２２から繰り出した紙幣を上基幹搬送路ＷＵ経由で移動先の紙幣収納庫２２へ搬送するように搬送経路を形成することにより、鑑別部１５を通過して鑑別処理を行いながら、処理時間を短縮できる。また第３の実施の形態（図２８）における切替部６２、６３及び２６４についても同様の効果を期待できる。
【０３９１】
さらに上述した第１の実施の形態においては、紙幣入出金機１０に設ける一時保留部１７をいわゆるテープエスクロ方式とし、紙幣をテープ５８と共にドラム５５の周側面に巻き付けて収納する場合について述べた。しかしながら本発明はこれに限らず、紙幣入出金機１０に他の種々の方式の一時保留部を設けても良い。この場合、一時保留部としては、第１の実施の形態と同様に、入金処理や出金処理において取り扱う最大枚数（例えば２００枚）の紙幣を一時的に収納することができ、さらに当該紙幣を繰り出す際に、収納時における各紙幣の順序を正順又は逆順に維持できれば良い。さらに一時保留部としては、紙幣のスキューや紙幣同士の間隔も維持したまま繰り出し得ることが好ましい。第２〜第４の実施の形態についても同様である。
【０３９２】
さらに上述した第１の実施の形態においては、接客部１２における収容器３１の内部に前後方向へ移動可能な仕切板を１枚設ける場合について述べた。しかしながら本発明はこれに限らず、例えば収容器３１の内部に２枚以上の仕切板を設けても良く、或いは該収容器３１から仕切板を省略しても良い。第２〜第４の実施の形態についても同様である。
【０３９３】
さらに上述した第１の実施の形態においては、接客搬送部１３を接客部１２と区別した構成とすることにより、第２及び第４の実施の形態との間で該接客部１２を共通化する場合について述べた（図４、図１３及び図３８）。しかしながら本発明はこれに限らず、例えば接客搬送部１３を接客部１２に組み込んだ構成とし、第２及び第４の実施の形態において第１の実施の形態と異なる構成の接客部を使用しても良い。
【０３９４】
さらに上述した第１の実施の形態においては、上基幹搬送路ＷＵに上前第２切替部４２を設け、該上基幹搬送路ＷＵと接客部１２との間に搬送路Ｗ１及び搬送路Ｗ２といった２本の搬送路を設ける場合について述べた（図６）。しかしながら本発明はこれに限らず、例えば上前第２切替部４２に代わる切替部を搬送路Ｗ１上に設けることにより、上基幹搬送路ＷＵと接客部１２との間を１本の搬送路Ｗ１のみによって接続しても良い。第２及び第３の実施の形態についても同様である。
【０３９５】
さらに上述した実施の形態においては、第１の実施の形態による接客搬送部１３、第２の実施の形態による接客搬送部１１３及び第３の実施の形態による接客搬送部３１３の間で駆動ローラ３６及び搬送路３７を共通化し、さらに接客搬送部１１３及び３１３の間で搬送路１３９を共通化する場合について述べた（図４、図１３及び図３８）。しかしながら本発明はこれに限らず、例えば接客搬送部１３、１１３及び３１３の間で駆動ローラ３６及び搬送路３７の位置や構成を互いに相違させても良い。搬送路１３９等についても同様である。
【０３９６】
さらに上述した実施の形態においては、第１の実施の形態による上後搬送部１６及び第４の実施の形態による上後搬送部３１６の間で、鑑別部１５の後端からの上後切替部５１の位置を共通化する場合について述べた。しかしながら本発明はこれに限らず、例えば上後搬送部３１６における鑑別部１５の後端からの上後切替部５１の位置を、上後搬送部１６の場合と相違させても良い。また上後搬送部３１６においては、上後第２切替部３５１の構成を上後切替部５１と相違させても良い。
【０３９７】
さらに上述した第３の実施の形態においては、補充回収庫２２４及び補充リジェクト庫２２５を一体化して補充回収カセット２２６を構成する場合について述べた（図２７）。しかしながら本発明はこれに限らず、例えば補充回収庫２２４及び補充リジェクト庫２２５をそれぞれ独立した１個のカセットとして下部ユニット２１０Ｌに対し着脱し得るようにしても良い。第４の実施の形態についても同様である。
【０３９８】
さらに上述した第３の実施の形態においては、補充リジェクト庫２２５を設け、補充処理において発生した補充リジェクト紙幣を該補充リジェクト庫２２５に搬送して収納する場合について述べた。しかしながら本発明はこれに限らず、例えば補充リジェクト庫２２５を省略し、補充処理において発生した補充リジェクト紙幣をリジェクト庫２２３に搬送して収納しても良い。第４の実施の形態についても同様である。
【０３９９】
さらに上述した第１の実施の形態においては、入金処理において、紙幣制御部１１により、紙幣の搬送順序と対応付けて、各紙幣の金種、記番号及び搬送先や、その搬送状態、すなわちスキューや紙幣同士の間隔等を、鑑別部１５における入金時情報として記憶させる場合について述べた。しかしながら本発明はこれに限らず、紙幣の金種及び記番号のみ、或いは搬送状態のみ等、各センサから得られた検知結果に基づいた種々の情報を適宜取捨選択した上で入金時情報として記憶させるようにしても良い。また搬送状態についても、スキューのみ、或いは紙幣同士の間隔のみ等、走行センサ４９Ｃの検知結果を基に得られる種々の情報を適宜取捨選択して用いても良い。要は、収納処理において搬送先を読み出すことができ、又は記憶された情報を基に搬送先を決定できれば良い。一時保留部１７の収納時搬送情報についても同様であり、また第２〜第４の実施の形態についても同様である。
【０４００】
さらに上述した第３の実施の形態においては、下部ユニット２１０Ｌ内におけるリジェクト庫２２３の下側に、取忘紙幣を他の紙幣と区別して収納するための取忘収納庫２２８を設け、搬送路２９４及び２９２等を介して搬送路２８２と接続させる場合について述べた（図２６）。しかしながら本発明はこれに限らず、例えば鑑別部１５により偽造されていると鑑別された紙幣（いわゆる偽券）を他の紙幣と区別して収納するための偽券収納庫等、他の種々の収納庫を設け、適宜搬送路を配置することにより搬送路２８２と接続させても良い。
【０４０１】
さらに上述した第１の実施の形態においては、入金処理において一時保留部１７に紙幣を収納する際における搬送状態を走行監視センサ５９により検知し、その検知結果を収納時搬送情報として記憶させておき、収納処理において走行監視センサ５９から得られた搬送状態を収納時搬送情報と比較して、収納時の搬送状態が正しく再現されているか否かを判断する場合について述べた。しかしながら本発明はこれに限らず、例えば一時保留部１７において収納時の搬送状態を極めて高精度に維持できる場合に、走行監視センサ５９を省略すると共に搬送状態が再現されているか否かについて特に判断しないようにしても良い。第２〜第４の実施の形態についても同様である。
【０４０２】
さらに上述した第１の実施の形態においては、収納処理において一時保留部１７から繰り出される紙幣が収納時の搬送状態を正しく再現していないと判断した場合、当該紙幣を上搬送部１０ＵＣによりリジェクト庫２３へ搬送する途中で鑑別部１５により再鑑別させ、記憶している入金時情報と一致した場合には、入金処理において決定した搬送先を利用するようにした場合について述べた。しかしながら本発明はこれに限らず、例えば収納処理において一時保留部１７から繰り出される紙幣が収納時の搬送状態を正しく再現していないと判断した場合、鑑別部１５による再鑑別の結果に拘わらず、一律にリジェクト庫２３へ搬送させるようにしても良い。第２〜第４の実施の形態についても同様である。
【０４０３】
さらに上述した第１の実施の形態においては、一時保留部１７の走行監視センサ５９により検知する紙幣の搬送状態として、具体的に紙幣同士の間隔及び各紙幣のスキュー（すなわち搬送方向に対する傾斜）を検知する場合について述べた。しかしながら本発明はこれに限らず、例えば紙幣同士の間隔及び各紙幣のスキューの何れか一方としても良く、また紙幣の厚みを検知しても良く、さらにはこれらを適宜組み合わせても良い。第２〜第４の実施の形態についても同様である。
【０４０４】
さらに上述した第１の実施の形態においては、入金処理での鑑別部１５における入金時情報や走行監視センサ５９による収納時搬送情報を紙幣制御部１１の記憶部に記憶させる場合について述べた。しかしながら本発明はこれに限らず、例えば主制御部９の記憶部や、所定のネットワークを介して接続された外部のサーバ装置（図示せず）の内部に設けられた記憶部等、情報を記憶可能な種々の箇所に入金時情報及び収納時搬送情報を記憶させるようにしても良い。第２〜第４の実施の形態についても同様である。
【０４０５】
さらに上述した第１の実施の形態においては、下搬送部２１の搬送路Ｗ８を搬送路貯留部ＷＳとして入金リジェクト紙幣を貯留しておき、接客部１２内の全紙幣を鑑別部１５により鑑別し終えた後などに、当該入金リジェクト紙幣を接客部１２へ戻すようにした場合について述べた（図７（Ａ）及び（Ｂ））。しかしながら本発明はこれに限らず、例えば鑑別部１５により入金リジェクト紙幣を検知する度に、接客部１２からの紙幣の取込を中断し、当該入金リジェクト紙幣を当該接客部１２へ戻すようにしても良い。この場合、下搬送部２１の搬送路Ｗ８を搬送路貯留部ＷＳとして使用する必要が無い。第２〜第４の実施の形態についても同様である。
【０４０６】
さらに上述した第１の実施の形態においては、入金リジェクト紙幣を下搬送部２１の搬送路貯留部ＷＳに貯留する際、紙幣同士の間隔を短縮する場合について述べた。しかしながら本発明はこれに限らず、紙幣同士の間隔を短縮すること無く、維持したまま貯留しても良い。この場合、下搬送部２１における搬送路Ｗ８を構成する各搬送ローラ等の回転を上搬送部１０ＵＣにおける各搬送ローラ等と同様に一定の回転速度で回転させれば良い。第２〜第４の実施の形態についても同様である。
【０４０７】
さらに上述した第１の実施の形態においては、下搬送部２１の各搬送ローラを駆動するモータへの制御信号等を基に、搬送路貯留部ＷＳの内部に貯留している入金リジェクト紙幣の後端の位置を紙幣制御部１１が認識する場合について述べた。しかしながら本発明はこれに限らず、例えば当該モータの制御精度が比較的低い場合に、下搬送部２１の内部における前端近傍に光学センサを設け、当該光学センサによる紙幣の検知結果を基に、搬送路貯留部ＷＳの内部に貯留している入金リジェクト紙幣の後端の位置を紙幣制御部１１が認識しても良い。第２〜第４の実施の形態についても同様である。
【０４０８】
さらに上述した第１の実施の形態においては、出金処理において、紙幣の搬送先をリジェクト庫２３に決定した際に何れのセンサの検知結果に基づいているかに応じて、その搬送動作を相違させるようにした場合について述べた。具体的には、走行センサ４９Ｃによる検知結果を基に紙幣の搬送先をリジェクト庫２３に決定した場合には、当該紙幣が上前第２切替部４２に到達する前に当該上前第２切替部４２における搬送経路の切替動作を完了させた（図９（Ａ））。その一方で、イメージセンサ４９Ｂ及び真偽センサ４９Ａによる検知結果を基に紙幣の搬送先をリジェクト庫２３に決定した場合には、当該紙幣が上前第２切替部４２を通過して接客部１２の近傍まで搬送された後、当該紙幣を当該上前第２切替部４２の後方まで逆送させ、当該上前第２切替部４２における搬送経路を切り替えた（図９（Ｂ）及び（Ｃ））。しかしながら本発明はこれに限らず、例えばイメージセンサ４９Ｂ及び真偽センサ４９Ａから上前第２切替部４２までの搬送経路が比較的長い場合に、何れのセンサの検知結果を基に紙幣の搬送先をリジェクト庫２３に決定した場合であっても、当該紙幣が上前第２切替部４２に到達する前に搬送経路の切替動作を完了させるようにしても良い。第２及び第３の実施の形態についても同様である。
【０４０９】
さらに上述した第１の実施の形態においては、走行センサ４９Ｃを厚みセンサ及び光学センサにより構成し、それぞれの検知結果を基に紙幣制御部１１において重送の有無、各紙幣のスキュー及び紙幣同士の間隔を認識する場合について述べた。しかしながら本発明はこれに限らず、その他種々のセンサにより走行センサを構成しても良い。要は、入金処理において各紙幣が入金リジェクト紙幣であるか否かを検知でき、且つ出金処理において各紙幣がリジェクト紙幣であるか否かを検知できれば良い。第２〜第４の実施の形態についても同様である。
【０４１０】
さらに上述した第１の実施の形態においては、出金処理において、鑑別部１５の走行センサ４９Ｃにおける検知結果のみを基に、紙幣制御部１１において各紙幣の搬送先を接客部１２又はリジェクト庫２３に決定する場合について述べた。しかしながら本発明はこれに限らず、例えば出金処理において、走行センサ４９Ｃ及びイメージセンサ４９Ｂの双方からの検知結果を基に、紙幣制御部１１において各紙幣の搬送先を決定する等、種々のセンサからの検知結果を基に各紙幣の搬送先を決定しても良い。この場合、要は各紙幣を各センサにより検知した後、当該紙幣を前方へ搬送して上前第２切替部４２に到達させるまでの間に、各センサから得られる検知結果を基に紙幣制御部１１より搬送先を決定し、さらに上前第２切替部４２において搬送経路の切替動作を完了することができれば良い。第２〜第４の実施の形態についても同様である。
【０４１１】
さらに上述した第１の実施の形態においては、鑑別部１５に走行センサ４９Ｃ、イメージセンサ４９Ｂ及び真偽センサ４９Ａといった３種類のセンサを設ける場合について述べた。しかしながら本発明はこれに限らず、鑑別部１５に２種類以下又は４種類以上のセンサを設けても良い。要は、得られる検知結果を基に紙幣制御部１１において、少なくとも入金処理において各紙幣が正常な紙幣又は入金リジェクト紙幣の何れであるかを判断することができ、且つその後の収納処理における搬送先を定めることができれば良い。第２〜第４の実施の形態についても同様である。
【０４１２】
さらに上述した第１の実施の形態においては、鑑別部１５の各センサにおける検知結果を紙幣制御部１１へ送出することにより、当該紙幣制御部１１により紙幣の金種、真偽及び損傷の程度等を認識した上でその搬送先を決定する場合について述べた。しかしながら本発明はこれに限らず、例えば鑑別部１５に専用の鑑別制御部を設け、鑑別部１５の各センサにおける検知結果を当該鑑別制御部へ送出して、当該鑑別制御部において紙幣の金種、真偽、損傷の程度等を認識させるようにしても良い。この場合、鑑別制御部において認識した金種、真偽及び損傷の程度等を表す情報を紙幣制御部１１へ送出することにより、当該紙幣制御部１１において紙幣の搬送先を決定すれば良い。これにより、紙幣制御部１１の処理負荷を軽減することができる。第２〜第４の実施の形態についても同様である。
【０４１３】
さらに上述した第２の実施の形態においては、束出金処理（図２１（Ａ）〜（Ｃ））及び整理施封処理（図２２（Ａ）〜（Ｃ）及び図２３）において、裏向きの紙幣を表向きに反転させる表裏反転処理を行った上で、紙幣を施封ユニット１２０へ搬送する場合について述べた。しかしながら本発明はこれに限らず、例えば処理の開始時に金融機関の職員等により表裏反転処理を行うか否かを指示させ、行わない指示を受けた場合には表裏反転処理を行うこと無く紙幣を施封ユニット１２０へ搬送するようにしても良い。或いは、出金処理において、顧客に指定された場合に表裏反転処理を行うようにしても良い。この場合、例えば表裏反転処理には時間を要する旨を顧客に伝えた上で、表裏反転せずに短時間で出金するか、或いは時間をかけて表裏を揃えた状態で出金するかを選択させれば良い。さらには、表裏反転処理を行わないようにしても良い。
【０４１４】
さらに上述した第１の実施の形態においては、下部ユニット１０Ｌに４個の紙幣収納庫２２（２２Ａ〜２２Ｄ）を設ける場合について述べた（図５）。しかしながら本発明はこれに限らず、下部ユニット１０Ｌに３個以下又は５個以上の紙幣収納庫２２を設けても良い。第２〜第４の実施の形態についても同様である。
【０４１５】
さらに上述した第１の実施の形態においては、顧客との間で媒体としての紙幣に関する取引処理を行う現金自動預払機１の紙幣入出金機１０に本発明を適用する場合について述べた。しかしながら本発明はこれに限らず、例えば各種金券や証券等、或いは入場券や乗車券のような種々の紙葉状の媒体を取り扱う種々の装置に本発明を適用しても良い。第２〜第４の実施の形態についても同様である。
【０４１６】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０４１７】
さらに上述した実施の形態においては、上搬送部としての上搬送部１０ＵＣと、入出部としての接客部１２と、一時保留部としての一時保留部１７と、鑑別部としての鑑別部１５と、制御部としての紙幣制御部１１と、下搬送部としての下搬送部２１と、媒体収納庫としての紙幣収納庫２２と、リジェクト庫としてのリジェクト庫２３と、リジェクト搬送部としての搬送路８０と、第１受渡部としての後受渡部Ｃ１と、第２受渡部としての前受渡部Ｃ２とによって媒体処理装置としての紙幣入出金機１０を構成する場合について述べた。しかしながら本発明はこれに限らず、その他種々の構成でなる上搬送部と、入出部と、一時保留部と、鑑別部と、制御部と、下搬送部と、媒体収納庫と、リジェクト庫と、リジェクト搬送部と、第１受渡部と、第２受渡部とによって媒体処理装置を構成しても良い。
【産業上の利用可能性】
【０４１８】
本発明は、顧客との間で紙幣の入出金に関する取引処理を行う現金自動預払機等でも利用できる。
【符号の説明】
【０４１９】
１、１０１、２０１、３０１……現金自動預払機、２……筐体、６……操作表示部、９……主制御部、１０、１１０、２１０、３１０……紙幣入出金機、１０Ｆ……紙幣入出金機フレーム、１０Ｌ、１１０Ｌ、２１０Ｌ、３１０Ｌ……下部ユニット、１０Ｕ、１１０Ｕ、２１０Ｕ、３１０Ｕ……上部ユニット、１０ＵＣ、１１０ＵＣ、２１０ＵＣ、３１０ＵＣ……上搬送部、１１、１１１、２１１、３１１……紙幣制御部、１２……接客部、１３、１１３、３１３……接客搬送部、１４、２１４、３１４……上前搬送部、１５……鑑別部、１６、２１６、３１６……上後搬送部、１７……一時保留部、２１、１２１、２２１、３２１……下搬送部、２２……紙幣収納庫、２３、２２３、３２３Ａ、３２３Ｂ……リジェクト庫、３１……収容器、３１Ｅ……放出部、３１Ｓ……分離部、３３、３４、３７、３８、４３、４４、４５、４６、４７、５２、５３、５４、７１、７２、７３、７４、７５、７６、７７、７８、８０、１３９、１４０、１７９、１８１、１８２、２４５、２５４、２７９、２８１、２８２、２８３、２８４……搬送路、４１……上前第１切替部、４２……上前第２切替部、４８……鑑別搬送路、４９……センサ、４９Ａ……真偽センサ、４９Ｂ……イメージセンサ、４９Ｃ……走行センサ、５１……上後切替部、５５……ドラム、５６……一時保留搬送路、５９……走行監視センサ、６１、６２、６３、１３５、１６４、１６５、２６４、２６５、２６６……切替部、１１８……施封搬送部、１２０……施封ユニット、２２４、３２４……補充回収庫、２２５、３２５……補充リジェクト庫、２２６、３２６……補充回収カセット、２２７、３２７……下前搬送部、２２８、３２８……取忘収納庫、３１８……接客出金搬送部、３５１……上後第２切替部、Ｃ１……後受渡部、Ｃ２……前受渡部、Ｔ１１……上部ユニット後受渡口、Ｔ１２……上部ユニット前受渡口、Ｔ２１……下部ユニット後受渡口、Ｔ２２……下部ユニット前受渡口、Ｗ１〜Ｗ２７……搬送路、ＷＵ、ＷＵ３、ＷＵ４……上基幹搬送路、ＷＬ、ＷＬ２、ＷＬ４……下基幹搬送路、ＷＳ、ＷＳ２……搬送路貯留部。
【図１】
2018014001.tif 000003
【図２】
2018014001.tif 000004
【図３】
2018014001.tif 000005
【図４】
2018014001.tif 000006
【図５】
2018014001.tif 000007
【図６】
2018014001.tif 000008
【図７】
2018014001.tif 000009
【図８】
2018014001.tif 000010
【図９】
2018014001.tif 000011
【図１０】
2018014001.tif 000012
【図１１】
2018014001.tif 000013
【図１２】
2018014001.tif 000014
【図１３】
2018014001.tif 000015
【図１４】
2018014001.tif 000016
【図１５】
2018014001.tif 000017
【図１６】
2018014001.tif 000018
【図１７】
2018014001.tif 000019
【図１８】
2018014001.tif 000020
【図１９】
2018014001.tif 000021
【図２０】
2018014001.tif 000022
【図２１】
2018014001.tif 000023
【図２２】
2018014001.tif 000024
【図２３】
2018014001.tif 000025
【図２４】
2018014001.tif 000026
【図２５】
2018014001.tif 000027
【図２６】
2018014001.tif 000028
【図２７】
2018014001.tif 000029
【図２８】
2018014001.tif 000030
【図２９】
2018014001.tif 000031
【図３０】
2018014001.tif 000032
【図３１】
2018014001.tif 000033
【図３２】
2018014001.tif 000034
【図３３】
2018014001.tif 000035
【図３４】
2018014001.tif 000036
【図３５】
2018014001.tif 000037
【図３６】
2018014001.tif 000038
【図３７】
2018014001.tif 000039
【図３８】
2018014001.tif 000040
【図３９】
2018014001.tif 000041